(57)【特許請求の範囲】
【請求項１】
各々を識別可能な複数種類の識別情報の可変表示を行い表示結果を導出する可変表示手段に予め定められた特定表示結果が導出されたときに、遊技者にとって有利な特定遊技状態に制御する遊技機であって、
前記特定遊技状態に制御するか否かを、識別情報の表示結果が導出される以前に決定する事前決定手段と、
識別情報の可変表示が開始されてから表示結果が導出されるまでに、演出態様に応じて前記特定遊技状態に制御される可能性を報知する報知演出を実行可能な報知演出実行手段と、
前記報知演出が終了した後の特定タイミングにて、前記報知演出実行手段により実行された前記報知演出の演出態様を示す演出を表示した後に、該表示した演出態様を、前記特定遊技状態に制御される可能性がより高い演出態様を示す演出に変更して表示する変更演出実行手段とを備える、
ことを特徴とする遊技機。
【請求項２】
前記報知演出実行手段は、複数の前記報知演出を実行可能であり、
前記変更演出実行手段は、前記報知演出実行手段により実行された複数の前記報知演出の演出態様を示す演出を変更するときに、１の前記報知演出の演出態様を示す演出を変更した後、区切り演出を実行してから、他の前記報知演出の演出態様を示す演出を変更する、
ことを特徴とする請求項１に記載の遊技機。
【発明の詳細な説明】
【技術分野】
【０００１】
本発明は、パチンコ遊技機等の遊技機に係り、詳しくは、各々を識別可能な複数種類の識別情報の可変表示を行い表示結果を導出する可変表示手段に予め定められた特定表示結果が導出されたときに、遊技者にとって有利な特定遊技状態に制御する遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、入賞領域に遊技媒体が入賞する（始動条件が成立する）と識別情報を変動可能に表示（可変表示）する可変表示手段が設けられ、可変表示手段において識別情報の可変表示の表示結果が特定表示結果（大当り図柄）となった場合に「大当り」となり、遊技者にとって有利な特定遊技状態（大当り遊技状態）に制御可能になるように構成されたものがある。
【０００３】
このような遊技機において、識別情報の再変動（再可変表示）が１回または複数回実行される擬似連の変動パターンに対応して、予め定められた順番に従って１段階から複数段階まで演出の態様を段階的に変化させるステップアップ予告演出を実行する場合に、再変動の回数が増える毎に再変動中に実行されるステップアップ予告演出のステップ数が増える関係とするものが提案されている（例えば特許文献１）。
【先行技術文献】
【特許文献】
【０００４】
【特許文献１】特開２０１０−１３７００３号公報
【発明の概要】
【発明が解決しようとする課題】
【０００５】
特許文献１に記載の技術では、既に実行されたステップアップ予告演出のステップ数を増やして特定遊技状態となる可能性がより高い演出態様とするために、識別情報の再変動（再可変表示）やステップアップ予告演出を最初から繰返し実行することになる。そのため、演出に間延びが生じて遊技興趣が低下するおそれがあった。
【０００６】
この発明は、上記実状に鑑みてなされたものであり、既に終了した演出に基づいて特定遊技状態となる期待感を円滑に高める遊技機の提供を目的とする。
【課題を解決するための手段】
【０００７】
（１）上記目的を達成するため、本願の請求項に係る遊技機は、各々を識別可能な複数種類の識別情報（例えば特別図柄や飾り図柄など）の可変表示を行い表示結果を導出する可変表示手段（例えば第１及び第２特別図柄表示装置４Ａ，４Ｂや、画像表示装置５など）に予め定められた特定表示結果（例えば大当り図柄となる確定特別図柄や大当り組合せの確定飾り図柄など）が導出されたときに、遊技者にとって有利な特定遊技状態（例えば大当り遊技状態など）に制御する遊技機（例えばパチンコ遊技機１など）であって、前記特定遊技状態に制御するか否かを、識別情報の表示結果が導出される以前に決定する事前決定手段（例えばステップＳ２４０、Ｓ２４１の処理を実行する遊技制御用マイクロコンピュータ１００のＣＰＵ１０３など）と、識別情報の可変表示が開始されてから表示結果が導出されるまでに（例えばタイミングＴＹ０１〜ＴＹ０３、ＴＹ１０〜ＴＹ１２、ＴＹ２０〜ＴＹ２２、ＴＹ３０、ＴＹ３１など）、演出態様に応じて前記特定遊技状態に制御される可能性を報知する報知演出（例えばメッセージ予告、ステップアップ予告、再変動演出、リーチ成立時予告、あるいはノーマルもしくはスーパーＡのリーチ演出など）を実行可能な報知演出実行手段（例えばステップＳ５４３、Ｓ５４５、Ｓ５４７の処理を実行する演出制御用ＣＰＵ１２０など）と、前記報知演出が終了した後の特定タイミング（例えばタイミングＴＭ０１〜ＴＭ０３のいずれかなど）にて、前記報知演出実行手段により実行された前記報知演出の演出態様を示す演出を表示した後に、該表示した演出態様を、前記特定遊技状態に制御される可能性がより高い演出態様を示す演出に変更して表示する変更演出実行手段（例えばステップＳ５４９の期待度昇格演出処理を実行する演出制御用ＣＰＵ１２０など）とを備える。
【０００８】
このような構成によれば、報知演出が終了した後の特定タイミングにて表示した演出態様を示す演出を、特定遊技状態に制御される可能性がより高い演出態様を示す演出に変更して表示することから、特定遊技状態となる期待感を円滑に高めて、遊技興趣を向上させることができる。
【０００９】
（２）上記（１）の遊技機において、前記報知演出実行手段は、複数の前記報知演出を実行可能であり、前記変更演出実行手段は、前記報知演出実行手段により実行された複数の前記報知演出の演出態様を示す演出を変更するときに、１の前記報知演出の演出態様を示す演出を変更した後、区切り演出を実行してから、他の前記報知演出の演出態様を示す演出を変更してもよい。
あるいは、前記変更演出実行手段は、前記報知演出の演出態様を示す演出を表示した後に、特定態様を示す演出に変更して表示することにより、前記報知演出実行手段により実行される前記報知演出の演出態様が前記特定態様となるときよりも、前記特定遊技状態となる可能性が高いことを報知してもよい（例えばステップＳ６０３の処理にて図３２（Ａ）に示すような割合で期待度昇格演出の有無が決定される一方、ステップＳ６０７の処理にて図３３（Ｂ１）および（Ｂ２）に示すような割合で予告演出が決定される部分など）。
【００１０】
このような構成においては、報知演出の演出態様を示す演出が変更して表示されたときに、特定遊技状態となる期待感が高められるので、演出の変更に対する遊技者の興味を高めて、遊技興趣を向上させることができる。
【００１１】
（３）上記（１）または（２）の遊技機において、前記変更演出実行手段は、識別情報の可変表示状態がリーチ状態となった後の前記特定タイミングにて、前記報知演出の演出態様を示す演出を、変更して表示してもよい（例えばステップＳ５４８におけるＹｅｓの判定に基づきステップＳ５４９の期待度昇格演出処理が実行される部分など）。
【００１２】
このような構成においては、リーチ状態となった後に報知演出の演出態様を示す演出が変更して表示されることにより、リーチ状態となった後の演出に対する遊技者の興味を高めて、遊技興趣を向上させることができる。
【図面の簡単な説明】
【００１３】
【図１】この実施の形態におけるパチンコ遊技機の正面図である。
【図２】パチンコ遊技機に搭載された各種の制御基板などを示す構成図である。
【図３】演出制御コマンドの内容の一例などを示す説明図である。
【図４】主基板の側にてカウントされる遊技用乱数を例示する説明図である。
【図５】変動パターンを例示する図である。
【図６】変動パターン種別を例示する図である。
【図７】特図表示結果決定テーブルの構成例を示す図である。
【図８】大当り種別決定テーブルの構成例を示す図である。
【図９】変動パターン種別決定テーブルの構成例を示す図である。
【図１０】変動パターン決定テーブルの構成例を示す図である。
【図１１】遊技制御用データ保持エリアの構成例を示すブロック図である。
【図１２】再変動演出とメッセージ予告における演出動作例を示す図である。
【図１３】ステップアップ予告とリーチ成立時予告における演出動作例を示す図である。
【図１４】各予告演出における大当り期待度の段階を示す図である。
【図１５】可変表示中における演出の実行タイミングを示す図である。
【図１６】可変表示中における演出の実行タイミングを示す図である。
【図１７】可変表示中における演出の実行タイミングを示す図である。
【図１８】可変表示中における演出の実行タイミングを示す図である。
【図１９】演出制御パターンの構成例等を示す図である。
【図２０】期待度昇格演出に対応した演出制御パターンの設定例を示す図である。
【図２１】演出制御用データ保持エリアの構成例を示すブロック図である。
【図２２】遊技制御用タイマ割込み処理の一例を示すフローチャートである。
【図２３】特別図柄プロセス処理の一例を示すフローチャートである。
【図２４】始動入賞判定処理の一例を示すフローチャートである。
【図２５】特別図柄通常処理の一例を示すフローチャートである。
【図２６】変動パターン設定処理の一例を示すフローチャートである。
【図２７】大当り終了処理の一例を示すフローチャートである。
【図２８】演出制御メイン処理の一例を示すフローチャートである。
【図２９】演出制御プロセス処理を示すフローチャートである。
【図３０】可変表示開始設定処理の一例を示すフローチャートである。
【図３１】可変表示中演出決定処理の一例を示すフローチャートである。
【図３２】期待度昇格演出の決定例を示す図である。
【図３３】予告演出の決定例を示す図である。
【図３４】予告演出の決定例を示す図である。
【図３５】可変表示中演出処理の一例を示すフローチャートである。
【図３６】期待度昇格演出処理の一例を示すフローチャートである。
【図３７】可変表示中における演出動作例を示す図である。
【図３８】可変表示中における演出動作例を示す図である。
【図３９】期待度昇格演出による演出例を示す説明図である。
【図４０】期待度昇格演出における演出動作例を示す図である。
【図４１】期待度昇格演出における演出動作例を示す図である。
【図４２】期待度昇格演出における演出動作例を示す図である。
【図４３】再変動による各種演出の昇格動作例を示す図である。
【発明を実施するための形態】
【００１４】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１５】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂはそれぞれ、例えば７セグメント（あるいは小数点「．」を含む８セグメント）やドットマトリクスのＬＥＤ（発光ダイオード）等から構成され、可変表示ゲームの一例となる特図ゲームにおいて、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂはそれぞれ、「０」〜「９」を示す数字や「−」を示す記号等から構成される複数種類の特別図柄を可変表示する。なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターンが、複数種類の特別図柄として予め設定されていればよい。
【００１６】
複数種類の特別図柄には、それぞれに対応した図柄番号が付されている。一例として、「０」〜「９」を示す数字それぞれには、「０」〜「９」の図柄番号が付され、「−」を示す記号には、「１０」の図柄番号が付されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。
【００１７】
第１特別図柄表示装置４Ａと第２特別図柄表示装置４Ｂはともに、例えば方形状に形成されている。なお、第１特図の種類と第２特図の種類は同じ（例えば、ともに「０」〜「９」を示す数字、及び、「−」を示す記号）であってもよいし、種類が異なっていてもよい。また、第１特別図柄表示装置４Ａと第２特別図柄表示装置４Ｂはそれぞれ、例えば「００」〜「９９」を示す数字（あるいは２桁の記号）を可変表示するように構成されていてもよい。
【００１８】
遊技盤２における遊技領域の中央付近には、画像表示装置５が設けられている。画像表示装置５は、例えばＬＣＤ（液晶表示装置）等から構成され、各種の演出画像を表示する表示領域（表示画面）を形成している。画像表示装置５の画面上では、特図ゲームにおける第１特別図柄表示装置４Ａによる第１特図の可変表示や第２特別図柄表示装置４Ｂによる第２特図の可変表示のそれぞれに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００１９】
一例として、画像表示装置５の画面上には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２０】
このように、画像表示装置５の画面上では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２１】
「左」、「中」、「右」の各飾り図柄表示エリア５Ｌ、５Ｃ、５Ｒにて可変表示される飾り図柄には、例えば８種類の図柄（英数字「１」〜「８」あるいは漢数字や、英文字、所定の題材やテーマに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい）で構成される。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２２】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２３】
画像表示装置５の画面上には、始動入賞記憶表示エリア５Ｈが配置されている。始動入賞記憶表示エリア５Ｈでは、特図ゲームに対応した可変表示の保留数（特図保留記憶数）を特定可能に表示する保留記憶表示が行われる。ここで、特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２４】
図１に示す例では、始動入賞記憶表示エリア５Ｈとともに、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２５】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、第１始動領域とは異なる始動領域（第２始動領域）としての第２始動入賞口を形成する。
【００２６】
一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。このように、第２始動領域としての第２始動入賞口は、遊技球が通過（進入）しやすい拡大開放状態と、遊技球が通過（進入）しにくいまたは通過（進入）できない通常開放状態とに変化する。
【００２７】
普通入賞球装置６Ａに形成された第１始動入賞口を通過（進入）した遊技球は、例えば図２に示す第１始動口スイッチ２２Ａによって検出される。普通可変入賞球装置６Ｂに形成された第２始動入賞口を通過（進入）した遊技球は、例えば図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００２８】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００２９】
一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。このように、特定領域としての大入賞口は、遊技球が通過（進入）しやすく遊技者にとって有利な開放状態と、遊技球が通過（進入）できず遊技者にとって不利な閉鎖状態とに変化する。なお、遊技球が大入賞口を通過（進入）できない閉鎖状態に代えて、あるいは閉鎖状態の他に、遊技球が大入賞口を通過（進入）しにくい一部開放状態を設けてもよい。
【００３０】
大入賞口を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３１】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００３２】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３３】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３４】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００３５】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３６】
下皿を形成する部材には、例えば下皿本体の上面における手前側の所定位置（例えば下皿の中央部分）などに、遊技者が把持して傾倒操作が可能なスティックコントローラ３１Ａが取り付けられている。スティックコントローラ３１Ａは、遊技者が把持する操作桿を含み、操作桿の所定位置（例えば遊技者が操作桿を把持したときに操作手の人差し指が掛かる位置など）には、トリガボタンが設けられている。トリガボタンは、遊技者がスティックコントローラ３１Ａの操作桿を操作手（例えば左手など）で把持した状態において、所定の操作指（例えば人差し指など）で押引操作することなどにより所定の指示操作ができるように構成されていればよい。操作桿の内部には、トリガボタンに対する押引操作などによる所定の指示操作を検知するトリガセンサが内蔵されていればよい。
【００３７】
スティックコントローラ３１Ａの下部における下皿の本体内部などには、操作桿に対する傾倒操作を検知する傾倒方向センサユニットが設けられていればよい。例えば、傾倒方向センサユニットは、パチンコ遊技機１と正対する遊技者の側からみて操作桿の中心位置よりも左側で遊技盤２の盤面と平行に配置された２つの透過形フォトセンサ（平行センサ対）と、この遊技者の側からみて操作桿の中心位置よりも右側で遊技盤２の盤面と垂直に配置された２つの透過形フォトセンサ（垂直センサ対）とを組み合わせた４つの透過形フォトセンサを含んで構成されていればよい。
【００３８】
上皿を形成する部材には、例えば上皿本体の上面における手前側の所定位置（例えばスティックコントローラ３１Ａの上方）などに、遊技者が押下操作などにより所定の指示操作を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサが設けられていればよい。
【００３９】
次に、パチンコ遊技機１における遊技の進行を概略的に説明する。
【００４０】
パチンコ遊技機１では、遊技領域に設けられた通過ゲート４１を通過した遊技球が図２に示すゲートスイッチ２１によって検出されたことといった、普通図柄表示器２０にて普通図柄の可変表示を実行するための普図始動条件が成立した後に、例えば前回の普図ゲームが終了したことといった、普通図柄の可変表示を開始するための普図開始条件が成立したことに基づいて、普通図柄表示器２０による普図ゲームが開始される。
【００４１】
この普図ゲームでは、普通図柄の変動を開始させた後、普図変動時間となる所定時間が経過すると、普通図柄の可変表示結果となる確定普通図柄を停止表示（導出表示）する。このとき、確定普通図柄として、例えば「７」を示す数字といった、特定の普通図柄（普図当り図柄）が停止表示されれば、普通図柄の可変表示結果が「普図当り」となる。その一方、確定普通図柄として、例えば「７」を示す数字以外の数字や記号といった、普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる拡大開放制御（傾動制御）が行われ、所定時間が経過すると垂直位置に戻る通常開放制御が行われる。
【００４２】
普通入賞球装置６Ａに形成された第１始動入賞口を通過（進入）した遊技球が図２に示す第１始動口スイッチ２２Ａによって検出される始動入賞（第１始動入賞）の発生などにより第１始動条件が成立した後に、例えば前回の特図ゲームや大当り遊技状態が終了したことなどにより第１開始条件が成立したことに基づいて、第１特別図柄表示装置４Ａによる特図ゲームが開始される。また、普通可変入賞球装置６Ｂに形成された第２始動入賞口を通過（進入）した遊技球が図２に示す第２始動口スイッチ２２Ｂによって検出される始動入賞（第２始動入賞）の発生などにより第２始動条件が成立した後に、例えば前回の特図ゲームや大当り遊技状態が終了したことなどにより第２開始条件が成立したことに基づいて、第２特別図柄表示装置４Ｂによる特図ゲームが開始される。
【００４３】
第１特別図柄表示装置４Ａや第２特別図柄表示装置４Ｂによる特図ゲームでは、特別図柄の可変表示を開始させた後、特図変動時間としての可変表示時間が経過すると、特別図柄の可変表示結果となる確定特別図柄（特図表示結果）を導出表示する。このとき、確定特別図柄として特定の特別図柄（大当り図柄）が停止表示されれば、特定表示結果としての「大当り」となり、大当り図柄とは異なる特別図柄が確定特別図柄として停止表示されれば「ハズレ」となる。
【００４４】
特図ゲームでの可変表示結果が「大当り」になった後には、遊技者にとって有利なラウンド（「ラウンド遊技」ともいう）を所定回数実行する特定遊技状態としての大当り遊技状態に制御される。この実施の形態におけるパチンコ遊技機１では、一例として、「３」または「７」の数字を示す特別図柄を大当り図柄とし、「−」の記号を示す特別図柄をハズレ図柄としている。なお、第１特別図柄表示装置４Ａによる特図ゲームにおける大当り図柄やハズレ図柄といった各図柄は、第２特別図柄表示装置４Ｂによる特図ゲームにおける各図柄とは異なる特別図柄となるようにしてもよいし、双方の特図ゲームにおいて共通の特別図柄が大当り図柄やハズレ図柄となるようにしてもよい。
【００４５】
特図ゲームにおける確定特別図柄として大当り図柄が停止表示されて特定表示結果としての「大当り」となった後、大当り遊技状態において、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１状態（開放状態）とするラウンドが実行される。
【００４６】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２状態（閉鎖状態）に変化させて、１回のラウンドを終了させる。大入賞口の開放サイクルであるラウンドは、その実行回数が所定の上限回数（例えば「１５」あるいは「７」など）に達するまで、繰り返し実行可能となっている。なお、ラウンドの実行回数が上限回数に達する前であっても、所定条件の成立（例えば大入賞口に遊技球が入賞しなかったことなど）により、ラウンドの実行が終了するようにしてもよい。
【００４７】
ラウンドの実行回数が「１５」となる１５Ｒ大当り状態における遊技は、１５回開放遊技とも称される。この実施の形態において、大当り図柄となる「３」や「７」の数字を示す特別図柄は、いずれも１５Ｒ大当り図柄となり、特図ゲームにおける確定特別図柄として導出表示されたときには、１５Ｒ大当り状態に制御される。
【００４８】
大当り図柄のうちで「３」の数字を示す特別図柄が特図ゲームにおける確定特別図柄として停止表示されたことに基づき１５Ｒ大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回）の特図ゲームが実行されることと、可変表示結果が「大当り」となることのうち、いずれかの条件が先に成立したときに、終了すればよい。こうした「３」の数字を示す特別図柄のように、特図ゲームにおける確定特別図柄として停止表示されたことに基づく大当り遊技状態が終了した後に時短状態に制御される大当り図柄は、非確変大当り図柄（「通常大当り図柄」ともいう）と称される。また、大当り図柄のうち非確変大当り図柄が停止表示されて可変表示結果が「大当り」となることは、「非確変大当り」（「通常大当り」ともいう）と称される。
【００４９】
大当り図柄のうちで「７」の数字を示す特別図柄が特図ゲームにおける特別図柄として停止表示されたことに基づき１５Ｒ大当り状態が終了した後には、時短状態とは異なる特別遊技状態の１つとして、例えば通常状態に比べて特図変動時間が短縮される時間短縮制御とともに、継続して確率変動制御（確変制御）が行われる確変状態（高確率状態）に制御される。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続すればよい。確変状態における時短制御は、時短状態の場合と同様に、所定回数（例えば１００回）の特図ゲームが実行されたときに、終了してもよい。あるいは、確変状態における時短制御は、特図ゲームの実行回数にかかわりなく、次に可変表示結果が「大当り」となるまで継続してもよい。
【００５０】
一例として、「７」の数字を示す特別図柄が特図ゲームにおける確定特別図柄として停止表示されたことに基づく大当り遊技状態が終了した後には、確変状態となって確変制御と時短制御がともに開始され、可変表示結果が「大当り」となることなく特図ゲームの実行回数が所定回数に達したときには、時短制御を終了させる。その一方で、確変制御は、次に可変表示結果が「大当り」となるまで継続させる。他の一例として、「７」の数字を示す特別図柄が特図ゲームにおける確定特別図柄として停止表示されたことに基づく大当り遊技状態が終了した後には、確変状態となって確変制御と時短制御がともに開始され、可変表示結果が「大当り」となることなく特図ゲームの実行回数が所定回数に達したときには、確変制御と時短制御をともに終了させてもよい。
【００５１】
こうした「７」の数字を示す特別図柄のように、特図ゲームにおける確定特別図柄として停止表示されたことに基づく大当り遊技状態が終了した後に確変状態に制御される大当り図柄は、確変大当り図柄と称される。また、大当り図柄のうち確変大当り図柄が停止表示されて可変表示結果が「大当り」となることは、「確変大当り」と称される。なお、非確変大当り図柄「３」や確変大当り図柄「７」は、一例であり、各大当り図柄はこれらに限定されない。例えば、遊技者に大当り図柄であることや、大当り種別を認識されないようにするために、大当り図柄を数字とせずに予め定められた記号（例えば「コ」など）にしてもよい。
【００５２】
確変制御とともに時短制御が行われる確変状態は、高確高ベース状態とも称される。また、確変制御のみが行われて時短制御が行われない確変状態は、高確低ベース状態とも称される。さらに、確変制御が行われずに時短制御のみが行われる時短状態は、低確高ベース状態とも称される。確変制御と時短制御がいずれも行われない通常状態は、低確低ベース状態とも称される。このように、確変状態のうちには、確変制御とともに時短制御が行われる高確高ベース状態の他に、確変制御のみが行われて時短制御が行われない高確低ベース状態が含まれていてもよい。
【００５３】
確変状態や時短状態では、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御といった、遊技球が第２始動入賞口を通過（進入）しやすくして第２始動条件が成立する可能性を高めることで遊技者にとって有利となる制御が行われる。なお、確変状態や時短状態では、これらの制御のいずれか１つが行われるようにしてもよいし、複数の制御が組み合わせられて行われるようにしてもよい。このように、確変状態や時短状態において第２始動入賞口に遊技球が進入しやすくして遊技者にとって有利となる制御は、高開放制御ともいう。
【００５４】
高開放制御が行われることにより、第２始動入賞口は、高開放制御が行われていないときよりも拡大開放状態となる頻度が高められる。これにより、第２特別図柄表示装置４Ｂにおける第２特図を用いた特図ゲームを実行するための第２始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。時短制御と高開放制御は、それらの開始と終了が同時に（連動して）行われる一方で、確変制御の開始と終了は、時短制御や高開放制御の開始や終了と必ずしも連動するものでなくてもよい。時短制御と高開放制御がともに行われている遊技状態を、高ベース状態ともいい、高ベース状態であることを高ベース中であるともいう。
【００５５】
パチンコ遊技機１では、可変表示結果が「大当り」となったことに基づき、大当り遊技状態に制御されてラウンドが実行され、開放状態となった大入賞口に遊技球を入賞させて遊技者が多数の賞球を容易に得られるという、遊技者にとって有利な遊技価値が付与される。また、確変状態や時短状態では、通常状態に比べて大当り遊技状態になりやすくなるという、遊技者にとって有利な遊技価値が付与される。その他にも、大当り遊技状態にて実行可能なラウンドの上限回数が第２ラウンド数（例えば「２」）よりも多い第１ラウンド数（例えば「１５」）となることや、時短状態にて実行可能な特図ゲームの上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に制御される回数である連チャン回数が第２連チャン数（例えば「５」）よりも多い第１連チャン数（例えば「１０」）となることといった、様々な遊技価値が付与されることがある。こうした所定の遊技価値が付与されるか否かは、例えば特図ゲームにおける可変表示結果となる確定大当り図柄といった、所定図柄の表示結果に応じて定められるものであればよい。
【００５６】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ状態となることがある。
【００５７】
リーチ状態とは、画像表示装置５の画面上にて停止表示された飾り図柄が大当り組合せの一部を構成しているときに未だ停止表示されていない飾り図柄（「リーチ変動図柄」ともいう）については変動が継続している表示状態、あるいは、一部または全部の飾り図柄が大当り組合せの一部または全部を構成しながら同期して変動している表示状態のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示状態、あるいは、「左」、「中」、「右」の飾り図柄表示エリア５Ｌ、５Ｃ、５Ｒにおける一部または全部で飾り図柄が大当り組合せの一部または全部を構成しながら同期して変動している表示状態である。
【００５８】
リーチ状態となったことに対応して、飾り図柄の変動速度を低下させたり、画像表示装置５の画面上に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ状態となる以前とは異なる演出動作が実行される場合がある。このようなキャラクタ画像の表示や背景画像の表示態様の変化、動画像の再生表示、飾り図柄の変動態様の変化といった演出動作のいずれか、あるいは、これらの一部または全部の組合せといった演出動作を、リーチ演出表示（あるいは単にリーチ演出）という。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ状態となる以前の動作態様とは異なる動作態様とすることが、含まれていてもよい。
【００５９】
リーチ演出における演出動作としては、互いに動作態様（リーチ態様）が異なる複数種類の演出パターン（「リーチパターン」ともいう）が、予め用意されていればよい。そして、それぞれのリーチ態様では「大当り」となる可能性（「大当り期待度」あるいは「大当り信頼度」ともいう）が異なる。すなわち、複数種類のリーチ演出のいずれが実行されるかに応じて、可変表示結果が「大当り」となる可能性を異ならせることができる。
【００６０】
この実施の形態では、一例として、ノーマル、スーパーＡ、スーパーＢといったリーチ態様が予め設定されている。そして、スーパーＡやスーパーＢといったスーパーリーチのリーチ態様が出現した場合には、ノーマルのリーチ態様が出現した場合に比べて、可変表示結果が「大当り」となる可能性（大当り期待度）が高くなる。
【００６１】
飾り図柄の可変表示中には、リーチ演出とは異なり、飾り図柄の可変表示状態がリーチ状態となる可能性があることや、可変表示結果が「大当り」となる可能性があることなどを、飾り図柄の可変表示態様などにより遊技者に報知するための可変表示演出が実行されることがある。一例として、飾り図柄の可変表示中には「擬似連」の可変表示演出が実行可能であればよい。「擬似連」の可変表示演出は、主基板１１の側で変動パターンが決定されることなどに対応して実行するか否かが決定されればよい。
【００６２】
「擬似連」の可変表示演出では、特図ゲームの開始条件が１回成立したことに対応して、飾り図柄の可変表示が開始されてから可変表示結果となる確定飾り図柄（最終停止図柄）が導出されるまでに、「左」、「中」、「右」の飾り図柄表示エリア５Ｌ、５Ｃ、５Ｒにおける全部にて飾り図柄を一旦仮停止表示させた後、全部の飾り図柄表示エリア５Ｌ、５Ｃ、５Ｒにて飾り図柄を再び変動（擬似連変動）させる演出表示を、所定回（例えば最大３回まで）行うことができる。擬似連変動の回数は、飾り図柄の可変表示が開始されてから全部の飾り図柄が最初に一旦仮停止するまでの初回変動を除く、「左」、「中」、「右」の飾り図柄表示エリア５Ｌ、５Ｃ、５Ｒにおける全部にて飾り図柄が再変動する回数である。
【００６３】
「擬似連」の可変表示演出では、一例として、「左」、「中」、「右」の飾り図柄表示エリア５Ｌ、５Ｃ、５Ｒにて、特殊組合せの擬似連チャンス目として予め定められた複数種類のハズレ組合せのいずれかとなる飾り図柄が仮停止表示される。例えば擬似連チャンス目のうちで「中」の飾り図柄表示エリア５Ｃに停止表示される飾り図柄（中図柄）は、各回の擬似連変動（再可変表示）が実行される以前に停止表示（仮停止表示）される飾り図柄であって、例えば通常時における飾り図柄の可変表示では使用されない所定の表示色（例えば赤色など）を有する星型などの記号を含む特殊な飾り図柄（擬似連図柄となるカード図柄）となっている。
【００６４】
カード図柄（擬似連図柄）を停止表示することのように、「擬似連」の可変表示演出において初回変動を含む複数回の変動表示に伴って実行される画像表示などの所定演出は、再変動演出という。なお、再変動演出は、画像表示装置５の画面上（例えば「中」の飾り図柄表示エリア５Ｃ）にて画像表示（例えばカード図柄の仮停止表示）を行うことによるものに限定されず、各種の演出装置を用いた任意の演出動作を含んでいてもよい。
【００６５】
画像表示とは異なる再変動演出の一例として、「擬似連」の可変表示演出による各変動表示（初回変動を含む）の期間中に、遊技領域の内部または外部に設けられた複数の装飾用ＬＥＤのうちで点灯されるものが１つずつ増えていくように制御されてもよい。また、各変動表示（初回変動を含む）の期間中に、装飾用ＬＥＤの表示色が変化するように制御されてもよいし、複数の装飾用ＬＥＤのうちで点灯されるものが変化するように制御されてもよい。
【００６６】
画像表示とは異なる再変動演出のさらなる一例として、「擬似連」の可変表示演出による各変動表示（初回変動を含む）の期間中に、遊技領域の内部または外部に設けられた演出用模型（可動部材）が動作するように制御されてもよい。このとき、各変動表示（初回変動を含む）の期間中に、演出用模型（可動部材）の動作態様が変化するように制御されてもよいし、複数の演出用模型（可動部材）のうちで動作するものが変化するように制御されてもよい。
【００６７】
再変動演出として、カード図柄（擬似連図柄）といった特殊な飾り図柄を停止表示することに代えて、あるいは特殊な飾り図柄の停止表示とともに、「擬似連」の可変表示演出による各変動表示（初回変動を含む）の期間中に、画像表示装置５の画面上に特定のキャラクタ画像といった所定の演出画像を表示するように制御されてもよい。また、再変動演出として、例えば擬似連チャンス目となる飾り図柄が仮停止表示されるときなどに、特殊な効果音となる音声をスピーカ８Ｌ、８Ｒから出力するように制御されてもよい。こうした再変動演出の一部または全部に加えて、あるいは、これらの再変動演出の一部または全部に代えて、装飾用ＬＥＤの点灯や点滅、演出用模型の動作、演出画像の表示、効果音の出力のうち、一部または全部を組み合わせた再変動演出を実行するように制御されてもよい。このとき、１種類の演出態様のみで再変動演出が実行される場合よりも、複数種類の演出態様を組み合わせた再変動演出が実行される期間を含んでいる場合や、複数回の再変動演出における演出態様が変化する場合に、可変表示結果が「大当り」となる可能性（大当り期待度）といった、所定の遊技価値が付与される可能性が高まるようにしてもよい。
【００６８】
この実施の形態では、「擬似連」の可変表示演出において、擬似連変動（再変動）が１回〜３回行われることにより、第１開始条件あるいは第２開始条件が１回成立したことに基づき、飾り図柄の可変表示があたかも２回〜４回続けて開始されたかのように見せることができる。そして、擬似連変動（再変動）の繰返し実行回数（擬似連回数）が多くなったときには、擬似連回数が少ないときよりも、可変表示結果が「大当り」となる可能性（大当り期待度）が高くなる。また、擬似連変動の繰返し実行回数（擬似連回数）によって演出の発生割合が変化するように制御されてもよい。例えば擬似連変動が２回行われることにより「リーチ確定」となり、擬似連変動が３回行われることにより「スーパーリーチ確定」となるようにしてもよい。なお、「擬似連」の可変表示演出における擬似連変動（再変動）の回数は、例えば４回や５回といった、１回〜３回よりも多くの回数まで実行できるようにしてもよい。
【００６９】
こうした飾り図柄の可変表示動作を利用した可変表示演出としては、「擬似連」の他にも、例えば「滑り」や「発展チャンス目」、「発展チャンス目終了」、「チャンス目停止後滑り」といった、各種の演出動作が実行されてもよい。ここで、「滑り」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を変動させてから、単一または複数の飾り図柄表示エリア（例えば「左」及び「右」の飾り図柄表示エリア５Ｌ、５Ｒなど）にて飾り図柄を仮停止表示させた後、その仮停止表示した飾り図柄表示エリアのうち所定数（例えば「１」または「２」）の飾り図柄表示エリア（例えば「左」の飾り図柄表示エリア５Ｌと「右」の飾り図柄表示エリア５Ｒのいずれか一方または双方）にて飾り図柄を再び変動させた後に停止表示させることで、停止表示する飾り図柄を変更させる演出表示が行われる。
【００７０】
「発展チャンス目」の可変表示演出では、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて、予め定められた特殊組合せに含まれる発展チャンス目を構成する飾り図柄を仮停止表示させた後、飾り図柄の可変表示状態をリーチ状態として所定のリーチ演出が開始される。一方、「発展チャンス目終了」の可変表示演出では、飾り図柄の可変表示が開始された後に、「左」、「中」、「右」の飾り図柄表示エリア５Ｌ、５Ｃ、５Ｒにおける全部にて、発展チャンス目として予め定められた組合せの飾り図柄を、確定飾り図柄として導出表示させる演出表示が行われる。「チャンス目停止後滑り」の可変表示演出では、「擬似連」の可変表示演出と同様に、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて擬似連チャンス目となるハズレ組合せ（特殊組合せ）の飾り図柄を一旦仮停止表示させた後、飾り図柄表示エリア５Ｌ、５Ｃ、５Ｒの全部にて飾り図柄を再び変動させる「擬似連」の可変表示演出とは異なり、飾り図柄表示エリア５Ｌ、５Ｃ、５Ｒの一部にて飾り図柄を再び変動させることで、停止表示する飾り図柄を変更させる演出表示が行われる。
【００７１】
飾り図柄の可変表示中には、リーチ演出あるいは「擬似連」などの可変表示演出とは異なり、例えば所定の演出画像を表示することや、メッセージとなる画像表示や音声出力などのように、飾り図柄の可変表示動作とは異なる演出動作により、飾り図柄の可変表示状態がリーチ状態となる可能性があることや、スーパーリーチによるリーチ演出が実行される可能性があること、可変表示結果が「大当り」となる可能性があることなどを、遊技者に予め告知するための予告演出が実行されることがある。予告演出となる演出動作は、「左」、「中」、「右」の飾り図柄表示エリア５Ｌ、５Ｃ、５Ｒの全部にて飾り図柄の可変表示が開始されてから、飾り図柄の可変表示状態がリーチ状態となるより前（「左」及び「右」の飾り図柄表示エリア５Ｌ、５Ｒにて飾り図柄が仮停止表示されるより前）に実行（開始）されるものであればよい。また、可変表示結果が「大当り」となる可能性があることを報知する予告演出には、飾り図柄の可変表示状態がリーチ状態となった後に実行されるものが含まれていてもよい。このように、予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。
【００７２】
飾り図柄の可変表示中においては、リーチ演出や再変動演出、予告演出といった各種演出が実行され、これらの演出における演出態様に応じて可変表示結果が「大当り」となる可能性（大当り期待度）が異なる。こうした大当り期待度に応じて演出態様が異なる各種演出は、示唆演出ともいう。この実施の形態では、示唆演出が実行された後の特定タイミングにて期待度昇格演出を実行することにより、既に実行された示唆演出の演出態様を示す演出が、大当り期待度のより高い演出態様を示す演出に変更されたことを報知できる。すなわち、期待度昇格演出は、先行して実行された示唆演出にて所定の大当り期待度に対応した演出態様となった後に、その演出態様の変更を報知してより高い大当り期待度であることを認識可能にする。
【００７３】
期待度昇格演出は、既に実行された示唆演出が終了した後の特定タイミングにて、あるいは、先に開始された示唆演出が継続して実行されている特定タイミングにて、実行されるものであればよい。すなわち、期待度昇格演出は、先に示唆演出が実行される所定期間より後に、あるいは、示唆演出の実行が開始される所定タイミングより後に、特定タイミングとなることで実行が開始されるものであればよい。また、示唆演出のうちには、例えば予告演出のように、いずれかの演出態様で実行されたときに、その演出自体が実行されないときよりも大当り期待度が高くなるものがある。この場合、所定期間あるいは所定タイミングにて実行可能な示唆演出が実行されなかったときでも、所定期間あるいは所定タイミングより後の特定タイミングにて、期待度昇格演出が実行されて示唆演出の演出態様を報知することで、大当り期待度が高められたことを遊技者が認識できるようにしてもよい。さらに、期待度昇格演出のうちには、示唆演出の演出態様が変更されることを報知して、大当り期待度が高められたことを認識可能にする昇格成功演出だけでなく、示唆演出の演出態様が変更されないことを報知して、大当り期待度が高められないことを認識可能にする昇格失敗演出が含まれてもよい。昇格失敗演出としては、示唆演出の演出態様が変更されないものだけでなく、大当り期待度がより低い演出態様に変更されたことを報知するものがあってもよい。あるいは、示唆演出の演出態様が変更されるか否かを報知しないことにより、大当り期待度が高められないことを認識可能にする昇格失敗演出が含まれてもよい。
【００７４】
特図ゲームにおける確定特別図柄として、ハズレ図柄となる特別図柄が停止表示される場合には、飾り図柄の可変表示が開始されてから、飾り図柄の可変表示状態がリーチ状態とならずに、所定の非リーチ組合せとなる確定飾り図柄が停止表示されることがある。このような飾り図柄の可変表示態様は、可変表示結果が「ハズレ」となる場合における「非リーチ」（「リーチ無しハズレ」ともいう）の可変表示態様と称される。
【００７５】
特図ゲームにおける確定特別図柄として、ハズレ図柄となる特別図柄が停止表示される場合には、飾り図柄の可変表示が開始されてから、飾り図柄の可変表示状態がリーチ状態となったことに対応して、リーチ演出が実行された後に、所定のリーチ組合せ（リーチハズレ組合せともいう）となる確定飾り図柄が停止表示されることがある。このような飾り図柄の可変表示結果は、可変表示結果が「ハズレ」となる場合における「リーチ」（「リーチハズレ」ともいう）の可変表示態様と称される。なお、非リーチ組合せとなる確定飾り図柄と、リーチ組合せとなる確定飾り図柄は、まとめてハズレ組合せ（非特定の組合せ）の確定飾り図柄ともいう。
【００７６】
特図ゲームにおける確定特別図柄として、大当り図柄のうち非確変大当り図柄である「３」の数字を示す特別図柄が停止表示される場合には、飾り図柄の可変表示状態がリーチ状態となったことに対応して、所定のリーチ演出が実行された後などに、所定の非確変大当り組合せ（「通常大当り組合せ」ともいう）となる確定飾り図柄が停止表示される。非確変大当り組合せとなる確定飾り図柄は、例えば画像表示装置５における「左」、「中」、「右」の飾り図柄表示エリア５Ｌ、５Ｃ、５Ｒにて可変表示される図柄番号が「１」〜「８」の飾り図柄のうち、図柄番号が偶数「２」、「４」、「６」、「８」である飾り図柄のいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。このように非確変大当り組合せを構成する図柄番号が偶数「２」、「４」、「６」、「８」である飾り図柄は、非確変図柄（「通常図柄」ともいう）と称される。
【００７７】
特図ゲームにおける確定特別図柄が非確変大当り図柄となることに対応して、所定のリーチ演出が実行された後などに、非確変大当り組合せの確定飾り図柄が停止表示される飾り図柄の可変表示態様は、可変表示結果が「大当り」となる場合における「非確変大当り」の可変表示態様と称され、大当り種別が「非確変」であるともいう。こうして「非確変大当り」の可変表示態様により可変表示結果が「大当り」となった後には、大当り遊技状態に制御され、その大当り遊技状態が終了すると、時短状態に制御される。
【００７８】
特図ゲームにおける確定特別図柄として、大当り図柄のうち確変大当り図柄である「７」の数字を示す特別図柄が停止表示される場合には、飾り図柄の可変表示状態がリーチ状態となったことに対応して、所定のリーチ演出が実行された後などに、所定の非確変大当り組合せとなる確定飾り図柄が停止表示されることがある。また、この場合には、飾り図柄の可変表示状態がリーチ状態となったことに対応して、所定のリーチ演出が実行された後などに、所定の確変大当り組合せとなる確定飾り図柄が停止表示されることがある。確変大当り組合せとなる確定飾り図柄は、例えば画像表示装置５における「左」、「中」、「右」の飾り図柄表示エリア５Ｌ、５Ｃ、５Ｒにて可変表示される図柄番号が「１」〜「８」の飾り図柄のうち、図柄番号が奇数「１」、「３」、「５」、「７」である飾り図柄のいずれか１つが、「左」、「中」、「右」の飾り図柄表示エリア５Ｌ、５Ｃ、５Ｒにて所定の有効ライン上に揃って停止表示されるものであり、大当り組合せとなる確定飾り図柄の一類型であればよい。このように確変大当り組合せを構成する図柄番号が奇数「１」、「３」、「５」、「７」である飾り図柄は、確変図柄と称される。
【００７９】
特図ゲームにおける確定特別図柄として確変大当り図柄が停止表示される場合には、飾り図柄の可変表示中に非確変大当り組合せとなる飾り図柄が一旦表示されて、可変表示中に再抽選演出が実行されたり、その後の大当り遊技状態中や大当り遊技状態の終了時に大当り中昇格演出が実行されたりして、確変状態となる制御の開始が報知されることがある。なお、再抽選演出や大当り中昇格演出が実行されずに、確変状態となる制御の開始が報知されてもよい。こうした飾り図柄の可変表示態様は、可変表示結果が「大当り」となる場合における「確変大当り」の可変表示態様と称され、大当り種別が「確変」であるともいう。こうして「確変大当り」の可変表示態様により可変表示結果が「大当り」となった後には、大当り遊技状態に制御され、その大当り遊技状態が終了すると、確変状態に制御される。
【００８０】
確変状態や時短状態では、例えば「確変中」や「時短中」といった確変状態や時短状態であることを報知する演出画像を画像表示装置５の画面上に表示させることや、画像表示装置５の画面上における背景画像や飾り図柄の表示態様を通常の演出モードにおける表示態様とは異なるものとすることなどにより、確変状態や時短状態であることを遊技者が認識できる演出モードとなるようにしてもよい。あるいは、確変状態では、例えば通常状態と同様の演出モードとなることにより、確変状態であることを遊技者が認識不可能あるいは認識困難になることがあってもよい（いわゆる潜伏確変）。
【００８１】
次に、パチンコ遊技機１の内部構成を説明する。
【００８２】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤２などの背面には、例えば払出制御基板、情報端子基板、発射制御基板、インタフェース基板などといった、各種の基板が配置されている。
【００８３】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００８４】
主基板１１には、例えば遊技制御用マイクロコンピュータ１００や、遊技球検出用の各種スイッチからの検出信号を取り込んで遊技制御用マイクロコンピュータ１００に伝送するスイッチ回路１１０、遊技制御用マイクロコンピュータ１００からのソレノイド駆動信号をソレノイド８１、８２に伝送するソレノイド回路１１１などが搭載されている。
【００８５】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９といった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９などにおける点灯／消灯動作の全部または一部といった、演出用の電気部品に所定の演出動作を実行させるための制御内容を決定する機能を備えている。
【００８６】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９などにおける点灯／消灯駆動を行うランプドライバ回路などが搭載されている。
【００８７】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００８８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。
【００８９】
図３（Ａ）は、この実施の形態で用いられる演出制御コマンドの内容の一例を示す説明図である。演出制御コマンドは、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」とされ、ＥＸＴデータの先頭ビットは「０」とされる。なお、図３（Ａ）に示されたコマンド形態は一例であって、他のコマンド形態を用いてもよい。また、この例では、制御コマンドが２つの制御信号で構成されることになるが、制御コマンドを構成する制御信号数は、１であってもよいし、３以上の複数であってもよい。
【００９０】
図３（Ａ）に示す例において、コマンド８００１Ｈは、第１特別図柄表示装置４Ａにおける第１特図を用いた特図ゲームにおける変動開始を指定する第１変動開始コマンドである。コマンド８００２Ｈは、第２特別図柄表示装置４Ｂにおける第２特図を用いた特図ゲームにおける変動開始を指定する第２変動開始コマンドである。コマンド８１ＸＸＨは、特図ゲームにおける特別図柄の可変表示に対応して画像表示装置５における「左」、「中」、「右」の各飾り図柄表示エリア５Ｌ、５Ｃ、５Ｒで可変表示される飾り図柄などの変動パターンを指定する変動パターン指定コマンドである。ここで、ＸＸＨは不特定の１６進数であることを示し、演出制御コマンドによる指示内容に応じて任意に設定される値であればよい。変動パターン指定コマンドでは、指定する変動パターンなどに応じて、異なるＥＸＴデータが設定される。
【００９１】
コマンド８ＣＸＸＨは、特別図柄や飾り図柄などの可変表示結果を指定する可変表示結果通知コマンドである。可変表示結果通知コマンドでは、例えば図３（Ｂ）に示すように、可変表示結果が「ハズレ」であるか「大当り」であるかの決定結果（事前決定結果）や、可変表示結果が「大当り」となる場合の大当り種別を複数種類のいずれとするかの決定結果（大当り種別決定結果）に応じて、異なるＥＸＴデータが設定される。より具体的には、コマンド８Ｃ００Ｈは、可変表示結果が「ハズレ」となる旨の事前決定結果を示す第１可変表示結果通知コマンドである。コマンド８Ｃ０１Ｈは、可変表示結果が「大当り」で大当り種別が「非確変」となる旨の事前決定結果及び大当り種別決定結果を通知する第２可変表示結果通知コマンドである。コマンド８Ｃ０２Ｈは、可変表示結果が「大当り」で大当り種別が「確変」となる旨の事前決定結果及び大当り種別決定結果を通知する第３可変表示結果通知コマンドである。
【００９２】
コマンド８Ｆ００Ｈは、画像表示装置５における「左」、「中」、「右」の各飾り図柄表示エリア５Ｌ、５Ｃ、５Ｒで飾り図柄の変動停止（確定）を指定する図柄確定コマンドである。コマンドＡ０ＸＸＨは、大当り遊技状態の開始を示す演出画像の表示を指定する当り開始指定コマンド（「ファンファーレコマンド」ともいう）である。コマンドＡ１ＸＸＨは、大当り遊技状態において、大入賞口が開放状態となっている期間であることを通知する大入賞口開放中通知コマンドである。コマンドＡ２ＸＸＨは、大当り遊技状態において、大入賞口が開放状態から閉鎖状態に変化した期間であることを通知する大入賞口開放後通知コマンドである。コマンドＡ３ＸＸＨは、大当り遊技状態の終了時における演出画像の表示を指定する当り終了指定コマンドである。
【００９３】
当り開始指定コマンドや当り終了指定コマンドでは、例えば可変表示結果通知コマンドと同様のＥＸＴデータが設定されることなどにより、事前決定結果や大当り種別決定結果に応じて異なるＥＸＴデータが設定されてもよい。あるいは、当り開始指定コマンドや当り終了指定コマンドでは、事前決定結果及び大当り種別決定結果と設定されるＥＸＴデータとの対応関係を、可変表示結果通知コマンドにおける対応関係とは異ならせるようにしてもよい。大入賞口開放中通知コマンドや大入賞口開放後通知コマンドでは、例えば１５Ｒ大当り状態におけるラウンドの実行回数（例えば「１」〜「１５」）に対応して、異なるＥＸＴデータが設定される。
【００９４】
コマンドＣ１ＸＸＨは、始動入賞記憶表示エリア５Ｈなどにて特図保留記憶数を特定可能に表示するために、第１特図保留記憶数を通知する第１保留記憶数通知コマンドである。コマンドＣ２ＸＸＨは、始動入賞記憶表示エリア５Ｈなどにて特図保留記憶数を特定可能に表示するために、第２特図保留記憶数を通知する第２保留記憶数通知コマンドである。第１保留記憶数通知コマンドは、例えば第１始動入賞口を遊技球が通過（進入）することにより第１始動入賞が発生したときに、第１始動条件が成立したことに基づいて、主基板１１から演出制御基板１２へと送信される。第２保留記憶数通知コマンドは、例えば第２始動入賞口を遊技球が通過（進入）することにより第２始動入賞が発生したときに、第２始動条件が成立したことに基づいて、主基板１１から演出制御基板１２へと送信される。また、第１保留記憶数通知コマンドや第２保留記憶数通知コマンドは、第１開始条件と第２開始条件のいずれかが成立したときに、特図ゲームの実行が開始されることなどに対応して送信されるようにしてもよい。
【００９５】
第１保留記憶数通知コマンドは、第１始動入賞の発生により第１始動条件が成立したときに、第１特図保留記憶数の増加を通知するものとして送信される。また、第２保留記憶数通知コマンドは、第２始動入賞の発生により第２始動条件が成立したときに、第２特図保留記憶数の増加を通知するものとして送信される。
【００９６】
この実施の形態において、第１保留記憶数通知コマンドや第２保留記憶数通知コマンドは、第１始動入賞口と第２始動入賞口とのいずれに始動入賞したかを指定するとともに、第１特図保留記憶数と第２特図保留記憶数とのいずれが増加したかを指定する保留通知情報として送信される。なお、保留記憶数が増加したときに、第１特図保留記憶数または第２特図保留記憶数が増加したことを示す保留記憶数加算指定コマンド（第１保留記憶数加算指定コマンドまたは第２保留記憶数加算指定コマンド）を送信する一方、保留記憶数が減少したときに、第１特図保留記憶数または第２特図保留記憶数が減少したことを示す保留記憶数減算指定コマンド（第１保留記憶数減算指定コマンドまたは第２保留記憶数減算指定コマンド）を送信するようにしてもよい。
【００９７】
第１保留記憶数通知コマンドや第２保留記憶数通知コマンドに代えて、あるいは第１保留記憶数通知コマンドや第２保留記憶数通知コマンドとともに、合計保留記憶数を通知する合計保留記憶数通知コマンドを送信するようにしてもよい。すなわち、合計保留記憶数の増加（または減少）を通知するための合計保留記憶数通知コマンドが用いられてもよい。第１保留記憶数通知コマンドや第２保留記憶数通知コマンドに代えて合計保留記憶数通知コマンドを送信する場合には、第１始動入賞口と第２始動入賞口とのいずれに始動入賞したかを指定する始動口入賞指定コマンドを送信するようにしてもよい。
【００９８】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００９９】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【０１００】
図４は、主基板１１の側においてカウントされる乱数値を例示する説明図である。図４に示すように、この実施の形態では、主基板１１の側において、特図表示結果決定用の乱数値ＭＲ１、大当り種別決定用の乱数値ＭＲ２、変動パターン種別決定用の乱数値ＭＲ３、変動パターン決定用の乱数値ＭＲ４、普図表示結果決定用の乱数値ＭＲ５のそれぞれを示す数値データが、カウント可能に制御される。なお、遊技効果を高めるために、これら以外の乱数値が用いられてもよい。こうした遊技の進行を制御するために用いられる乱数は、遊技用乱数ともいう。
【０１０１】
乱数回路１０４は、これらの乱数値ＭＲ１〜ＭＲ５の一部または全部を示す数値データをカウントするものであればよい。ＣＰＵ１０３は、例えば図１１に示す遊技制御カウンタ設定部１５４に設けられたランダムカウンタといった、乱数回路１０４とは異なるランダムカウンタを用いて、ソフトウェアによって各種の数値データを更新することで、乱数値ＭＲ１〜ＭＲ５の一部を示す数値データをカウントするようにしてもよい。
【０１０２】
特図表示結果決定用の乱数値ＭＲ１は、特図ゲームにおける特別図柄などの可変表示結果を「大当り」として大当り遊技状態に制御するか否かを決定するために用いられる乱数値であり、例えば「１」〜「６５５３５」の範囲の値をとる。大当り種別決定用の乱数値ＭＲ２は、可変表示結果を「大当り」とする場合における飾り図柄の可変表示態様である大当り種別を「第１大当り」または「第２大当り」のいずれかに決定するために用いられる乱数値であり、例えば「１」〜「１００」の範囲の値をとる。
【０１０３】
変動パターン種別決定用の乱数値ＭＲ３は、特別図柄や飾り図柄の可変表示における変動パターン種別を、予め用意された複数種類のいずれかに決定するために用いられる乱数値であり、例えば「１」〜「２５１」の範囲の値をとる。変動パターン決定用の乱数値ＭＲ４は、特別図柄や飾り図柄の可変表示における変動パターンを、予め用意された複数種類のいずれかに決定するために用いられる乱数値であり、例えば「１」〜「９９７」の範囲の値をとる。普図表示結果決定用の乱数値ＭＲ５は、普通図柄表示器２０による普図ゲームにおける可変表示結果を「普図当り」とするか「普図ハズレ」とするかなどの決定を行うために用いられる乱数値であり、例えば「３」〜「１３」の範囲の値をとる。
【０１０４】
図５は、この実施の形態における変動パターンを示している。この実施の形態では、可変表示結果が「ハズレ」となる場合のうち、飾り図柄の可変表示態様が「非リーチ」である場合と「リーチ」である場合のそれぞれに対応して、また、可変表示結果が「大当り」となる場合などに対応して、複数の変動パターンが予め用意されている。なお、可変表示結果が「ハズレ」で飾り図柄の可変表示態様が「非リーチ」である場合に対応した変動パターンは、非リーチ変動パターン（「非リーチハズレ変動パターン」ともいう）と称され、可変表示結果が「ハズレ」で飾り図柄の可変表示態様が「リーチ」である場合に対応した変動パターンは、リーチ変動パターン（「リーチハズレ変動パターン」ともいう）と称される。
【０１０５】
非リーチ変動パターンとリーチ変動パターンは、可変表示結果が「ハズレ」となる場合に対応したハズレ変動パターンに含まれる。可変表示結果が「大当り」である場合に対応した変動パターンは、大当り変動パターンと称される。大当り変動パターンやリーチ変動パターンには、ノーマルのリーチ演出が実行されるノーマルリーチ変動パターンと、スーパーＡのみ、またはスーパーＡに続くスーパーＢといった、スーパーリーチのリーチ演出が実行されるスーパーリーチ変動パターンとがある。
【０１０６】
この実施の形態では、スーパーＡやスーパーＢといったスーパーリーチのリーチ演出が実行される場合に、まずは飾り図柄の可変表示状態がリーチ状態となったことに基づいて、ノーマルのリーチ演出が実行される。その後、スーパーリーチのリーチ演出が実行されることを認識可能に報知する発展演出が実行される。発展演出に続いてスーパーＡのリーチ演出が実行され、スーパーＡのリーチ演出が終了してからスーパーＢのリーチ演出が実行されるというのが、スーパーＢのリーチ演出に至る基本的な演出の進行手順となっている。ただし、スーパーＡのリーチ演出が実行されるより前に期待度昇格演出が実行されてノーマルのリーチ演出をスーパーＢのリーチ演出に変更すると報知された場合には、スーパーＡのリーチ演出が実行されずにスーパーＢのリーチ演出について実行が開始されることもある。
【０１０７】
図６は、この実施の形態における変動パターン種別を示している。図５に示す各変動パターンは、図６に示す複数の変動パターン種別のうち、少なくとも１つの変動パターン種別に含まれている。すなわち、各変動パターン種別は、例えば飾り図柄の可変表示中に実行される演出動作の態様などに基づいて分類（グループ化）された単一または複数の変動パターンを含むように構成されていればよい。
【０１０８】
一例として、複数の変動パターンをリーチ演出の種類（演出態様）で分類（グループ化）して、飾り図柄の可変表示状態がリーチ状態とならない変動パターンが含まれる変動パターン種別と、ノーマルのリーチ演出を伴う変動パターンが含まれる変動パターン種別と、スーパーリーチ（スーパーＡまたはスーパーＢ）のリーチ演出を伴う変動パターンが含まれる変動パターン種別とに分ければよい。また、スーパーＡやスーパーＢのリーチ演出を伴う変動パターンについては、リーチ演出の内容（例えばスーパーＡのみであるかスーパーＢまでも含むか）に応じて、異なる変動パターン種別に分類されるようにしてもよい。あるいは、所定の可変表示演出が実行されるか否かなどに応じて、異なる変動パターン種別に分類されるようにしてもよい。他の一例として、複数の変動パターンを飾り図柄の可変表示時間などに応じて、分類（グループ化）してもよい。複数の変動パターン種別のうちには、共通の変動パターンを含んで構成されたものがあってもよい。
【０１０９】
図６に示すように、各変動パターン種別には、可変表示態様や可変表示の内容に応じて、１つまたは複数の変動パターンが分類される。図５に示す変動パターンの具体的な分類については、例えば図１０に示すような変動パターン決定テーブル１３３の設定から、特定することができる。すなわち、変動パターン決定テーブル１３３において、各変動パターン種別に応じて決定値が割り当てられた変動パターンは、その変動パターン種別に含まれるように分類されている。
【０１１０】
図２に示す遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、図５に示すような変動パターンを複数種類格納する変動パターンテーブルを構成するテーブルデータなどが、記憶されている。
【０１１１】
図７は、ＲＯＭ１０１に記憶される特図表示結果決定テーブル１３０の構成例を示している。特図表示結果決定テーブル１３０は、第１特別図柄表示装置４Ａによる第１特図を用いた特図ゲームや、第２特別図柄表示装置４Ｂによる第２特図を用いた特図ゲームにおいて、可変表示結果となる確定特別図柄が導出表示される以前に、その可変表示結果を「大当り」として大当り遊技状態に制御するか否かを、特図表示結果決定用の乱数値ＭＲ１に基づいて決定するために参照されるテーブルである。
【０１１２】
特図表示結果決定テーブル１３０では、パチンコ遊技機１において確変制御が行われない遊技状態（通常状態または時短状態）であるか、確変制御が行われる遊技状態（確変状態）であるかという確変制御の有無に応じて、特図表示結果決定用の乱数値ＭＲ１と比較される数値（決定値）が、「大当り」や「ハズレ」の特図表示結果に割り当てられている。特図表示結果決定テーブル１３０において、複数種類の特図表示結果に割り当てられた決定値を示すテーブルデータは、特図表示結果を「大当り」として大当り遊技状態に制御するか否かの決定結果に対応した決定用データとなっている。
【０１１３】
図７に示す特図表示結果決定テーブル１３０の設定例では、遊技状態が確変状態（高確状態）である場合の「確変制御あり」に対応して、通常状態または時短状態（低確状態）である場合の「確変制御なし」よりも多くの決定値が「大当り」の特図表示結果に割り当てられている。これにより、パチンコ遊技機１において確変制御が行われる確変状態（高確状態）では、確変制御が行われない通常状態または時短状態（低確状態）であるときに比べて、特図表示結果を「大当り」として大当り遊技状態に制御すると決定される確率が高くなる。すなわち、特図表示結果決定テーブル１３０における決定用データは、パチンコ遊技機１における遊技状態が確変状態であるときに、通常状態や時短状態であるときよりも大当り遊技状態に制御すると決定される確率が高くなるように、大当り遊技状態に制御するか否かの決定結果に割り当てられている。
【０１１４】
この実施の形態では、第１特別図柄表示装置４Ａによる第１特図を用いた特図ゲームであるか、第２特別図柄表示装置４Ｂによる第２特図を用いた特図ゲームであるかにかかわらず、特図表示結果決定テーブル１３０において同一のテーブルデータを参照して特図表示結果が決定される。これに対して、第１特別図柄表示装置４Ａによる特図ゲームの場合と、第２特別図柄表示装置４Ｂによる特図ゲームの場合のそれぞれに対応して、特図表示結果に対する決定値の割当てが異なる決定テーブルを用意してもよい。この場合には、第１特別図柄表示装置４Ａによる特図ゲームの場合と、第２特別図柄表示装置４Ｂによる特図ゲームの場合とでは、所定の特図表示結果（例えば「小当り」など）に対する決定値の割当てを異ならせてもよい。
【０１１５】
図８は、ＲＯＭ１０１に記憶される大当り種別決定テーブル１３１の構成例を示している。大当り種別決定テーブル１３１は、特図表示結果を「大当り」として大当り遊技状態に制御すると決定されたときに、大当り種別決定用の乱数値ＭＲ２に基づき、大当り種別を複数種類のいずれかに決定するために参照されるテーブルである。大当り種別決定テーブル１３１では、大当り種別決定用の乱数値ＭＲ２と比較される数値（決定値）が、「非確変」または「確変」といった大当り種別に割り当てられている。
【０１１６】
大当り種別決定テーブル１３１において、複数種類の大当り種別に割り当てられた決定値を示すテーブルデータは、大当り遊技状態の終了後に確変制御が行われる確変状態とするか否かの決定結果に対応した決定用データとなっている。例えば、「非確変」の大当り種別に割り当てられている決定値を示すテーブルデータは、確変状態に制御しないとの決定結果に対応する一方で、「確変」の大当り種別に割り当てられている決定値を示すテーブルデータは、確変状態に制御するとの決定結果に対応している。大当り種別決定テーブル１３１は、遊技制御バッファ設定部１５５に設けられた大当り種別バッファの格納値（大当り種別バッファ値）を、決定された大当り種別に対応する値（例えば「１」または「２」）に設定するためのテーブルデータ（設定用データ）を含んでいてもよい。
【０１１７】
この実施の形態では、第１特別図柄表示装置４Ａによる第１特図を用いた特図ゲームであるか、第２特別図柄表示装置４Ｂによる第２特図を用いた特図ゲームであるかにかかわらず、大当り種別決定テーブル１３１における同一のテーブルデータを参照して大当り種別が決定される。これに対して、第１特別図柄表示装置４Ａによる第１特図を用いた特図ゲームであるか、第２特別図柄表示装置４Ｂによる第２特図を用いた特図ゲームであるかに応じて、複数種類の大当り種別に対する決定値の割当てが異なるテーブルデータを用意してもよい。
【０１１８】
図９は、ＲＯＭ１０１に記憶される変動パターン種別決定テーブルの構成例を示している。この実施の形態では、変動パターン種別決定テーブルとして、図９（Ａ）に示す大当り変動パターン種別決定テーブル１３２Ａと、図９（Ｂ）に示すハズレ変動パターン種別決定テーブル（通常時）１３２Ｂと、図９（Ｃ）に示すハズレ変動パターン種別決定テーブル（時短制御中）１３２Ｃとが、予め用意されている。
【０１１９】
大当り変動パターン種別決定テーブル１３２Ａは、特図表示結果を「大当り」にすると決定（事前決定）されたときに、大当り種別の決定結果に応じて、変動パターン種別を、変動パターン種別決定用の乱数値ＭＲ３に基づいて、複数種類のうちのいずれかに決定するために参照されるテーブルである。大当り変動パターン種別決定テーブル１３２Ａでは、大当り種別の決定結果が「非確変」または「確変」のいずれであるかに応じて、変動パターン種別決定用の乱数値ＭＲ３と比較される数値（決定値）が、変動パターン種別ＣＡ３−１〜変動パターン種別ＣＡ３−３のいずれかに割り当てられている。大当り変動パターン種別決定テーブル１３２Ａでは、大当り種別が複数種類のいずれに決定されたかに応じて、各変動パターン種別に決定される割合が異なるように、決定値が各変動パターン種別に割り当てられている部分がある。例えば、大当り種別が「非確変」である場合と「確変」である場合とでは、変動パターン種別ＣＡ３−１〜変動パターン種別ＣＡ３−３に対する決定値の割当てが異なっている。これにより、大当り種別を複数種類のいずれにするかの決定結果に応じて、同一の変動パターン種別に決定される割合を異ならせることができる。
【０１２０】
大当り変動パターン種別決定テーブル１３２Ａにおける決定値は、大当り種別が複数種類のいずれに決定されたかに応じて、異なる変動パターン種別に決定されるように、各変動パターン種別に割り当てられる部分があってもよい。一例として、大当り種別が「非確変」である場合には決定値が割り当てられない特定の変動パターン種別に対して、大当り種別が「確変」である場合にのみ所定の決定値が割り当てられてもよい。これにより、所定の大当り種別に決定された場合には、所定の大当り種別以外に決定された場合とは異なる変動パターン種別に決定することができる。
【０１２１】
大当り種別が「非確変」または「確変」のいずれかに決定された場合に、パチンコ遊技機１における遊技状態が通常状態や確変状態、時短状態のいずれであるかに応じて、各変動パターン種別に対する決定値の割当てを異ならせるようにしてもよい。これにより、遊技状態が複数種類のいずれであるかに応じて、同一の変動パターン種別に決定される割合を異ならせることができる。また、大当り種別が「非確変」または「確変」のいずれかに決定された場合に、パチンコ遊技機１における遊技状態が通常状態や確変状態、時短状態のいずれであるかに応じて、異なる変動パターン種別に決定値が割り当てられるようにしてもよい。これにより、遊技状態が複数種類のいずれであるかに応じて、異なる変動パターン種別に決定することができる。
【０１２２】
ハズレ変動パターン種別決定テーブル（通常時）１３２Ｂと、ハズレ変動パターン種別決定テーブル（時短制御中）１３２Ｃは、特図表示結果を「ハズレ」にすると決定（事前決定）されたときに、変動パターン種別を、変動パターン種別決定用の乱数値ＭＲ３に基づいて、複数種類のうちのいずれかに決定するために参照されるテーブルである。ここで、ハズレ変動パターン種別決定テーブル（通常時）１３２Ｂは、例えば遊技状態が通常状態であるときに使用テーブルとして選択される。これに対して、ハズレ変動パターン種別決定テーブル（時短制御中）１３２Ｃは、例えば遊技状態が確変状態や時短状態であるときに、時短制御が行われていることに対応する使用テーブルとして選択される。
【０１２３】
ハズレ変動パターン種別決定テーブル（通常時）１３２Ｂとハズレ変動パターン種別決定テーブル（時短制御中）１３２Ｃとでは、互いに各変動パターン種別に決定される割合が異なるように、決定値が各変動パターン種別に割り当てられている部分がある。これにより、遊技状態が通常状態であるか確変状態や時短状態において時短制御中であるかに応じて、同一の変動パターン種別に決定される割合を異ならせることができる。ハズレ変動パターン種別決定テーブル（通常時）１３２Ｂとハズレ変動パターン種別決定テーブル（時短制御中）１３２Ｃとでは、異なる変動パターン種別に決定値が割り当てられている部分がある。これにより、遊技状態が通常状態であるか確変状態や時短状態において時短制御中であるかに応じて、異なる変動パターン種別に決定することができる。
【０１２４】
ハズレ変動パターン種別決定テーブル（通常時）１３２Ｂやハズレ変動パターン種別決定テーブル（時短制御中）１３２Ｃにおいて変動パターン種別ＣＡ２−３に割り当ていられている決定値に比べて多くの決定値が、大当り変動パターン種別決定テーブル１３２Ａにおいて変動パターン種別ＣＡ３−３に割り当てられている。ここで、変動パターン種別ＣＡ２−３は、可変表示結果が「ハズレ」となる場合に対応して、スーパーＡやスーパーＢといったスーパーリーチのリーチ演出を伴う変動パターンが分類される変動パターン種別である。一方、変動パターン種別ＣＡ３−３は、可変表示結果が「大当り」となる場合に対応してスーパーリーチのリーチ演出を伴う変動パターンが分類される変動パターン種別である。こうした設定により、スーパーリーチのリーチ演出が実行されたときには、可変表示結果が「大当り」となる可能性（大当り期待度）が高められる。
【０１２５】
図１０は、ＲＯＭ１０１に記憶される変動パターン決定テーブル１３３の構成例を示している。変動パターン決定テーブル１３３は、変動パターン種別の決定結果に応じて、変動パターン決定用の乱数値ＭＲ４に基づき、変動パターンを複数種類のうちのいずれかに決定するために参照されるテーブルである。変動パターン決定テーブル１３３では、変動パターン種別に応じて、変動パターン決定用の乱数値ＭＲ４と比較される数値（決定値）が、単一または複数の変動パターンに割り当てられている。
【０１２６】
変動パターン決定テーブル１３３において、変動パターン種別ＣＡ２−３の場合では、変動パターンＰＡ３−１から、変動パターンＰＡ３−２、変動パターンＰＡ３−３、変動パターンＰＡ３−４となるに従って、また、変動パターンＰＡ３−５から、変動パターンＰＡ３−６、変動パターンＰＡ３−７、変動パターンＰＡ３−８となるに従って、決定値の割当てが少なくなる。一方、変動パターン種別ＣＡ３−３の場合では、変動パターンＰＡ５−１から、変動パターンＰＡ５−２、変動パターンＰＡ５−３、変動パターンＰＡ５−４となるに従って、また、変動パターンＰＡ５−５から、変動パターンＰＡ５−６、変動パターンＰＡ５−７、変動パターンＰＡ５−８となるに従って、決定値の割当てが多くなる。
【０１２７】
図５に示すように、変動パターンＰＡ３−１〜変動パターンＰＡ３−８と、変動パターンＰＡ５−１〜変動パターンＰＡ５−８とでは、特図変動時間や内容が共通している一方で、可変表示結果が「ハズレ」となるか「大当り」となるかが異なっている。このような変動パターン決定テーブル１３３の設定により、「擬似連」の可変表示演出における擬似連変動の繰返し実行回数（擬似連回数）が多くなったときには、擬似連回数が少ないときよりも大当り期待度が高められる。また、スーパーＢのリーチ演出が実行されたときには、スーパーＡのリーチ演出が実行されたときよりも大当り期待度が高められるように、変動パターン決定テーブル１３３にて決定値が変動パターンに割り当てられている。
【０１２８】
図２に示す遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。
【０１２９】
このようなＲＡＭ１０２には、パチンコ遊技機１における遊技の進行などを制御するために用いられる各種のデータを保持する領域として、例えば図１１に示すような遊技制御用データ保持エリア１５０が設けられている。図１１に示す遊技制御用データ保持エリア１５０は、第１特図保留記憶部１５１Ａと、第２特図保留記憶部１５１Ｂと、普図保留記憶部１５１Ｃと、遊技制御フラグ設定部１５２と、遊技制御タイマ設定部１５３と、遊技制御カウンタ設定部１５４と、遊技制御バッファ設定部１５５とを備えている。
【０１３０】
第１特図保留記憶部１５１Ａは、普通入賞球装置６Ａが形成する第１始動入賞口を遊技球が通過（進入）して始動入賞（第１始動入賞）が発生したものの未だ開始されていない特図ゲーム（第１特別図柄表示装置４Ａにおける第１特図を用いた特図ゲーム）の保留データを記憶する。一例として、第１特図保留記憶部１５１Ａは、第１始動入賞口への入賞順（遊技球の検出順）に保留番号と関連付けて、その遊技球の通過（進入）における第１始動条件の成立に基づいてＣＰＵ１０３により乱数回路１０４等から抽出された特図表示結果決定用の乱数値ＭＲ１や大当り種別決定用の乱数値ＭＲ２、変動パターン種別決定用の乱数値ＭＲ３を示す数値データなどを保留データとして、その記憶数が所定の上限値（例えば「４」）に達するまで記憶する。こうして第１特図保留記憶部１５１Ａに記憶された保留データは、第１特図を用いた特図ゲームの実行が保留されていることを示し、この特図ゲームにおける可変表示結果（特図表示結果）に基づき所定の遊技価値が付与されるか否かなどを判定可能にする保留記憶情報となる。
【０１３１】
第２特図保留記憶部１５１Ｂは、普通可変入賞球装置６Ｂが形成する第２始動入賞口を遊技球が通過（進入）して始動入賞（第２始動入賞）が発生したものの未だ開始されていない特図ゲーム（第２特別図柄表示装置４Ｂにおける第２特図を用いた特図ゲーム）の保留データを記憶する。一例として、第２特図保留記憶部１５１Ｂは、第２始動入賞口への入賞順（遊技球の検出順）に保留番号と関連付けて、その遊技球の通過（進入）における第２始動条件の成立に基づいてＣＰＵ１０３により乱数回路１０４等から抽出された特図表示結果決定用の乱数値ＭＲ１や大当り種別決定用の乱数値ＭＲ２、変動パターン種別決定用の乱数値ＭＲ３を示す数値データなどを保留データとして、その数が所定の上限値（例えば「４」）に達するまで記憶する。こうして第２特図保留記憶部１５１Ｂに記憶された保留データは、第２特図を用いた特図ゲームの実行が保留されていることを示し、この特図ゲームにおける可変表示結果（特図表示結果）に基づき所定の遊技価値が付与されるか否かなどを判定可能にする保留記憶情報となる。
【０１３２】
普図保留記憶部１５１Ｃは、通過ゲート４１を通過した遊技球がゲートスイッチ２１によって検出されたにもかかわらず、未だ普通図柄表示器２０により開始されていない普図ゲームの保留情報を記憶する。例えば、普図保留記憶部１５１Ｃは、遊技球が通過ゲート４１を通過した順に保留番号と対応付けて、その遊技球の通過に基づいてＣＰＵ１０３により乱数回路１０４等から抽出された普図表示結果決定用の乱数値ＭＲ５を示す数値データなどを保留データとして、その数が所定の上限値（例えば「４」）に達するまで記憶する。
【０１３３】
遊技制御フラグ設定部１５２には、パチンコ遊技機１における遊技の進行状況などに応じて状態を更新可能な複数種類のフラグが設けられている。例えば、遊技制御フラグ設定部１５２には、複数種類のフラグそれぞれについて、フラグの値を示すデータや、オン状態あるいはオフ状態を示すデータが記憶される。
【０１３４】
遊技制御タイマ設定部１５３には、パチンコ遊技機１における遊技の進行を制御するために用いられる各種のタイマが設けられている。例えば、遊技制御タイマ設定部１５３には、複数種類のタイマそれぞれにおけるタイマ値を示すデータが記憶される。
【０１３５】
遊技制御カウンタ設定部１５４には、パチンコ遊技機１における遊技の進行を制御するために用いられるカウント値を計数するためのカウンタが複数種類設けられている。例えば、遊技制御カウンタ設定部１５４には、複数種類のカウンタそれぞれにおけるカウント値を示すデータが記憶される。ここで、遊技制御カウンタ設定部１５４には、遊技用乱数の一部または全部をＣＰＵ１０３がソフトウェアにより更新可能にカウントするためのランダムカウンタが設けられてもよい。
【０１３６】
例えば、遊技制御カウンタ設定部１５４のランダムカウンタには、乱数値ＭＲ２〜ＭＲ５を示す数値データが、ランダムカウント値として記憶され、ＣＰＵ１０３によるソフトウェアの実行に応じて、定期的あるいは不定期に、各乱数値を示す数値データが更新される。ＣＰＵ１０３がランダムカウント値を更新するために実行するソフトウェアは、ランダムカウント値を乱数回路１０４における数値データの更新動作とは別個に更新するためのものであってもよいし、乱数回路１０４から抽出された数値データの全部又は一部にスクランブル処理や演算処理といった所定の処理を施すことによりランダムカウント値を更新するためのものであってもよい。
【０１３７】
遊技制御バッファ設定部１５５には、パチンコ遊技機１における遊技の進行を制御するために用いられるデータを一時的に記憶する各種のバッファが設けられている。例えば、遊技制御バッファ設定部１５５には、複数種類のバッファそれぞれにおけるバッファ値を示すデータが記憶される。
【０１３８】
図２に示す遊技制御用マイクロコンピュータ１００が備えるＩ／Ｏ１０５は、遊技制御用マイクロコンピュータ１００に伝送された各種信号を取り込むための入力ポートと、遊技制御用マイクロコンピュータ１００の外部へと各種信号を伝送するための出力ポートとを含んで構成されている。
【０１３９】
図２に示すように、演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【０１４０】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【０１４１】
演出制御用ＣＰＵ１２０、ＲＯＭ１２１、ＲＡＭ１２２は、演出制御基板１２に搭載された１チップの演出制御用マイクロコンピュータに含まれてもよい。
【０１４２】
演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。さらに、演出制御基板１２には、スティックコントローラ３１Ａに対する遊技者の操作行為を検出したことを示す情報信号としての操作検出信号を、コントローラセンサユニット３５Ａから伝送するための配線や、プッシュボタン３１Ｂに対する遊技者の操作行為を検出したことを示す情報信号としての操作検出信号を、プッシュセンサ３５Ｂから伝送するための配線も接続されている。
【０１４３】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。一例として、演出制御基板１２の側では、予告決定用の乱数値や、期待度昇格演出実行決定用の乱数値などを示す数値データがカウント可能に制御される。なお、演出効果を高めるために、これら以外の乱数値が用いられてもよい。例えば、飾り図柄の可変表示結果となる確定飾り図柄（最終停止図柄）を決定するために用いられる最終停止図柄決定用の乱数値や、複数種類の再変動演出からいずれを実行するかを選択して決定するために用いられる再変動演出決定用の乱数値を示す数値データなどが、カウント可能に制御されてもよい。
【０１４４】
再変動演出は、「擬似連」の可変表示演出において擬似連変動が行われること遊技者が認識可能に報知する演出動作である。予告演出は、特別図柄や飾り図柄の可変表示が開始されてから、可変表示結果となる確定特別図柄や確定飾り図柄が導出されるまでに、その可変表示結果に基づいて大当り遊技状態となる可能性（大当り期待度）を予告する演出動作である。
【０１４５】
この実施の形態では、特別図柄や飾り図柄の可変表示が開始されてから表示結果が導出されるまでに、互いに演出態様が異なる再変動演出や複数の予告演出を、組み合わせて実行することができる。また、再変動演出や予告演出、さらには演出態様（ノーマル、スーパーＡ、スーパーＢなど）が異なるリーチ演出も含めて、大当り遊技状態となる可能性を示唆する示唆演出となる。
【０１４６】
複数の予告演出は、それぞれが実行される演出装置を異ならせてもよいし、同一の演出装置を用いて実行されるタイミングや動作態様の一部または全部を異ならせてもよい。例えば、複数のタイミングにて同一または別個の演出装置を用いて実行可能な予告演出として、メッセージ予告、ステップアップ予告、リーチ成立時予告が、設けられていればよい。
【０１４７】
図１２および図１３は、再変動演出、メッセージ予告、ステップアップ予告、リーチ成立時予告のそれぞれにおける演出態様（演出内容）を例示している。図１２（Ａ１）〜（Ａ３）に示すように、再変動演出では、「中」の飾り図柄表示エリア５Ｃに特殊なカード図柄が仮停止表示される。そして、再変動演出のカード図柄に含まれる所定の表示色（例えば赤色など）を有する星型記号の個数は、「擬似連」の可変表示演出における擬似連変動の繰返し実行回数（擬似連回数）が１加算されるごとに１増加するように表示される。「擬似連」の可変表示演出では、擬似連回数の増加に伴い、大当り期待度が高くなる。したがって、再変動演出は、カード図柄の表示態様に応じて大当り期待度が異なり、カード図柄に含まれる星型記号の個数が多いときに、その星型記号の個数が少ないときよりも、大当り期待度が高いことを示唆している。
【０１４８】
このように、再変動演出では、例えばカード図柄といった、所定画像を表示する画像表示演出が行われる。そして、可変表示結果が「大当り」で大当り遊技状態となるか否かに応じて異なる割合で擬似連変動の繰返し実行回数（擬似連回数）が決定されることに伴い、例えばカード図柄に含まれる星型記号の個数といった、所定画像の一部の表示態様を異なる表示態様で表示することができる。
【０１４９】
図１２（Ｂ１）や（Ｂ２）に示すように、メッセージ予告では、例えば飾り図柄の可変表示中に画像表示装置５の画面上に表示された文字画像により、所定のキャラクタが発するセリフを報知する。そして、メッセージ予告は、文字画像の表示態様に応じて大当り期待度が異なり、図１２（Ｂ２）に示す文字画像の表示色が黒色である黒文字のメッセージ予告ＭＳ２であるときに、図１２（Ｂ１）に示す文字画像の表示色が白色（白抜き）である白文字のメッセージ予告ＭＳ１であるときよりも、大当り期待度が高いことを示唆している。
【０１５０】
なお、文字画像によりキャラクタが発するセリフを報知するものに限定されず、例えばスピーカ８Ｌ、８Ｒから出力される音声により、キャラクタが発するセリフを報知してもよい。文字画像の表示色に応じて大当り期待度を異ならせるものに限定されず、セリフを発するキャラクタの種類や表示色、形状、表示柄といった、キャラクタ画像の一部または全部の表示態様を異ならせることにより、大当り期待度を異ならせてもよい。キャラクタ画像の表示態様の他にも、背景画像の表示態様（例えば表示色や表示柄がサクラの花柄であるか否かなどで、サクラの花柄である場合には大当り期待度が高い）における一部または全部を異ならせることにより、大当り期待度を異ならせてもよい。さらには、文字画像の表示とともにスピーカ８Ｌ、８Ｒから出力される音声の出力態様や、遊技効果ランプ９または装飾用ＬＥＤの点灯態様といった、演出態様の一部または全部を異ならせることにより、大当り期待度を異ならせてもよい。すなわち、遊技者からみて予告する手段（表示、音、ランプ、可動部材等）の状態が少なくとも一部は異なるものと認識可能にすることで、異なる大当り期待度を示唆できれよい。
【０１５１】
このように、メッセージ予告では、例えばキャラクタが発するセリフの文字画像といった、所定画像を表示する画像表示演出が行われる。そして、可変表示結果が「大当り」で大当り遊技状態となるか否かに応じて異なる割合で、例えば文字画像の表示色といった、所定画像の一部の表示態様を異なる表示態様で表示することができる。
【０１５２】
ステップアップ予告は、特図ゲームの開始条件が１回成立したことに対応して、飾り図柄の可変表示が開始されてから可変表示結果となる確定飾り図柄（最終停止図柄）が導出されるまでに、演出態様が所定の順番に従って１段階から複数段階まで変化可能（ステップアップ可能）な予告演出である。なお、ステップアップ予告では、最初に出現した演出態様が次の段階に変化することなく、予告演出の実行を終了させることがあるようにしてもよい。
【０１５３】
一例として、図１３（Ａ１）〜（Ａ４）に示すように、ステップアップ予告では、飾り図柄の可変表示中に画像表示装置５の画面上にて、予め用意された複数種類の演出画像を所定の順番に従って切り替えて表示させる演出表示ＳＵＥ１〜ＳＵＥ４により、演出態様が複数段階に変化（ステップアップ）すればよい。他の一例として、飾り図柄の可変表示中に遊技領域の内部または外部に設けられた演出用模型（可動部材）を所定の順番に従って複数種類の動作態様で動作させる演出動作により、演出態様が複数段階に変化（ステップアップ）してもよい。その他にも、スピーカ８Ｌ、８Ｒから出力される音声の出力態様や、遊技効果ランプ９または装飾用ＬＥＤの点灯態様といった、任意の演出態様を所定の順番に従って複数段階に変化（ステップアップ）させてもよい。
【０１５４】
ステップアップ予告は、演出態様が変化する回数（ステップ数）に応じて大当り期待度が異なり、ステップ数が多いときに、ステップ数が少ないときよりも、大当り期待度が高いことを示唆している。すなわち、可変表示結果が「大当り」で大当り遊技状態となる場合には、大当り遊技状態とならない場合よりも高い割合で、予め定められた段階まで演出態様が変化する。図１３（Ａ５）に示すように、ステップアップ予告ＳＵ１〜ＳＵ４はそれぞれ、演出態様が変化するステップ数が互いに異なり、ステップ数が「１」のステップアップ予告ＳＵ１から、ステップ数が「２」のステップアップ予告ＳＵ２、ステップ数が「３」のステップアップ予告ＳＵ３、ステップ数が「４」のステップアップ予告ＳＵ４となるに従って、大当り期待度が高くなる。
【０１５５】
ステップアップ予告における演出態様の変化（ステップアップ）としては、異なるキャラクタ画像が順番に表示されるものであってもよいし、１つのキャラクタにおける形状や表示色、表示柄といった、表示態様の一部または全部が変化することでステップアップするようなものであってもよい。すなわち、遊技者からみて予告する手段（表示、音、ランプ、可動部材等）の状態が少なくとも一部は段階的に変化したと認識可能なものであればよい。キャラクタ画像の表示によるステップアップの他にも、背景画像の表示態様（例えば表示色や表示柄がサクラの花柄であるか否かなどで、サクラの花柄である場合には大当り期待度が高い）における一部または全部を異ならせることにより、大当り期待度を異ならせてもよい。
【０１５６】
なお、ステップアップ予告におけるステップ数、あるいは、各ステップにおける演出態様に応じて、「非確変大当り」や「確変大当り」となる可能性（確変期待度）、特定のリーチ演出が実行される可能性（特定リーチ期待度）などを異ならせてもよい。さらに変化する回数（ステップ数）によって予告する対象も変化するものでもよい。例えば第２ステップまで行くと「リーチ確定」、第３ステップまで行くと「スーパーリーチ確定」、第４ステップまで行くと「大当り確定」となるようなものでもよい。
【０１５７】
図１３（Ｂ１）〜（Ｂ３）に示すように、リーチ成立時予告では、飾り図柄の可変表示状態がリーチ状態となったことに基づいて、所定のキャラクタ（蝶）を示す演出画像群を表示する。一例として、リーチ成立時予告では、同一または類似した多数のキャラクタとなる蝶を示す演出画像群が画像表示装置５の画面上を通過するような演出が行われる。この場合、他の予告演出（例えばメッセージ予告やステップアップ予告など）にて用いられるキャラクタとは異なる種類のキャラクタを示す演出画像群を表示する演出動作が行われてもよいし、他の予告演出にて用いられるキャラクタと同じ種類のキャラクタを示す演出画像群を表示する演出動作が行われてもよい。他の予告演出にて用いられるキャラクタとは異なる種類でも共通するテーマのキャラクタ（例えば同じ映画やアニメの登場人物を模したキャラクタなど）を示す演出画像群を表示する予告演出が行われてもよい。リーチ成立時予告は、演出画像群により示されるキャラクタ（例えば蝶）の数に応じて大当り期待度が異なる。例えば図１３（Ｂ１）に示すリーチ成立時予告ＧＲ１では蝶の数が「１」であり、図１３（Ｂ２）に示すリーチ成立時予告ＧＲ２では蝶の数が「３」であり、図１３（Ｂ３）に示すリーチ成立時予告ＧＲ３では蝶の数が「５」であり、この順に大当り期待度が高くなる。
【０１５８】
なお、演出画像群により示されるキャラクタの数に応じて大当り期待度を異ならせるものに限定されず、演出画像群により示されるキャラクタの種類や表示色、形状、表示柄といった、キャラクタ画像の一部または全部の表示態様を異ならせることにより、大当り期待度を異ならせてもよい。キャラクタ画像の他にも、背景画像の表示態様（例えば表示色や表示柄がサクラの花柄であるか否かなどで、サクラの花柄である場合には大当り期待度が高い）を異ならせてもよい。さらには、演出画像群の表示とともにスピーカ８Ｌ、８Ｒから出力される音声の出力態様や、遊技効果ランプ９または装飾用ＬＥＤの点灯態様といった、演出態様の一部または全部を異ならせることにより、大当り期待度を異ならせてもよい。すなわち、遊技者からみて予告する手段（表示、音声、ランプ、可動部材等）の状態が少なくとも一部は異なるものと認識可能にすることで、異なる大当り期待度を示唆できればよい。
【０１５９】
このように、リーチ成立時予告では、例えば蝶のキャラクタを示す演出画像群といった、所定画像を表示する画像表示演出が行われる。そして、可変表示結果が「大当り」で大当り遊技状態となるか否かに応じて異なる割合で、例えば演出画像群により示される蝶の数といった、所定画像の一部の表示態様を異なる表示態様で表示することができる。
【０１６０】
画像表示演出は、例えば再変動演出におけるカード図柄、メッセージ予告におけるセリフの文字画像、リーチ成立時予告における蝶のキャラクタのように、所定の示唆演出における演出画像の全部または一部を所定画像として表示する場合に、大当り遊技状態となるか否かや、大当り遊技状態となる可能性（大当り期待度）に応じて異なる割合で、所定画像の一部の表示態様を異なる表示態様で表示するものであればよい。また、示唆演出が実行されるときに画像表示装置５の画面上に表示される演出画像の一部を所定画像とするものに限定されず、画像表示装置５の画面上に表示される演出画像の全部を所定画像として、その所定画像の一部の表示態様を、大当り遊技状態となるか否かや大当り期待度に応じて異なる割合で、異なる表示態様で表示するものであってもよい。
【０１６１】
図１４は、各予告演出における大当り期待度の段階を示している。この実施の形態において、メッセージ予告では、予告なし、メッセージ予告ＭＳ１、メッセージ予告ＭＳ２の順に、大当り期待度が高くなる。ステップアップ予告では、予告なし、ステップアップ予告ＳＵ１、ステップアップ予告ＳＵ２、ステップアップ予告ＳＵ３、ステップアップ予告ＳＵ４の順に、大当り期待度が高くなる。リーチ成立時予告では、予告なし、リーチ成立時予告ＧＲ１、リーチ成立時予告ＧＲ２、リーチ成立時予告ＧＲ３の順に、大当り期待度が高くなる。こうした予告演出の期待度は、例えば低期待度、中期待度、高期待度といった、複数の段階に区分けすることができる。なお、低期待度の予告演出は「弱予告」とも称され、中期待度の予告演出は「中予告」とも称され、高期待度の予告演出は「強予告」とも称される。
【０１６２】
低期待度の予告演出は、例えば大当り遊技状態となる可能性が「１０％未満」であることを示唆する。中期待度の予告演出は、例えば大当り遊技状態となる可能性が「１０％以上３０％未満」であることを示唆する。高期待度の予告演出は、例えば大当り遊技状態となる可能性が「３０％以上」であることを示唆する。こうした予告演出により示唆される大当り遊技状態となる可能性（大当り期待度）は、可変表示結果が「大当り」となるか「ハズレ」となるかに応じて各予告演出における演出態様の選択割合を異ならせることで、予め設定できればよい。例えば低期待度の予告演出は、中期待度や高期待度の予告演出に比べて、大当りとなるときに選択される割合が低く、ハズレとなるときに選択される割合が高くなればよい。また、高期待度の予告演出は、低期待度や中期待度の予告演出に比べて、大当りとなるときに選択される割合が高く、ハズレとなるときに選択される割合が低くなればよい。ここで、大当り遊技状態となる可能性が０％の場合には、常に可変表示結果が「ハズレ」となり、大当り遊技状態にはならないことを意味している。また、大当り遊技状態となる可能性が１００％の場合には、常に可変表示結果が「大当り」となり、必ず大当り遊技状態となることを意味している。
【０１６３】
図１５（Ａ）は、「擬似連」の可変表示演出における擬似連変動の繰返し実行回数（擬似連回数）が３回であり、飾り図柄の可変表示状態がリーチ状態となることに基づいてスーパーＢのリーチ演出まで実行される変動パターンＰＡ３−８、ＰＡ５−８に対応して、期待度昇格演出が実行されない場合における各種演出の実行タイミングを示している。この場合、各回の擬似連変動（第１擬似連〜第３擬似連）が実行されるよりも前の初回変動、第１擬似連、第２擬似連が行われる期間、すなわち擬似連チャンス目となる飾り図柄が導出される以前の所定期間に対応して、メッセージ予告、ステップアップ予告、再変動演出を実行するタイミングが、例えば変動パターンに対応した演出制御パターン（特図変動時演出制御パターン）などにより、予め定められている。また、最終回の擬似連変動（第３擬似連）が開始された後の最終変動時には、メッセージ予告、ステップアップ予告の他に、リーチの成立に対応したリーチ成立時予告や、ノーマル、スーパーＡ、スーパーＢの各リーチ演出を実行するタイミングが、例えば変動パターンに対応した演出制御パターン（特図変動時演出制御パターン）などにより、予め定められている。
【０１６４】
一例として、図１５（Ｂ）に示すように、タイミングＴＹ００、ＴＹ１０、ＴＹ２０、ＴＹ３０は、メッセージ予告の実行開始タイミングとなる。タイミングＴＹ０１、ＴＹ１１、ＴＹ２１、ＴＹ３１は、ステップアップ予告の実行開始タイミングとなる。タイミングＴＹ０２、ＴＹ１２、ＴＹ２２は、再変動演出の実行開始タイミングとなる。タイミングＴＹ０３は、リーチ成立時予告の実行開始タイミングとなる。こうした複数のタイミングで実行される複数の予告演出を含む示唆演出における演出態様（演出内容）は、使用パターンとなる演出パターン（例えば予告パターン）に対応して設定されればよい。
【０１６５】
メッセージ予告は、初回変動や擬似連変動において飾り図柄の可変表示が開始されることに対応して実行が開始される変動開始時予告となっている。ステップアップ予告は、「左」、「中」、「右」の飾り図柄表示エリア５Ｌ、５Ｃ、５Ｒの全部にて飾り図柄が変動（全図柄変動）している所定期間にて実行される全図柄変動中予告となっている。このように、変動開始時予告、全図柄変動中予告、リーチ成立時予告あるいは再変動演出、さらにはリーチ演出といった複数の示唆演出は、飾り図柄の可変表示が開始されてから表示結果が導出されるまでの複数のタイミングのうち、それぞれの示唆演出に応じた所定タイミングにて実行が開始されるように、例えば変動パターンに対応した演出制御パターン（特図変動時演出制御パターン）などにより、それぞれの実行タイミングが予め定められていればよい。
【０１６６】
１の予告演出における演出態様（演出内容）に対応して予め用意された複数の演出パターン（予告パターン）は、予め設定された複数の予告カテゴリ（予告演出分類）のうちいずれかに含まれてもよい。すなわち、各予告カテゴリは、予め分類（グループ化）された単一または複数の予告パターンを含むように構成されていればよい。１の予告演出に対応する複数の予告パターンは、例えば予告パターンに応じた予告演出の大当り期待度や、各予告パターンに対する演出態様（演出内容）の少なくとも一部といった、所定の基準に基づいて、１の予告演出に対応して予め設定された複数の予告カテゴリのいずれかに分類されればよい。
【０１６７】
変動開始時予告としてのメッセージ予告では、例えば低期待度のメッセージ予告ＭＳ１と中期待度のメッセージ予告ＭＳ２とで互いに異なる演出態様（文字画像の表示色）となる。一方、全図柄変動中予告としてのステップアップ予告では、例えば低期待度から高期待度までの４段階に対応したステップアップ予告ＳＵ１とステップアップ予告ＳＵ２とステップアップＳＵ３とステップアップ予告ＳＵ４とで互いに異なる演出態様（ステップ数）となる。リーチ成立時予告では、例えば低期待度のリーチ成立時予告ＧＲ１と中期待度のリーチ成立時予告ＧＲ２と高期待度のリーチ成立時予告ＧＲ３とで互いに異なる演出態様（蝶の数）となる。
【０１６８】
このように、複数の予告演出により示唆される大当り期待度は、所定の段階数に応じて０％〜１００％の範囲を複数段階に区分けしたものであればよい。一例として、高期待度の予告演出は、大当り遊技状態となる可能性が所定の第１基準値以上であることを示唆できればよく、低期待度の予告演出は、大当り遊技状態となる可能性が第１基準値よりも低い所定の第２基準値未満であることを示唆できればよい。この場合、中期待度の予告演出は、大当り遊技状態となる可能性が第１基準値未満で第２基準値以上であることを示唆できればよい。再変動演出やリーチ演出といった予告演出とは異なる示唆演出についても、その演出態様に応じて異なる大当り期待度となる。したがって、予告演出以外の示唆演出における大当り期待度も、複数の段階に区分けすることができる。
【０１６９】
複数のタイミングのうち第１タイミングにて実行される示唆演出により示唆できる大当り期待度の上限値に比べて、第１タイミングよりも遅い第２タイミングにて実行される示唆演出により示唆できる大当り期待度の上限値が高く（大きく）なることがあるように設定されればよい。例えば、変動開始時予告であるメッセージ予告の場合は、中期待度のメッセージ予告ＭＳ２における大当り期待度が最も高くなる。一方、全図柄変動中予告であるステップアップ予告の場合は、大当り期待度が最も高いステップアップ予告ＳＵ４によって、メッセージ予告ＭＳ２よりも高い大当り期待度が示唆される。すなわち、複数のタイミングのうち第１タイミングにて実行可能な示唆演出のうち大当り期待度が最も高い段階に対応した示唆演出と比べて、第１タイミングよりも遅い第２タイミングにて実行可能な示唆演出のうち大当り期待度が最も高い段階に対応した示唆演出の方が、より高い大当り期待度となることがあるように設定されていればよい。
【０１７０】
複数のタイミングのうち第１タイミングにて実行可能な示唆演出により示唆できる大当り期待度の最も高い段階に比べて、第１タイミングよりも遅い第２タイミングにて実行可能な示唆演出により示唆できる大当り期待度の最も高い段階の方が低くなることもあるように設定してもよい。これに対して、第１タイミングよりも遅い第２タイミングにて実行可能な示唆演出により示唆できる大当り期待度が最も高い段階は、第１タイミングにて実行可能な示唆演出により示唆できる大当り期待度の最も高い段階に比べて、常に大当り期待度が高くなる（単調上昇する）ように設定されてもよい。
【０１７１】
大当り遊技状態となる可能性（大当り期待度）の段階数は、大当り期待度が０％〜１００％の範囲のうちで、演出態様が異なる示唆演出のそれぞれにより示唆可能な大当り期待度の範囲の区分数（区域数）を示している。一例として、メッセージ予告のように、低期待度（メッセージ予告ＭＳ１）と中期待度（メッセージ予告ＭＳ２）とに対応して異なる演出態様となる場合には、予告なしの場合を含めた大当り期待度の段階数が「３」となる。ステップアップ予告のように、４種類の演出態様（ステップアップ予告ＳＵ１〜ＳＵ４）に対応して異なる大当り期待度となる場合には、予告なしの場合を含めた大当り期待度の段階数が「５」となる。リーチ成立時予告のように、低期待度（リーチ成立時予告ＧＲ１）と中期待度（リーチ成立時予告ＧＲ２）と高期待度（リーチ成立時予告ＧＲ３）とに対応して異なる演出態様となる場合には、予告なしの場合を含めた大当り期待度の段階数が「４」となる。再変動演出については、擬似連変動の実行回数に対応して異なる演出態様となり、擬似連変動が実行されない場合を含めた大当り期待度の段階数が「４」となる。リーチ演出については、ノーマル、スーパーＡ、スーパーＢの順に大当り期待度が高くなり演出態様も異なることから、リーチ演出が実行されない場合（非リーチの場合）を含めた大当り期待度の段階数が「４」となる。
【０１７２】
このように、大当り期待度の段階数は、複数のタイミングのうちいずれで実行される示唆演出であるかに応じて、異なるように設定されている。そして、例えば変動開始時予告としてのメッセージ予告では大当り期待度の段階数が「３」であるのに対し、全図柄変動中予告としてのステップアップ予告では大当り期待度の段階数が「５」である。すなわち、複数のタイミングのうち第１タイミングにて実行される示唆演出により示唆できる大当り期待度の段階数に比べて、第１タイミングよりも遅い第２タイミングにて実行される示唆演出により示唆できる大当り期待度の段階数の方が多くなることがあるように設定されている。
【０１７３】
複数のタイミングのうち第１タイミングにて実行可能な示唆演出により示唆できる大当り期待度の段階数に比べて、第１タイミングよりも遅い第２タイミングにて実行可能な示唆演出により示唆できる大当り期待度の段階数の方が少なくなることがあるようにしてもよい。これに対して、第１タイミングよりも遅い第２タイミングにて実行可能な示唆演出により示唆できる大当り期待度の段階数は、第１タイミングにて実行可能な示唆演出により示唆できる大当り期待度の段階数に比べて、常に多くなる（単調増加する）ように設定されてもよい。
【０１７４】
複数のタイミングのうち１のタイミングにて実行される示唆演出は、演出態様を異ならせることにより、異なる大当り期待度を遊技者が認識可能に示唆するようにしている。したがって、各々の示唆演出における演出態様の種類数は、その示唆演出により示唆可能な大当り期待度の段階数と等しくなればよい。あるいは、各々の示唆演出における複数の演出態様のうちには、互いに異なる演出態様により同一の大当り期待度を示唆するものがあってもよい。この場合のように、各々の示唆演出における演出態様の種類数は、その示唆演出により示唆可能な大当り期待度の段階数よりも多くなるように設定してもよい。
【０１７５】
例えば再変動演出とリーチ成立時予告のように、大当り期待度の段階数が同一になる示唆演出であっても、それぞれの示唆演出に対応して、大当り期待度の第１基準値や第２基準値を異ならせてもよい。より具体的な一例として、再変動演出は非リーチの場合にも実行可能であり（例えば図５に示す変動パターンＰＡ１−４を参照）、再変動演出の大当り期待度は低期待度が「５％未満」で中期待度が「５％以上２０％未満」で高期待度が「２０％以上」となるように設定してもよい。一方、リーチ成立時予告はリーチ成立の場合にのみ実行可能であり、リーチ成立時予告の大当り期待度は低期待度が「３０％未満」で中期待度が「３０％以上６０％未満」で高期待度が「６０％以上」となるように設定してもよい。このように、示唆演出が複数段階の大当り期待度のいずれになるかは、示唆演出の実行タイミングごとに、異なる基準で分類（段階分け）されてもよい。また、例えばスーパーＡのリーチ演出が実行されたときには大当り期待度が「１０％以上４０％未満」になる一方、スーパーＢのリーチ演出が実行されたときには大当り期待度が「８０％以上」になるといったように、特定の示唆演出が実行されたときには、大当り遊技状態となる可能性が飛躍的に向上することが示唆されるようにしてもよい。
【０１７６】
複数のタイミングのうち１のタイミングで実行可能な示唆演出は、その示唆演出が実行されるか否かや、実行された場合の演出態様により、大当り期待度が所定範囲内であることを示唆してもよいし、大当り期待度が具体的な単一の数値（例えばパーセント値）であることを示唆（報知）してもよい。例えば、低期待度の示唆演出は、大当り期待度が「１０％未満」となる範囲内であることを示唆してもよいし、「１０％未満」である特定の数値（例えば５％など）を示唆（報知）してもよい。ただし、示唆演出の実行割合は、乱数値を示す数値データの偏りなどにより、実際の遊技を実行した場合に、設計段階での設定とは相違することがある。これにより、各示唆演出の大当り期待度も、実際の遊技を実行した場合に、設計段階での設定とは相違することがある。したがって、各示唆演出により示唆可能な大当り期待度は、遊技の進行上において実際に大当り遊技状態となる確率と厳密に合致する必要はなく、おおよその目安となる範囲や数値を示唆することができればよい。
【０１７７】
示唆演出により大当り期待度が具体的な単一の数値であることを示唆する場合に、大当り期待度の段階数は、複数のタイミングのうち１のタイミングで実行可能な示唆演出により示唆できる大当り期待度の個数（要素数）を示すことになればよい。一例として、複数のタイミングのうち１のタイミングで実行可能な示唆演出が、実際に実行されるか否かや、実行される場合の演出態様を異ならせることにより、「５％」、「１５％」、「２５％」、「５０％」、「７０％」の大当り期待度を示唆できるとする。この場合には、示唆演出により示唆可能な大当り期待度の個数（要素数）は「５」であり、大当り期待度の段階数も「５」となる。
【０１７８】
例えば低期待度と中期待度の示唆演出のあいだや、中期待度と高期待度の示唆演出のあいだでは、示唆可能な大当り期待度の範囲に共通（重複）する部分があってもよい。一例として、低期待度の示唆演出は「３０％未満」の大当り期待度を示唆し、中期待度の示唆演出は「２０％以上６０％未満」の大当り期待度を示唆し、高期待度の示唆演出は「５０％以上」の大当り期待度を示唆してもよい。
【０１７９】
各タイミングにて実行可能な示唆演出の演出態様を選択するときには、１のタイミングで実行される示唆演出により示唆される大当り期待度と、他のタイミングで実行される示唆演出により示唆される大当り期待度とが、予め禁止された関係になることがないように設定されてもよい。例えば変動開始時予告となるメッセージ予告のうちで、中期待度のメッセージ予告ＭＳ２が実行された後に、全図柄変動中予告となるステップアップ予告が実行されない組合せや、比較的に大当り期待度の低いステップアップ予告ＳＵ１またはステップアップ予告ＳＵ２が実行されるような予告演出の組合せにはならない。
【０１８０】
高期待度の示唆演出は大当り期待度が第１基準値以上であることを示唆する一方、低期待度の示唆演出は大当り期待度が第１基準値よりも低い第２基準値未満であることを示唆する。この場合、複数のタイミングのうち第１タイミングにて大当り遊技状態となる可能性が第１基準値以上であることを予告する高期待度の示唆演出が実行されるときに、第１タイミングよりも遅い第２タイミングにて大当り遊技状態となる可能性が第１基準値よりも低い第２基準値未満であることを予告する低期待度の示唆演出が実行されないように制限してもよい。
【０１８１】
なお、示唆演出が複数段階の大当り期待度のいずれになるかは、示唆演出の実行タイミングごとに、異なる基準で分類（段階分け）されてもよい。すなわち、示唆演出の実行タイミングが異なれば、低期待度と中期待度と高期待度とに段階分けするための第１基準値や第２基準値を異ならせてもよい。したがって、実行タイミングが異なる複数の示唆演出のあいだでは、第１基準値や第２基準値が一致しないことがあり、例えば１のタイミングで実行される示唆演出を高期待度と中期待度とに段階分けするための第１基準値が、他のタイミングで実行される示唆演出を中期待度と低期待度とに段階分けするための第２基準値よりも低くなることがあってもよい。こうした設定においても、複数のタイミングのうち第１タイミングにて大当り遊技状態となる可能性が第１基準値（第１タイミングに対応した基準値）以上であることを示唆する高期待度の示唆演出が実行される場合に、第１タイミングよりも遅い第２タイミングにて大当り遊技状態となる可能性が第２基準値（第２タイミングに対応した基準値）未満であることを示唆する低期待度の示唆演出が実行されないように制限してもよい。
【０１８２】
示唆演出により大当り期待度が具体的な単一の数値（例えばパーセント値）であることを示唆する場合もある。したがって、大当り遊技状態となる可能性が第１基準値以上であることを示唆する場合には、第１基準値以上の所定範囲内であることを示唆する場合と、第１基準値以上となる具体的な単一の数値であることを示唆する場合とが含まれている。また、大当り遊技状態となる可能性が第２基準値未満であることを示唆する場合には、第２基準値未満の所定範囲内であることを示唆する場合と、第２基準値未満となる具体的な単一の数値であることを示唆する場合とが含まれている。
【０１８３】
例えば中期待度のメッセージ予告ＭＳ２と比較的に大当り期待度が高いステップアップ予告ＳＵ３とが実行された後に、低期待度のリーチ成立時予告ＧＲ１が実行されるような演出の組合せにはならないように、示唆演出の補正などが行われてもよい。このように、複数のタイミングのうち所定タイミング（例えばステップアップ予告が実行される全図柄変動中のタイミング）以前のタイミングにて大当り遊技状態となる可能性が所定期待度未満であることを示唆する示唆演出が実行されない場合には、所定タイミングより後のタイミングにて大当り遊技状態となる可能性が所定期待度未満であることを予告する示唆演出が実行されないように制限してもよい。あるいは、複数のタイミングのうち所定タイミング以前のタイミングにて大当り遊技状態となる可能性が所定期待度以上であることを示唆する示唆演出のみが実行された場合には、所定タイミングより後のタイミングにて大当り遊技状態となる可能性が所定期待度未満であることを示唆する示唆演出は実行されず、所定期待度以上であることを予告する示唆演出が実行されるようにしてもよい。
【０１８４】
１のタイミングで実行可能な示唆演出により示唆できる大当り期待度と、他のタイミングで実行可能な示唆演出により示唆できる大当り期待度とが、所定関係になることを禁止するように制限するものに限定されず、例えば所定関係以外の関係になる場合よりも決定割合が極めて低くなるように、所定関係以外の関係になる示唆演出が実行されにくいように制限してもよい。例えば、複数のタイミングのうち第１タイミングにて大当り期待度が第１基準値以上であることを示唆する高期待度の示唆演出が実行される場合に、第１タイミングよりも遅い第２タイミングにて大当り期待度が第２基準値未満であることを示唆する示唆演出が実行されにくいように制限してもよい。
【０１８５】
こうした示唆演出における組合せの禁止や制限が行われる場合に、複数のタイミングのうち第１タイミングで大当り期待度の高い示唆演出が選択されると、第２タイミングで選択することができる示唆演出の演出態様が限定されてしまい、演出内容が単調になるおそれがある。そこで、第１タイミングより遅い第２タイミングにて実行可能な示唆演出により示唆できる大当り期待度の段階数は、第１タイミングにて実行可能な示唆演出により示唆できる大当り期待度の段階数に比べて多くなるように設定することで、示唆演出の演出内容が単調になることを防止して、多様な示唆演出を実行可能にしてもよい。
【０１８６】
この実施の形態では、「擬似連」の可変表示演出を実行可能な変動パターンが指定された場合に、１回分の擬似連変動（初回変動を含む）が開始されてから擬似連チャンス目が仮停止表示されるまでの所要時間を利用して、期待度昇格演出を実行可能にする。すなわち、期待度昇格演出は、「擬似連」の可変表示演出を実行する変動パターン（再可変表示パターン）が使用パターンに決定されたことに基づいて実行可能となり、１回分の擬似連変動を期待度昇格演出に置換して実行する。これにより、期待度昇格演出が実行される場合には、変動パターンに対応する擬似連回数よりも１回少ない擬似連変動が実行されることになる。ただし、擬似連回数が１回の変動パターンであれば、初回変動の部分が期待度昇格演出に置換して実行されることから、擬似連変動が実行されなくなる。なお、１回分の擬似連変動を期待度昇格演出に置換して実行するものに限定されず、例えば２回といった複数回の擬似連変動を期待度昇格演出に置換して実行するものであってもよい。あるいは、例えばノーマルのリーチ演出や発展演出といった、擬似連変動とは異なる所定の演出期間を期待度昇格演出に置換して実行するものであってもよい。
【０１８７】
このように、擬似連変動の実行回数を変動パターンに対応する擬似連回数（本来の擬似連回数）よりも少なくすることで生じる可変表示時間の余剰部分を使って、期待度昇格演出を実行すればよい。ただし、可変表示が開始されてから表示結果が導出されるまでに期待度昇格演出が実行される演出期間は、減少させた擬似連変動が本来ならば実行されるはずであった期間（変動演出期間）と、合致させる必要はない。例えば、変動パターンに対応する擬似連回数よりも少ない擬似連変動を実行した後に（擬似連回数が１回の変動パターンであれば擬似連変動を実行せずに）、まずは飾り図柄の可変表示状態をリーチ状態として、ノーマルのリーチ演出などを開始してから、特定タイミングにて期待度昇格演出が実行されるようにすればよい。すなわち、飾り図柄の可変表示状態がリーチ状態となった後の特定タイミングにて、期待度昇格演出が実行されるようにすればよい。
【０１８８】
期待度昇格演出では、リーチ演出や再変動演出、予告演出といった示唆演出について、既に実行された示唆演出の演出態様を示す演出を行った後に、その演出により報知された演出態様を、大当り期待度がより高い演出態様を示す演出に変更して報知する。こうした複数の示唆演出のうち、再変動演出やメッセージ予告、リーチ成立時予告といった所定の示唆演出では、所定画像を表示する画像表示演出が行われ、大当り期待度に応じて所定画像の一部の表示態様を異なる表示態様で表示する。この場合、期待度昇格演出では、既に実行された画像表示演出における所定画像の表示態様を示す演出を、所定画像の一部の表示態様が大当り期待度のより高い表示態様となる所定画像を示す演出に変更して表示する。
【０１８９】
また、ステップアップ予告といった所定の示唆演出では、演出態様を１段階から複数段階まで段階的に変化可能であり、演出態様が変化する段階数（ステップ数）の増加に伴い大当り期待度が高くなる。この場合、期待度昇格演出では、既に実行されたステップアップ予告の段階数（ステップ数）を示す演出を、より多くの段階数（ステップ数）を示す演出に変更して報知する。
【０１９０】
期待度昇格演出において、既に実行された示唆演出の演出態様を示す演出は、その示唆演出をすべて最初から実行し直すものである必要はなく、演出態様に応じた大当り期待度を遊技者が認識できるように、少なくとも示唆演出の一場面を含むものであればよい。あるいは、示唆演出とは異なる演出ではあるものの、既に実行された示唆演出の演出態様を示す態様報知情報を含んだ演出が実行されることにより、遊技者が示唆演出の演出態様を認識（確認）できるようにしてもよい。また、期待度昇格演出は示唆演出とは異なり、擬似連変動ごとに示唆演出の演出態様を変化させる場合のように、期待度昇格演出の前後にて飾り図柄の可変表示を繰返し実行する期間（変動演出期間）は不要である。
【０１９１】
一例として、ステップアップ予告ＳＵ２が示唆演出として実行された後に、期待度昇格演出によりステップアップ予告ＳＵ４への変更を報知するものとする。この場合、期待度昇格演出では、示唆演出の演出態様として、ステップアップ予告ＳＵ２における演出表示ＳＵＥ１と演出表示ＳＵＥ２の全部をやり直した上で、ステップアップ予告ＳＵ４における演出表示ＳＵＥ１〜ＳＵＥ４の全部を変更後（昇格後）の演出態様として切替表示してもよい。このようにしても、期待度昇格演出の前後や演出態様を変更する前後における変動演出期間が不要になることから、可変表示の長期化や演出の間延びを防止できる。あるいは、期待度昇格演出にて報知する示唆演出の演出態様として、ステップアップ予告ＳＵ２における演出表示ＳＵＥ１と演出表示ＳＵＥ２の全部をやり直した上で、ステップアップ予告ＳＵ４に含まれる演出表示ＳＵＥ４だけを変更後（昇格後）の演出態様として表示してもよい。あるいは、期待度昇格演出にて報知する示唆演出の演出態様として、ステップアップ予告ＳＵ２に含まれる演出表示ＳＵＥ２だけをやり直した上で、ステップアップ予告ＳＵ４における演出表示ＳＵＥ１〜ＳＵＥ４の全部を変更後（昇格後）の演出態様として切替表示してもよい。あるいは、期待度昇格演出にて報知する示唆演出の演出態様として、ステップ予告ＳＵ２に含まれる演出表示ＳＵＥ２だけをやり直した上で、ステップアップ予告ＳＵ４に含まれる演出表示ＳＵＥ４だけを変更後（昇格後）の演出態様として表示してもよい。
【０１９２】
なお、期待度昇格演出において、示唆演出の演出態様が、例えば大当り遊技状態になることの確定を報知する演出態様となる場合のように、大当り期待度が極めて高い特別の演出態様（プレミア演出など）となる場合には、既に実行された示唆演出の演出態様を示す演出を行うことなく、特別の演出態様を示す演出が報知されるようにしてもよい。
【０１９３】
期待度昇格演出の実行が開始される特定タイミングは、例えばノーマルのリーチ演出が開始された後のタイミングＴＭ０１や、発展演出が開始された後のタイミングＴＭ０２、スーパーＡのリーチ演出が開始された後のタイミングＴＭ０３といった、予め定められた複数のタイミングのうちから選択して設定することができる。なお、特定タイミングには、例えばノーマルのリーチ演出が開始される前のタイミング（リーチ成立となる以前のタイミング）といった、飾り図柄の可変表示が開始されてから表示結果が導出されるまでの任意のタイミングを設定できるようにしてもよい。
【０１９４】
図１６は、変動パターンＰＡ３−８、ＰＡ５−８に対応して、タイミングＴＭ０１を特定タイミングとして期待度昇格演出が実行される場合における各種演出の実行タイミングを示している。この場合、２回目の擬似連変動である第２擬似連にて飾り図柄の可変表示状態がリーチ状態となりリーチ成立となった後に、ノーマルのリーチ演出が開始されてから特定タイミングであるタイミングＴＭ０１となることにより、期待度昇格演出の実行が開始される。このように、変動パターンＰＡ３−８、ＰＡ５−８に対応する擬似連変動の実行回数は３回であるところ（図５を参照）、擬似連回数を２回に減少させたことにより生じる可変表示時間の余剰部分を使って、タイミングＴＭ０１を特定タイミングとして期待度昇格演出を実行することができる。
【０１９５】
図１７は、変動パターンＰＡ３−８、ＰＡ５−８に対応して、タイミングＴＭ０２を特定タイミングとして期待度昇格演出が実行される場合における各種演出の実行タイミングを示している。この場合、第２擬似連にてリーチ成立となった後に、ノーマルのリーチ演出に続いて発展演出が開始されてから特定タイミングであるタイミングＴＭ０２となることにより、期待度昇格演出の実行が開始される。
【０１９６】
図１８は、変動パターンＰＡ３−８、ＰＡ５−８に対応して、タイミングＴＭ０３を特定タイミングとして期待度昇格演出が実行される場合における各種演出の実行タイミングを示している。この場合、第２擬似連にてリーチ成立となった後に、ノーマルのリーチ演出と発展演出に続いてスーパーＡのリーチ演出が開始されてから特定タイミングであるタイミングＴＭ０３となることにより、期待度昇格演出の実行が開始される。
【０１９７】
飾り図柄の可変表示が開始されてから表示結果が導出されるまでの複数のタイミングにて、互いに演出態様（演出内容）が異なる複数の示唆演出が実行される場合に、期待度昇格演出では、複数の示唆演出のそれぞれについて、既に実行された示唆演出の演出態様を示す演出が、大当り期待度のより高い演出態様を示す演出に変更されたことを、所定順序で報知すればよい。このときには、既に実行された示唆演出の順序や実行間隔（開始タイミングの時間差あるいは示唆演出ごとのインターバル期間など）にかかわらず、特定タイミングにて開始された期待度昇格演出では、複数の示唆演出に対応して、演出態様の変更を報知する演出が連続的（順次）に行われるようにすればよい。
【０１９８】
例えば、飾り図柄の可変表示が開始されてから表示結果が導出されるまでに、第１タイミングにて第１の示唆演出が実行され、第１タイミングよりも遅い第２タイミングにて第２の示唆演出が実行されたとする。この場合、第１タイミングと第２タイミングとの時間差にかかわらず、第２タイミングより後の特定タイミングにて期待度昇格演出の実行が開始され、第１の示唆演出における演出態様を変更する報知と、第２の示唆演出における演出態様を変更する報知とを、所定順序で連続的に行うようにすればよい。したがって、擬似連変動ごとに複数のタイミングで複数の示唆演出の演出態様を変化させる場合のように、１の示唆演出が終了してから他の示唆演出が開始されるまでのインターバルにて飾り図柄の可変表示を実行する期間（変動演出期間）は、期待度昇格演出を実行すれば不要になる。
【０１９９】
なお、複数の示唆演出が実行される場合に、第１タイミングにて第１の示唆演出が開始され、その実行が終了した後に、第２タイミングにて第２の示唆演出が開始されてもよい。あるいは、第１タイミングにて第１の示唆演出が開始され、その実行が終了するより前に、第２タイミングにて第２の示唆演出が開始されるものであってもよい。すなわち、複数の示唆演出に含まれる１の示唆演出は、他の示唆演出と重複（競合）して実行される期間を含んでもよいし、他の示唆演出とは重複（競合）せずに所定のインターバル期間が設けられるものであってもよい。
【０２００】
リーチ演出や再変動演出、予告演出といった複数の示唆演出が実行される場合に、全部の示唆演出について、期待度昇格演出により演出態様が変更されるか否かを報知してもよい。一方、複数の示唆演出が実行される場合に、一部の示唆演出についてのみ、期待度昇格演出により演出態様が変更されるか否かを報知してもよい。複数の示唆演出のうちで既に実行された示唆演出についてのみ、期待度昇格演出により演出態様が変更されるか否かを報知してもよい。一方、複数の示唆演出のうちで実行されなかった示唆演出についても、期待度昇格演出により所定の演出態様となるか否かを報知してもよい。期待度昇格演出により演出態様が変更されるか否かの報知などを行う示唆演出の数は、「昇格演出総数」ともいう。
【０２０１】
昇格演出総数は、期待度昇格演出の実行開始タイミングである特定タイミングが、複数のタイミングＴＭ０１〜ＴＭ０３のうちいずれとなるかに応じて、異なる演出数に決定されてもよいし、異なる決定割合で決定されてもよい。一例として、ノーマルのリーチ演出が開始された後のタイミングＴＭ０１にて期待度昇格演出の実行が開始される場合には、昇格演出総数が「３」となり、再変動演出、メッセージ予告、ステップアップ予告の演出態様が変更されるか否かを、期待度昇格演出により報知する。一方、発展演出が開始された後のタイミングＴＭ０２やスーパーＡのリーチ演出が開始された後のタイミングＴＭ０３にて期待度昇格演出の実行が開始される場合には、タイミングＴＭ０１の場合と同様に昇格演出総数が「３」になることもあれば、タイミングＴＭ０１の場合とは異なり昇格演出総数が「５」になることもある。昇格演出総数が「５」の場合には、再変動演出、メッセージ予告、ステップアップ予告、リーチ成立時予告、リーチ演出といった、この実施の形態における示唆演出の全部について、演出態様が変更されるか否かを、期待度昇格演出により報知する。
【０２０２】
特定タイミングに決定可能な複数のタイミングＴＭ０１〜ＴＭ０３のうち、比較的に遅いタイミングにて期待度昇格演出の実行が開始されるときには、比較的に早いタイミングにて期待度昇格演出の実行が開始されるときよりも、より多くの示唆演出について演出態様が変更されるか否かを報知する割合が高くなればよい。
【０２０３】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。
【０２０４】
一例として、ＲＯＭ１２１には、演出制御用ＣＰＵ１２０が各種の演出装置（例えば画像表示装置５やスピーカ８Ｌ、８Ｒ、遊技効果ランプ９及び装飾用ＬＥＤ、演出用模型を構成する可動部材など）による演出動作を制御するために使用する演出制御パターンを複数種類格納した演出制御パターンテーブルが記憶されている。演出制御パターンは、パチンコ遊技機１における遊技の進行状況に応じて実行される各種の演出動作に対応して、その制御内容を示すデータなどから構成されている。演出制御パターンテーブルには、例えば特図変動時演出制御パターンと、予告演出制御パターンと、各種演出制御パターンとが、格納されていればよい。
【０２０５】
特図変動時演出制御パターンは、複数種類の変動パターンに対応して、特図ゲームにおいて特別図柄の変動が開始されてから特図表示結果となる確定特別図柄が導出表示されるまでの期間における、飾り図柄の可変表示動作やリーチ演出における演出表示動作、あるいは、飾り図柄の可変表示を伴わない各種の演出表示動作といった、様々な演出動作の制御内容を示すデータなどから構成されている。予告演出制御パターンは、予告パターンの決定結果に応じて実行される単一または複数の予告演出のそれぞれについて、演出動作の制御内容を示すデータなどから構成されている。各種演出制御パターンは、パチンコ遊技機１における遊技の進行状況に応じて実行される各種の演出動作に対応して、その制御内容を示すデータなどから構成されている。
【０２０６】
図１９（Ａ）は、各々の演出制御パターンの構成例を示している。図１９（Ａ）に示す構成例において、演出制御パターンは、例えば演出制御プロセスタイマ判定値、表示制御データ、音声制御データ、ランプ制御データ、操作検出制御データ、終了コードなどを含んだプロセスデータから構成されている。
【０２０７】
演出制御プロセスタイマ判定値は、演出制御タイマ設定部１９２に設けられた演出制御プロセスタイマの格納値である演出制御プロセスタイマ値と比較される値（判定値）であって、各演出動作の実行時間（演出時間）に対応した判定値が予め設定されている。なお、演出制御プロセスタイマ判定値に代えて、例えば主基板１１から所定の演出制御コマンドを受信したことや、演出制御用ＣＰＵ１２０において演出動作を制御するための処理として所定の処理が実行されたことといった、所定の制御内容や処理内容に対応して、演出制御の切替タイミング等を示すデータが設定されていてもよい。
【０２０８】
表示制御データには、例えば飾り図柄の可変表示中における各飾り図柄の変動態様を示すデータといった、画像表示装置５の画面上における演出画像の表示態様を示すデータが含まれている。すなわち、表示制御データは、画像表示装置５の画面上における演出画像の表示動作を指定するデータである。音声制御データには、例えば飾り図柄の可変表示中における飾り図柄の可変表示動作に連動した効果音等の出力態様を示すデータといった、スピーカ８Ｌ、８Ｒからの音声出力態様を示すデータが含まれている。すなわち、音声制御データは、スピーカ８Ｌ、８Ｒからの音声出力動作を指定するデータである。ランプ制御データには、例えば遊技効果ランプ９や装飾用ＬＥＤといった、発光体の点灯動作態様を示すデータが含まれている。すなわち、ランプ制御データは、発光体の点灯動作を指定するデータである。
【０２０９】
操作検出制御データには、例えばスティックコントローラ３１Ａの操作桿に対する傾倒操作とトリガボタンに対する指示操作とを有効に検出する操作有効期間、あるいはプッシュボタン３１Ｂに対する指示操作を有効に検出する操作有効期間や、各々の操作を有効に検出した場合における演出動作の制御内容等を指定するデータといった、遊技者の操作行為に応じた演出動作態様を示すデータが含まれている。
【０２１０】
なお、これらの制御データは、全ての演出制御パターンに含まれなければならないものではなく、各演出制御パターンによる演出動作の内容に応じて、一部の制御データを含んで構成される演出制御パターンがあってもよい。また、演出制御パターンに含まれる複数種類のプロセスデータでは、各タイミングで実行される演出動作の内容に応じて、それぞれのプロセスデータを構成する制御データの種類が異なっていてもよい。すなわち、表示制御データや音声制御データ、ランプ制御データ、操作検出制御データの全部を含んで構成されたプロセスデータもあれば、これらの一部を含んで構成されたプロセスデータもあってよい。さらに、例えば演出用模型に含まれる可動部材における動作態様を示す演出用可動部材制御データといった、その他の各種制御データが含まれることがあってもよい。
【０２１１】
図１９（Ｂ）は、演出制御パターンの内容に従って実行される各種の演出動作を示している。演出制御用ＣＰＵ１２０は、演出制御パターンに含まれる各種の制御データに従って、演出動作の制御内容を決定する。例えば、演出制御プロセスタイマ値が演出制御プロセスタイマ判定値のいずれかと合致したときには、その演出制御プロセスタイマ判定値と対応付けられた表示制御データにより指定される態様で飾り図柄を表示させるとともに、キャラクタ画像や背景画像といった演出画像を画像表示装置５の画面上に表示させる制御を行う。また、音声制御データにより指定される態様でスピーカ８Ｌ、８Ｒから音声を出力させる制御を行うとともに、ランプ制御データにより指定される態様で遊技効果ランプ９や装飾用ＬＥＤ等の発光体を点滅させる制御を行い、操作検出制御データにより指定される操作有効期間にてスティックコントローラ３１Ａやプッシュボタン３１Ｂに対する操作を受け付けて演出内容を決定する制御を行う。なお、演出制御プロセスタイマ判定値と対応していても制御対象にならない演出用部品に対応するデータには、ダミーデータ（制御を指定しないデータ）が設定されてもよい。図１９（Ｂ）に示す演出動作は、飾り図柄の変動が開始されてから最終停止するまでの期間全体に対応しているが、これに限定されるものではなく、飾り図柄の可変表示中における一部の期間に対応して演出動作を実行するための演出制御パターンが設けられてもよい。あるいは、飾り図柄の可変表示中以外の所定期間（例えば大当り遊技状態においてラウンドを実行中の期間や、大当り遊技状態の終了時にエンディング演出を実行する期間など）に対応して演出動作を実行するための演出制御パターンが設けられてもよい。
【０２１２】
演出制御用ＣＰＵ１２０は、例えば飾り図柄の可変表示を開始するときなどに、変動パターン指定コマンドに示された変動パターンなどに基づいて演出制御パターン（特図変動時演出制御パターン）をセットする。また、演出制御用ＣＰＵ１２０は、予告パターンの決定結果に対応して、飾り図柄の可変表示を開始するときなどに、対応する演出制御パターン（予告演出制御パターン）をセットする。ここで、演出制御パターンをセットする際には、該当する演出制御パターンを構成するパターンデータを、ＲＯＭ１２１から読み出してＲＡＭ１２２の所定領域に一時記憶させてもよいし、該当する演出制御パターンを構成するパターンデータのＲＯＭ１２１における記憶アドレスを、ＲＡＭ１２２の所定領域に一時記憶させて、ＲＯＭ１２１における記憶データの読出位置を指定するだけでもよい。
【０２１３】
その後、演出制御プロセスタイマ値が更新されるごとに、演出制御プロセスタイマ判定値のいずれかと合致したか否かの判定を行い、合致した場合には、対応する各種の制御データに応じた演出動作の制御を行う。こうして、演出制御用ＣＰＵ１２０は、演出制御パターンに含まれるプロセスデータ＃１〜プロセスデータ＃ｎ（ｎは任意の整数）の内容に従って、演出装置（画像表示装置５、スピーカ８Ｌ、８Ｒ、遊技効果ランプ９や装飾用ＬＥＤ等の発光体、演出用模型に含まれる可動部材など）の制御を進行させる。なお、各プロセスデータ＃１〜プロセスデータ＃ｎにおいて、演出制御プロセスタイマ判定値＃１〜＃ｎと対応付けられた表示制御データ＃１〜表示制御データ＃ｎ、音声制御データ＃１〜音声制御データ＃ｎ、ランプ制御データ＃１〜ランプ制御データ＃ｎ、操作検出制御データ＃１〜操作検出制御データ＃ｎは、演出装置における演出動作の制御内容を示し、演出制御の実行を指定する演出制御実行データ＃１〜演出制御実行データ＃ｎを構成する。
【０２１４】
こうしてセットした演出制御パターンに従った指令が、演出制御用ＣＰＵ１２０から表示制御部１２３や音声制御基板１３、ランプ制御基板１４などに対して出力される。演出制御用ＣＰＵ１２０からの指令を受けた表示制御部１２３では、例えば所定のＶＤＰ等がその指令に示される画像データをＣＧＲＯＭ等の画像データメモリから読み出してＶＲＡＭに一時記憶させることなどにより展開させる。また、演出制御用ＣＰＵ１２０からの指令を受けた音声制御基板１３では、例えば音声合成用ＩＣがその指令に示される音声データを音声データＲＯＭから読み出して音声ＲＡＭ等に一時記憶させることなどにより展開させる。
【０２１５】
この実施の形態では、「擬似連」の可変表示演出を実行可能な変動パターンが指定されたことに基づいて、期待度昇格演出が実行される場合がある。そして、期待度昇格演出の実行が開始される特定タイミングは、タイミングＴＭ０１〜ＴＭ０３といった複数のタイミングのいずれかに決定される。こうした期待度昇格演出の有無や、特定タイミングの設定に対応して、期待度昇格演出を実行可能な変動パターンごとに、複数の演出制御パターン（特図変動時演出制御パターン）を予め用意しておけばよい。
【０２１６】
図２０は、「擬似連」の可変表示演出における擬似連変動の繰返し実行回数（擬似連回数）が３回であり、スーパーＢのリーチ演出まで実行される変動パターンＰＡ３−８、ＰＡ５−８に対応して、期待度昇格演出の有無や特定タイミングに応じた演出制御パターンの設定例を示している。この設定例では、変動パターンＰＡ３−８や変動パターンＰＡ５−８が変動パターン指定コマンドにより指定された場合に、期待度昇格演出の有無や特定タイミングの決定結果に応じて、異なる演出制御パターンを決定することができる。したがって、期待度昇格演出を実行せずに３回の擬似連変動を実行する場合や、１回分の擬似連変動を期待度昇格演出に置換して実行する場合（特定タイミングがタイミングＴＭ０１〜ＴＭ０３のいずれかとなる場合）のそれぞれに対応して、各種の演出動作を制御することができる。
【０２１７】
図２０では、変動パターンＰＡ３−８と変動パターンＰＡ５−８について、演出制御パターンの設定例を示しているが、「擬似連」の可変表示演出とリーチ演出を実行可能な他の変動パターンについても同様に、期待度昇格演出の有無や、特定タイミングの設定に対応して、複数の演出制御パターン（特図変動時演出制御パターン）を予め用意すればよい。こうして、この実施の形態では、「擬似連」の可変表示演出とリーチ演出を伴う変動パターンに決定されたことに基づいて、期待度昇格演出を実行することができる。なお、ノーマルのリーチ演出を含めた任意のリーチ演出を伴う変動パターンに基づいて期待度昇格演出を実行可能にするものに限定されず、例えば「擬似連」の可変表示演出とスーパーリーチ（スーパーＡまたはスーパーＢ）のリーチ演出を伴う特定の変動パターンに決定されたときに限り、期待度昇格演出が実行可能になるようにしてもよい。あるいは、「擬似連」の可変表示演出が実行される変動パターンであれば、リーチ演出を伴わない非リーチ変動パターンであっても、期待度昇格演出が実行可能になるようにしてもよい。
【０２１８】
図２に示す演出制御基板１２に搭載されたＲＡＭ１２２には、演出動作を制御するために用いられる各種データを保持する領域として、例えば図２１に示すような演出制御用データ保持エリア１９０が設けられている。図２１に示す演出制御用データ保持エリア１９０は、演出制御フラグ設定部１９１と、演出制御タイマ設定部１９２と、演出制御カウンタ設定部１９３と、演出制御バッファ設定部１９４とを備えている。
【０２１９】
演出制御フラグ設定部１９１には、例えば画像表示装置５の画面上における演出画像の表示状態などといった演出動作状態や主基板１１から伝送された演出制御コマンド等に応じて状態を更新可能な複数種類のフラグが設けられている。例えば、演出制御フラグ設定部１９１には、複数種類のフラグそれぞれについて、フラグの値を示すデータや、オン状態あるいはオフ状態を示すデータが記憶される。
【０２２０】
演出制御タイマ設定部１９２には、例えば画像表示装置５の画面上における演出画像の表示動作などといった各種演出動作の進行を制御するために用いられる複数種類のタイマが設けられている。例えば、演出制御タイマ設定部１９２には、複数種類のタイマそれぞれにおけるタイマ値を示すデータが記憶される。
【０２２１】
演出制御カウンタ設定部１９３には、各種演出動作の進行を制御するために用いられる複数種類のカウンタが設けられている。例えば、演出制御カウンタ設定部１９３には、複数種類のカウンタそれぞれにおけるカウント値を示すデータが記憶される。
【０２２２】
演出制御バッファ設定部１９４には、各種演出動作の進行を制御するために用いられるデータを一時的に記憶する各種のバッファが設けられている。例えば、演出制御バッファ設定部１９４には、複数種類のバッファそれぞれにおけるバッファ値を示すデータが記憶される。
【０２２３】
図２に示す演出制御基板１２に搭載された表示制御部１２３は、演出制御用ＣＰＵ１２０からの表示制御指令などに基づき、画像表示装置５の画面上における表示動作の制御処理を実行する。例えば、表示制御部１２３は、画像表示装置５の画面上に表示させる演出画像の切換タイミングを決定することなどにより、飾り図柄の可変表示や各種の演出表示を実行させるための制御を行う。一例として、表示制御部１２３には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサ（画像処理プロセッサ）であってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【０２２４】
演出制御基板１２に搭載されたＩ／Ｏ１２５は、例えば主基板１１などから伝送された演出制御コマンドやコントローラセンサユニット３５Ａまたはプッシュセンサ３５Ｂから伝送された操作検出信号等の各種信号を取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）などが出力される。
【０２２５】
音声制御基板１３には、例えば入出力ドライバや音声合成用ＩＣ、音声データＲＯＭ、増幅回路、ボリュームなどが搭載されている。一例として、音声制御基板１３では、演出制御基板１２から伝送された効果音信号に示される音番号データが入出力ドライバを介して音声合成用ＩＣに入力される。音声合成用ＩＣは、音番号データに応じた音声や効果音を生成し増幅回路に出力する。増幅回路は、音声合成用ＩＣの出力レベルを、ボリュームで設定されている音量に応じたレベルに増幅した音声信号を、スピーカ８Ｌ、８Ｒに出力する。音声データＲＯＭには、音番号データに応じた制御データが格納されており、音声合成用ＩＣが音番号データに応じた制御データを読み出して、音声や効果音が生成される。音声データＲＯＭの記憶データは、所定期間における音声や効果音の出力態様を時系列的に示すデータなどから構成されていればよい。
【０２２６】
ランプ制御基板１４には、例えば入出力ドライバやランプドライバなどが搭載されている。一例として、ランプ制御基板１４では、演出制御基板１２から伝送された電飾信号が、入出力ドライバを介してランプドライバに入力される。ランプドライバは、電飾信号を増幅して遊技効果ランプ９や装飾用ＬＥＤなどに供給する。
【０２２７】
次に、本実施例におけるパチンコ遊技機１の動作（作用）を説明する。
【０２２８】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【０２２９】
こうした遊技制御メイン処理を実行したＣＰＵ１０３は、ＣＴＣからの割込み要求信号を受信して割込み要求を受け付けると、図２２のフローチャートに示す遊技制御用タイマ割込み処理を実行する。図２２に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチから入力される検出信号の状態を判定する（ステップＳ１１）。続いて、所定のメイン側エラー処理を実行することにより、パチンコ遊技機１の異常診断を行い、その診断結果に応じて必要ならば警告を発生可能とする（ステップＳ１２）。この後、所定の情報出力処理を実行することにより、例えばパチンコ遊技機１の外部に設置されたホール管理用コンピュータに供給される大当り情報、始動情報、確率変動情報などのデータを出力する（ステップＳ１３）。
【０２３０】
情報出力処理に続いて、主基板１１の側で用いられる乱数値ＭＲ１〜ＭＲ５といった遊技用乱数の少なくとも一部をソフトウェアにより更新するための遊技用乱数更新処理を実行する（ステップＳ１４）。この後、ＣＰＵ１０３は、特別図柄プロセス処理を実行する（ステップＳ１５）。特別図柄プロセス処理では、遊技制御フラグ設定部１５２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。
【０２３１】
特別図柄プロセス処理に続いて、普通図柄プロセス処理が実行される（ステップＳ１６）。ＣＰＵ１０３は、普通図柄プロセス処理を実行することにより、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする。
【０２３２】
普通図柄プロセス処理を実行した後、ＣＰＵ１０３は、コマンド制御処理を実行することにより、主基板１１から演出制御基板１２などのサブ側の制御基板に対して制御コマンドを伝送させる（ステップＳ１７）。一例として、コマンド制御処理では、遊技制御バッファ設定部１５５に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【０２３３】
図２３は、特別図柄プロセス処理として、図２２に示すステップＳ１５にて実行される処理の一例を示すフローチャートである。この特別図柄プロセス処理において、ＣＰＵ１０３は、まず、始動入賞判定処理を実行する（ステップＳ１０１）。図２４は、始動入賞判定処理として、図２３のステップＳ１０１にて実行される処理の一例を示すフローチャートである。
【０２３４】
図２４に示す始動入賞判定処理において、ＣＰＵ１０３は、まず、普通入賞球装置６Ａが形成する第１始動入賞口に対応して設けられた第１始動口スイッチ２２Ａからの検出信号に基づき、第１始動口スイッチ２２Ａがオンであるか否かを判定する（ステップＳ２０１）。このとき、第１始動口スイッチ２２Ａがオンであれば（ステップＳ２０１；Ｙｅｓ）、第１特図を用いた特図ゲームの保留記憶数である第１特図保留記憶数が、所定の上限値（例えば上限記憶数としての「４」）となっているか否かを判定する（ステップＳ２０２）。ＣＰＵ１０３は、例えば遊技制御カウンタ設定部１５４に設けられた第１保留記憶数カウンタの格納値である第１保留記憶数カウント値を読み取ることにより、第１特図保留記憶数を特定できればよい。ステップＳ２０２にて第１特図保留記憶数が上限値ではないときには（ステップＳ２０２；Ｎｏ）、例えば遊技制御バッファ設定部１５５に設けられた始動口バッファの格納値を、「１」に設定する（ステップＳ２０３）。
【０２３５】
ステップＳ２０１にて第１始動口スイッチ２２Ａがオフであるときや（ステップＳ２０１；Ｎｏ）、ステップＳ２０２にて第１特図保留記憶数が上限値に達しているときには（ステップＳ２０２；Ｙｅｓ）、普通可変入賞球装置６Ｂが形成する第２始動入賞口に対応して設けられた第２始動口スイッチ２２Ｂからの検出信号に基づき、第２始動口スイッチ２２Ｂがオンであるか否かを判定する（ステップＳ２０４）。このとき、第２始動口スイッチ２２Ｂがオンであれば（ステップＳ２０４；Ｙｅｓ）、第２特図を用いた特図ゲームの保留記憶数である第２特図保留記憶数が、所定の上限値（例えば上限記憶数としての「４」）となっているか否かを判定する（ステップＳ２０５）。ＣＰＵ１０３は、例えば遊技制御カウンタ設定部１５４に設けられた第２保留記憶数カウンタの格納値である第２保留記憶数カウント値を読み取ることにより、第２特図保留記憶数を特定できればよい。ステップＳ２０５にて第２特図保留記憶数が上限値ではないときには（ステップＳ２０５；Ｎｏ）、例えば遊技制御バッファ設定部１５５に設けられた始動口バッファの格納値を、「２」に設定する（ステップＳ２０６）。
【０２３６】
ステップＳ２０３、Ｓ２０６の処理のいずれかを実行した後には、始動口バッファの格納値である始動口バッファ値に応じた特図保留記憶数を１加算するように更新する（ステップＳ２０７）。例えば、始動口バッファ値が「１」であるときには第１保留記憶数カウント値を１加算する一方で、始動口バッファ値が「２」であるときには第２保留記憶数カウント値を１加算する。こうして、第１保留記憶数カウント値は、第１始動入賞口を遊技球が通過（進入）して第１特図を用いた特図ゲームに対応した第１始動条件が成立したときに、１増加するように更新される。また、第２保留記憶数カウント値は、第２始動入賞口を遊技球が通過（進入）して第２特図を用いた特図ゲームに対応した第２始動条件が成立したときに、１増加するように更新される。このときには、合計保留記憶数も１加算するように更新する（ステップＳ２０８）。例えば、遊技制御カウンタ設定部１５４に設けられた合計保留記憶数カウンタの格納値である合計保留記憶数カウント値を、１加算するように更新すればよい。
【０２３７】
ステップＳ２０８の処理を実行した後に、ＣＰＵ１０３は、乱数回路１０４や遊技制御カウンタ設定部１５４のランダムカウンタによって更新されている数値データのうちから、特図表示結果決定用の乱数値ＭＲ１や大当り種別決定用の乱数値ＭＲ２、変動パターン種別決定用の乱数値ＭＲ３を示す数値データを、抽出する（ステップＳ２０９）。こうして抽出した各乱数値を示す数値データは、始動口バッファ値に応じた特図保留記憶部における空きエントリの先頭に、保留情報としてセットされることで記憶される（ステップＳ２１０）。例えば、始動口バッファ値が「１」であるときには、第１特図保留記憶部１５１Ａに乱数値ＭＲ１〜ＭＲ３を示す数値データがセットされる一方、始動口バッファ値が「２」であるときには、第２特図保留記憶部１５１Ｂに乱数値ＭＲ１〜ＭＲ３を示す数値データがセットされる。
【０２３８】
特図表示結果決定用の乱数値ＭＲ１や大当り種別決定用の乱数値ＭＲ２を示す数値データは、特別図柄や飾り図柄の可変表示結果を「大当り」とするか否か、さらには可変表示結果を「大当り」とする場合の大当り種別を決定するために用いられる。変動パターン種別決定用の乱数値ＭＲ３は、特別図柄や飾り図柄の可変表示時間を含む変動パターンが属する変動パターン種別を決定するために用いられる。ＣＰＵ１０３は、ステップＳ２０９の処理を実行することにより、特別図柄や飾り図柄の可変表示結果や可変表示時間を含む可変表示態様の決定に用いられる乱数値のうち、一部または全部を示す数値データを抽出する。
【０２３９】
ステップＳ２１０の処理に続いて、始動口バッファ値に応じた保留記憶数通知コマンドの送信設定が行われる（ステップＳ２１１）。例えば、始動口バッファ値が「１」であるときにはＲＯＭ１０１における第１保留記憶数通知コマンドテーブルの記憶アドレスを送信コマンドバッファにおいて送信コマンドポインタにより指定されたバッファ領域に格納することなどにより、演出制御基板１２に対して第１保留記憶数通知コマンドを送信するための設定を行う。これに対して、始動口バッファ値が「２」であるときにはＲＯＭ１０１における第２保留記憶数通知コマンドテーブルの記憶アドレスを送信コマンドバッファのバッファ領域に格納することなどにより、演出制御基板１２に対して第２保留記憶数通知コマンドを送信するための設定を行う。こうして設定された保留記憶数通知コマンドは、例えば特別図柄プロセス処理が終了した後、図２２に示すステップＳ１７のコマンド制御処理が実行されることなどにより、主基板１１から演出制御基板１２に対して伝送される。
【０２４０】
ステップＳ２１１の処理を実行した後には、始動口バッファ値が「１」であるか「２」であるかを判定する（ステップＳ２１２）。このとき、始動口バッファ値が「１」であれば（ステップＳ２１２；「１」）、始動口バッファをクリアして、その格納値を「０」に初期化してから（ステップＳ２１３）、ステップＳ２０４の処理に進む。これに対して、始動口バッファ値が「２」であるときには（ステップＳ２１２；「２」）、始動口バッファをクリアして、その格納値を「０」に初期化してから（ステップＳ２１４）、始動入賞判定処理を終了する。これにより、第１始動口スイッチ２２Ａと第２始動口スイッチ２２Ｂの双方が同時に有効な遊技球の始動入賞を検出した場合でも、確実に双方の有効な始動入賞の検出に基づく処理を完了できる。
【０２４１】
図２３のステップＳ１０１にて始動入賞判定処理を実行した後、ＣＰＵ１０３は、遊技制御フラグ設定部１５２に設けられた特図プロセスフラグの値に応じて、ステップＳ１１０〜Ｓ１１７の処理のいずれかを選択して実行する。
【０２４２】
ステップＳ１１０の特別図柄通常処理は、特図プロセスフラグの値が“０”のときに実行される。この特別図柄通常処理では、第１特図保留記憶部１５１Ａや第２特図保留記憶部１５１Ｂに記憶されている保留データの有無などに基づいて、第１特別図柄表示装置４Ａや第２特別図柄表示装置４Ｂによる特図ゲームを開始するか否かの判定が行われる。また、特別図柄通常処理では、特図表示結果決定用の乱数値ＭＲ１を示す数値データに基づき、特別図柄や飾り図柄の可変表示結果を「大当り」として大当り遊技状態に制御するか否かを、その可変表示結果が導出表示される以前に決定（事前決定）する。さらに、特別図柄通常処理では、特図ゲームにおける特別図柄の可変表示結果に対応して、第１特別図柄表示装置４Ａや第２特別図柄表示装置４Ｂによる特図ゲームにおける確定特別図柄（大当り図柄またはハズレ図柄のいずれか）が設定される。特別図柄通常処理では、特別図柄や飾り図柄の可変表示結果を事前決定したときに、特図プロセスフラグの値が“１”に更新される。
【０２４３】
ステップＳ１１１の変動パターン設定処理は、特図プロセスフラグの値が“１”のときに実行される。この変動パターン設定処理には、可変表示結果を「大当り」とするか否かの事前決定結果などに基づき、変動パターン種別決定用の乱数値ＭＲ３を示す数値データを用いて変動パターン種別を複数種類のいずれかに決定する処理や、変動パターン種別の決定結果に基づき、変動パターン決定用の乱数値ＭＲ４を示す数値データを用いて変動パターンを複数種類のいずれかに決定する処理などが含まれている。変動パターン設定処理が実行されて特別図柄の可変表示が開始されたときには、特図プロセスフラグの値が“２”に更新される。
【０２４４】
ステップＳ１１０の特別図柄通常処理やステップＳ１１１の変動パターン設定処理により、特別図柄の可変表示結果となる確定特別図柄や特別図柄および飾り図柄の可変表示時間を含む変動パターンが決定される。すなわち、特別図柄通常処理や変動パターン設定処理は、特図表示結果決定用の乱数値ＭＲ１、大当り種別決定用の乱数値ＭＲ２、変動パターン種別決定用の乱数値ＭＲ３、変動パターン決定用の乱数値ＭＲ４を用いて、特別図柄や飾り図柄の可変表示態様を決定する処理を含んでいる。
【０２４５】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。例えば、ステップＳ１１２の特別図柄変動処理が実行されるごとに、遊技制御タイマ設定部１５３に設けられた特図変動タイマにおける格納値である特図変動タイマ値を１減算あるいは１加算して、第１特別図柄表示装置４Ａにおける第１特図を用いた特図ゲームであるか、第２特別図柄表示装置４Ｂにおける第２特図を用いた特図ゲームであるかにかかわらず、共通のタイマによって経過時間の測定が行われる。また、計測された経過時間が変動パターンに対応する特図変動時間に達したか否かの判定も行われる。このように、ステップＳ１１２の特別図柄変動処理は、第１特別図柄表示装置４Ａにおける第１特図を用いた特図ゲームでの特別図柄の変動や、第２特別図柄表示装置４Ｂにおける第２特図を用いた特図ゲームでの特別図柄の変動を、共通の処理ルーチンによって制御する処理となっていればよい。そして、特別図柄の変動を開始してからの経過時間が特図変動時間に達したときには、特図プロセスフラグの値が“３”に更新される。
【０２４６】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の可変表示結果となる確定特別図柄を停止表示（導出）させるための設定を行う処理が含まれている。そして、遊技制御フラグ設定部１５２に設けられた大当りフラグがオンとなっているか否かの判定などが行われ、大当りフラグがオンである場合には特図プロセスフラグの値が“４”に更新される。その一方で、大当りフラグがオフである場合には、特図プロセスフラグの値が“０”に更新される。
【０２４７】
ステップＳ１１２の特別図柄変動処理やステップＳ１１３の特別図柄停止処理により、第１特別図柄表示装置４Ａや第２特別図柄表示装置４Ｂを用いた特図ゲームにおける特別図柄の可変表示が実行され、可変表示結果となる確定特別図柄（最終停止図柄）が導出される。すなわち、特別図柄変動処理や特別図柄停止処理は、特別図柄通常処理や変動パターン設定処理における決定結果や設定内容に基づいて、第１特別図柄表示装置４Ａや第２特別図柄表示装置４Ｂによる特別図柄の可変表示を行い、表示結果を導出表示させるための処理を含んでいる。
【０２４８】
ステップＳ１１４の大当り開放前処理は、特図プロセスフラグの値が“４”のときに実行される。この大当り開放前処理には、可変表示結果が「大当り」となったことなどに基づき、大当り遊技状態においてラウンドの実行を開始して大入賞口を開放状態とするための設定を行う処理などが含まれている。一例として、大入賞口を開放状態とする期間の上限を「２９秒」に設定するとともに、ラウンドを実行する上限回数となる大入賞口の開放回数を「１５回」に設定すればよい。このときには、特図プロセスフラグの値が“５”に更新される。
【０２４９】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新される。
【０２５０】
ステップＳ１１６の大当り開放後処理は、特図プロセスフラグの値が“６”のときに実行される。この大当り開放後処理には、大入賞口を開放状態とするラウンドの実行回数が大入賞口開放回数最大値に達したか否かを判定する処理や、大入賞口開放回数最大値に達した場合に当り終了指定コマンドを送信するための設定を行う処理などが含まれている。そして、ラウンドの実行回数が大入賞口開放回数最大値に達していないときには、特図プロセスフラグの値が“５”に更新される一方、大入賞口開放回数最大値に達したときには、特図プロセスフラグの値が“７”に更新される。
【０２５１】
ステップＳ１１７の大当り終了処理は、特図プロセスフラグの値が“７”のときに実行される。この大当り終了処理には、画像表示装置５やスピーカ８Ｌ、８Ｒ、遊技効果ランプ９などといった演出装置により、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新される。
【０２５２】
図２５は、特別図柄通常処理として、図２３のステップＳ１１０にて実行される処理の一例を示すフローチャートである。図２５に示す特別図柄通常処理において、ＣＰＵ１０３は、まず、第２特図保留記憶数が「０」であるか否かを判定する（ステップＳ２３１）。第２特図保留記憶数は、第２特別図柄表示装置４Ｂによる第２特図を用いた特図ゲームの保留記憶数である。例えば、ステップＳ２３１の処理では、遊技制御カウンタ設定部１５４に記憶されている第２保留記憶数カウント値を読み出し、その読出値が「０」であるか否かを判定すればよい。
【０２５３】
ステップＳ２３１にて第２特図保留記憶数が「０」以外であるときには（ステップＳ２３１；Ｎｏ）、第２特図保留記憶部１５１Ｂにて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３２）。このとき読み出された数値データは、例えば変動用乱数バッファなどに格納されて、一時記憶されればよい。
【０２５４】
ステップＳ２３２の処理に続いて、例えば第２保留記憶数カウント値を１減算して更新することなどにより、第２特図保留記憶数を１減算させるように更新するとともに、第２特図保留記憶部１５１Ｂにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３３）。また、ステップＳ２３３の処理では、遊技制御カウンタ設定部１５４にて合計保留記憶数カウンタが記憶する合計保留記憶数カウント値を１減算するように更新してもよい。このときには、変動特図指定バッファの格納値である変動特図指定バッファ値を「２」に更新する（ステップＳ２３４）。
【０２５５】
ステップＳ２３１にて第２特図保留記憶数が「０」であるときには（ステップＳ２３１；Ｙｅｓ）、第１特図保留記憶数が「０」であるか否かを判定する（ステップＳ２３５）。第１特図保留記憶数は、第１特別図柄表示装置４Ａによる第１特図を用いた特図ゲームの保留記憶数である。例えば、ステップＳ２３５の処理では、遊技制御カウンタ設定部１５４にて第１保留記憶数カウンタが記憶する第１保留記憶数カウント値を読み出し、その読出値が「０」であるか否かを判定すればよい。このように、ステップＳ２３５の処理は、ステップＳ２３１にて第２特図保留記憶数が「０」であると判定されたときに実行されて、第１特図保留記憶数が「０」であるか否かを判定する。これにより、第２特図を用いた特図ゲームは、第１特図を用いた特図ゲームよりも優先して実行が開始されることになる。
【０２５６】
ステップＳ２３５にて第１特図保留記憶数が「０」以外であるときには（ステップＳ２３５；Ｎｏ）、第１特図保留記憶部１５１Ａにて保留番号「１」に対応して記憶されている保留データとして、特図表示結果決定用の乱数値ＭＲ１、大当り種別決定用の乱数値ＭＲ２、変動パターン種別決定用の乱数値ＭＲ３を示す数値データをそれぞれ読み出す（ステップＳ２３６）。このとき読み出された数値データは、例えば変動用乱数バッファなどに格納されて、一時記憶されればよい。
【０２５７】
ステップＳ２３６の処理に続いて、例えば第１保留記憶数カウント値を１減算して更新することなどにより、第１特図保留記憶数を１減算させるように更新するとともに、第１特図保留記憶部１５１Ａにて保留番号「１」より下位のエントリ（例えば保留番号「２」〜「４」に対応するエントリ）に記憶された乱数値ＭＲ１〜ＭＲ３を示す保留データを、１エントリずつ上位にシフトする（ステップＳ２３７）。また、ステップＳ２３７の処理では、遊技制御カウンタ設定部１５４にて合計保留記憶数カウンタが記憶する合計保留記憶数カウント値を１減算するように更新してもよい。このときには、変動特図指定バッファ値を「１」に更新する（ステップＳ２３８）。
【０２５８】
ステップＳ２３４、Ｓ２３８の処理のいずれかを実行した後には、特別図柄の可変表示結果である特図表示結果を「大当り」と「ハズレ」のいずれとするかを決定するための使用テーブルとして、特図表示結果決定テーブル１３０を選択してセットする（ステップＳ２３９）。続いて、変動用乱数バッファに格納された特図表示結果決定用の乱数値ＭＲ１を示す数値データを、「大当り」や「ハズレ」の各特図表示結果に割り当てられた決定値と比較して、特図表示結果を「大当り」または「ハズレ」のいずれとするかを決定する（ステップＳ２４０）。このときには、例えば遊技制御フラグ設定部１５２などに設けられた確変フラグの状態を確認することなどにより、パチンコ遊技機１において確変制御が行われる確変状態であるか否かを特定すればよい。確変フラグは、確変制御が行われる確変状態に制御されるときにオン状態にセットされる。一方、確変状態が終了するときには、確変フラグがクリアされてオフ状態となる。
【０２５９】
ステップＳ２４０にて特図表示結果を決定した後には、その特図表示結果が「大当り」であるか否かを判定する（ステップＳ２４１）。そして、「大当り」であると判定された場合には（ステップＳ２４１；Ｙｅｓ）、遊技制御フラグ設定部１５２に設けられた大当りフラグをオン状態にセットする（ステップＳ２４２）。このときには、大当り種別を複数種類のいずれかに決定するための使用テーブルとして、大当り種別決定テーブル１３１を選択してセットする（ステップＳ２４３）。こうしてセットされた大当り種別決定テーブル１３１を参照することにより、変動用乱数バッファに格納された大当り種別決定用の乱数値ＭＲ２を示す数値データが「非確変」または「確変」の各大当り種別に割り当てられた決定値のいずれと合致するかに応じて、大当り種別を複数種別のいずれとするかを決定する（ステップＳ２４４）。
【０２６０】
ステップＳ２４４の処理にて決定された大当り種別に対応して、例えば遊技制御バッファ設定部１５５に設けられた大当り種別バッファの値（大当り種別バッファ値）を設定することなどにより（ステップＳ２４５）、決定された大当り種別を記憶させる。一例として、大当り種別が「非確変」であれば大当り種別バッファ値を「１」とし、「確変」であれば「２」とすればよい。
【０２６１】
ステップＳ２４１にて「大当り」ではないと判定された場合や（ステップＳ２４１；Ｎｏ）、ステップＳ２４５の処理を実行した後には、大当り遊技状態に制御するか否かの事前決定結果、さらには、大当り遊技状態とする場合における大当り種別の決定結果に対応して、確定特別図柄を設定する（ステップＳ２４６）。一例として、ステップＳ２４１にて特図表示結果が「大当り」ではない判定された場合には、特図表示結果を「ハズレ」とする旨の事前決定結果に対応して、ハズレ図柄となる「−」の記号を示す特別図柄を、確定特別図柄に設定する。その一方で、ステップＳ２４１にて特図表示結果が「大当り」であると判定された場合には、ステップＳ２４４における大当り種別の決定結果に応じて、大当り図柄となる「３」または「７」の数字を示す特別図柄のいずれかを、確定特別図柄に設定する。すなわち、大当り種別を「非確変」とする決定結果に応じて、通常大当り図柄となる「３」の数字を示す特別図柄を、確定特別図柄に設定する。また、大当り種別を「確変」とする決定結果に応じて、確変大当り図柄となる「７」の数字を示す特別図柄を、確定特別図柄に設定する。
【０２６２】
ステップＳ２４６にて確定特別図柄を設定した後には、特図プロセスフラグの値を変動パターン設定処理に対応した値である“１”に更新してから（ステップＳ２４７）、特別図柄通常処理を終了する。ステップＳ２３５にて第１特図を用いた特図ゲームの保留記憶数が「０」である場合には（ステップＳ２３５；Ｙｅｓ）、所定のデモ表示設定を行ってから（ステップＳ２４８）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。
【０２６３】
図２６は、変動パターン設定処理として、図２３のステップＳ１１１にて実行される処理の一例を示すフローチャートである。図２６に示す変動パターン設定処理において、ＣＰＵ１０３は、まず、大当りフラグがオンであるか否かを判定する（ステップＳ２６１）。そして、大当りフラグがオンであれば（ステップＳ２６１；Ｙｅｓ）、変動パターン種別を複数種別のいずれかに決定するための使用テーブルとして、大当り変動パターン種別決定テーブル１３２Ａを選択してセットする（ステップＳ２６２）。また、例えば遊技制御バッファ設定部１５５に記憶されている大当り種別バッファ値を読み取ることなどにより、大当り種別が「非確変」または「確変」のいずれであるかを特定する（ステップＳ２６３）。
【０２６４】
ステップＳ２６１にて大当りフラグがオフであるときには（ステップＳ２６１；Ｎｏ）、例えば遊技制御フラグ設定部１５２に設けられた時短フラグがオンであるか否かを判定することなどにより、遊技状態が確変状態や時短状態で時短制御が行われる時短制御中であるか否かを判定する（ステップＳ２６４）。そして、時短制御中ではないときには（ステップＳ２６４；Ｎｏ）、変動パターン種別を複数種類のいずれかに決定するための使用テーブルとして、ハズレ変動パターン種別決定テーブル（通常時）１３２Ｂを選択してセットする（ステップＳ２６５）。ステップＳ２６４にて時短制御中である場合には（ステップＳ２６４；Ｙｅｓ）、ハズレ変動パターン種別決定テーブル（時短制御中）１３２Ｃを選択し、変動パターン種別を決定するための使用テーブルにセットする（ステップＳ２６６）。なお、ステップＳ２６５、Ｓ２６６の処理のいずれかを実行したときには、例えば遊技制御カウンタ設定部１５４に設けられた合計保留記憶数カウンタの格納値を読み取ることなどにより、合計保留記憶数を特定するとよい。
【０２６５】
ステップＳ２６３、Ｓ２６５、Ｓ２６６の処理のいずれかを実行した後には、例えば変動用乱数バッファなどに格納されている変動パターン種別決定用の乱数値ＭＲ３を示す数値データなどに基づき、使用テーブルにセットされた変動パターン種別決定テーブルを参照することにより、変動パターン種別を複数種類のいずれかに決定する（ステップＳ２６７）。
【０２６６】
大当りフラグがオンであるときには、大当り変動パターン種別決定テーブル１３２Ａを構成するテーブルデータのうちから、ステップＳ２６３の処理により特定された大当り種別に対応するテーブルデータを選択し、変動パターン種別決定用の乱数値ＭＲ３を示す数値データに対応する決定値が割り当てられた変動パターン種別を決定できればよい。こうして、ステップＳ２６７の処理では、特図表示結果を「大当り」にする決定結果に対応して予め複数用意された変動パターン種別のうちから、いずれかの変動パターン種別に決定できればよい。
【０２６７】
大当りフラグがオフであるときには、ステップＳ２６７の処理にて変動パターン種別を決定することにより、飾り図柄の可変表示態様を「リーチ」とするか否かが決定される。すなわち、ステップＳ２６７の処理には、可変表示結果が「ハズレ」となる場合に、飾り図柄の可変表示状態をリーチ状態とするか否かを決定する処理が含まれている。
【０２６８】
ステップＳ２６７にて変動パターン種別を決定した後には、変動パターン決定テーブル１３３を選択し、変動パターンを複数種類のいずれかに決定するための使用テーブルとしてセットする（ステップＳ２６８）。続いて、変動パターン決定用の乱数値ＭＲ４を示す数値データに基づき、ステップＳ２６８にてセットした変動パターン決定テーブル１３３を参照することにより、変動パターンを複数種類のいずれかに決定する（ステップＳ２６９）。
【０２６９】
変動パターン決定用の乱数値ＭＲ４を示す数値データは、ステップＳ２６９の処理が実行されるときに乱数回路１０４や遊技制御カウンタ設定部１５４のランダムカウンタなどから抽出されてもよいし、第１始動入賞口や第２始動入賞口を通過（進入）した遊技球が検出された始動入賞時に抽出されたものを、乱数値ＭＲ１〜ＭＲ３とともに、第１特図保留記憶部１５１Ａや第２特図保留記憶部１５１Ｂにおける保留情報として記憶しておいてもよい。
【０２７０】
ステップＳ２６９にて変動パターンを決定した後には、その変動パターンの決定結果に応じた特別図柄の可変表示時間である特図変動時間を設定する（ステップＳ２７０）。特別図柄の可変表示時間となる特図変動時間は、特図ゲームにおいて特別図柄の変動を開始してから可変表示結果（特図表示結果）となる確定特別図柄が導出表示されるまでの所要時間である。
【０２７１】
ステップＳ２７０の処理を実行した後、変動特図指定バッファ値に応じて、第１特別図柄表示装置４Ａにおける第１特図を用いた特図ゲームと、第２特別図柄表示装置４Ｂにおける第２特図を用いた特図ゲームのいずれかを開始させるように、特別図柄の変動を開始させるための設定を行う（ステップＳ２７１）。一例として、変動特図指定バッファ値が「１」であれば、第１特別図柄表示装置４Ａにおける第１特図の表示を更新させる駆動信号を送信するための設定を行う。一方、変動特図指定バッファ値が「２」であれば、第２特別図柄表示装置４Ｂにおける第２特図の表示を更新させる駆動信号を送信するための設定を行う。
【０２７２】
ステップＳ２７１の処理に続いて、特別図柄の変動開始時用となる各種コマンドを送信するための設定を行う（ステップＳ２７２）。例えば、変動特図指定バッファ値が「１」である場合に、ＣＰＵ１０３は、主基板１１から演出制御基板１２に対して第１変動開始コマンド、変動パターン指定コマンド、可変表示結果通知コマンド、第１保留記憶数通知コマンドを順次に送信するために、予め用意された第１変動開始用コマンドテーブルのＲＯＭ１０１における記憶アドレス（先頭アドレス）を示す設定データを、遊技制御バッファ設定部１５５に設けられた送信コマンドバッファにおいて送信コマンドポインタによって指定されたバッファ領域に格納する。他方、変動特図指定バッファ値が「２」である場合に、ＣＰＵ１０３は、主基板１１から演出制御基板１２に対して第２変動開始コマンド、変動パターン指定コマンド、可変表示結果通知コマンド、第２保留記憶数通知コマンドを順次に送信するために、予め用意された第２変動開始用コマンドテーブルのＲＯＭ１０１における記憶アドレスを示す設定データを、送信コマンドバッファにおいて送信コマンドポインタによって指定されたバッファ領域に格納する。その後、特図プロセスフラグの値を特別図柄変動処理に対応した値である“２”に更新してから（ステップＳ２７３）、変動パターン設定処理を終了する。
【０２７３】
図２７は、図２３のステップＳ１１７にて実行される大当り終了処理の一例を示すフローチャートである。図２７に示す大当り終了処理において、ＣＰＵ１０３は、まず、大当り終了時演出待ち時間が経過したか否かを判定する（ステップＳ３２１）。一例として、図２３に示すステップＳ１１６の大当り開放後処理では、特図プロセスフラグの値を“７”に更新するときに、大当り終了時演出待ち時間に対応して予め定められたタイマ初期値が遊技制御プロセスタイマにセットされる。この場合、ステップＳ３２１の処理では、例えば遊技制御プロセスタイマ値を１減算することなどにより更新し、更新後の遊技制御プロセスタイマ値が所定の待ち時間経過判定値（例えば「０」など）と合致したか否かに応じて、大当り終了時演出待ち時間が経過したか否かを判定すればよい。ステップＳ３２１にて大当り終了時演出待ち時間が経過していなければ（ステップＳ３２１；Ｎｏ）、そのまま大当り終了処理を終了する。
【０２７４】
ステップＳ３２１にて大当り終了時演出待ち時間が経過した場合には（ステップＳ３２１；Ｙｅｓ）、遊技制御バッファ設定部１５５に記憶されている大当り種別バッファ値を読み出して（ステップＳ３２２）、大当り種別が「非確変」または「確変」のいずれであったかを特定する。このときには、特定された大当り種別が「非確変」であるか否かを判定する（ステップＳ３２３）。
【０２７５】
ステップＳ３２３にて大当り種別が「確変」であり「非確変」ではないと判定された場合には（ステップＳ３２３；Ｎｏ）、確変制御の開始により遊技状態を確変状態とするための設定を行う（ステップＳ３２４）。例えば、ＣＰＵ１０３は、遊技制御フラグ設定部１５１などに設けられた確変フラグをオン状態にセットする。
【０２７６】
ステップＳ３２３にて大当り種別が「非確変」であると判定された場合や（ステップＳ３２３；Ｙｅｓ）、ステップＳ３２４の処理を実行した後には、時短制御を開始するための設定を行う（ステップＳ３２５）。例えば、ＣＰＵ１０３は、遊技制御フラグ設定部１５１などに設けられた時短フラグをオン状態にセットする。また、時短状態にて実行可能な特図ゲームの上限値に対応して予め定められたカウント初期値（例えば「１００」）を時短回数カウンタに設定すればよい。なお、大当り種別が「確変」であることに対応して、次に可変表示結果が「大当り」となるまで時短制御を継続させる場合には、時短回数カウンタのカウント初期値を設定せずに、確変フラグと時短フラグとをいずれもオン状態にセットすればよい。
【０２７７】
ステップＳ３２５の処理を実行した後には、特図プロセスフラグをクリアして、その値を“０”に初期化してから（ステップＳ３２６）、大当り終了処理の実行を終了させる。
【０２７８】
次に、演出制御基板１２における動作を説明する。
【０２７９】
演出制御基板１２では、電源基板等から電源電圧の供給を受けると、演出制御用ＣＰＵ１２０が起動して、図２８のフローチャートに示すような演出制御メイン処理を実行する。図２８に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。その後、タイマ割込みフラグがオンとなっているか否かの判定を行う（ステップＳ７２）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７２；Ｎｏ）、ステップＳ７２の処理を繰り返し実行して待機する。
【０２８０】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部１９４に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０２８１】
ステップＳ７２にてタイマ割込みフラグがオンである場合には（ステップＳ７２；Ｙｅｓ）、タイマ割込みフラグをクリアしてオフ状態にするとともに（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２８２】
ステップＳ７４にてコマンド解析処理を実行した後には、演出制御プロセス処理を実行する（ステップＳ７５）。ステップＳ７５の演出制御プロセス処理では、例えば画像表示装置５の画面上における演出画像の表示動作、スピーカ８Ｌ、８Ｒからの音声出力動作、遊技効果ランプ９及び装飾用ＬＥＤといった発光体における点灯動作、演出用模型における駆動動作といった、各種の演出装置を用いた演出動作の制御内容について、主基板１１から送信された演出制御コマンド等に応じた判定や決定、設定などが行われる。
【０２８３】
ステップＳ７５の演出制御プロセス処理に続いて、演出用乱数更新処理が実行され（ステップＳ７６）、演出制御に用いる各種の乱数値として、演出制御カウンタ設定部１９３のランダムカウンタによってカウントされる演出用乱数を示す数値データを、ソフトウェアにより更新する。その後、ステップＳ７２の処理に戻る。
【０２８４】
図２９は、演出制御プロセス処理として、図２８のステップＳ７５にて実行される処理の一例を示すフローチャートである。図２９に示す演出制御プロセス処理において、演出制御用ＣＰＵ１２０は、例えば演出制御フラグ設定部１９１などに設けられた演出プロセスフラグの値に応じて、以下のようなステップＳ１７０〜Ｓ１７５の処理のいずれかを選択して実行する。
【０２８５】
ステップＳ１７０の可変表示開始待ち処理は、演出プロセスフラグの値が“０”のときに実行される処理である。この可変表示開始待ち処理は、主基板１１からの第１変動開始コマンドあるいは第２変動開始コマンドなどを受信したか否かに基づき、画像表示装置５における飾り図柄の可変表示を開始するか否かを判定する処理などを含んでいる。
【０２８６】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示や、その他の各種演出動作を行うために、特別図柄の変動パターンや表示結果の種類などに応じた確定飾り図柄や各種の演出制御パターンを決定する処理などを含んでいる。
【０２８７】
ステップＳ１７２の可変表示中演出処理は、演出プロセスフラグの値が“２”のときに実行される処理である。この可変表示中演出処理において、演出制御用ＣＰＵ１２０は、演出制御タイマ設定部１９２に設けられた演出制御プロセスタイマにおけるタイマ値に対応して、演出制御パターンから各種の制御データを読み出し、飾り図柄の可変表示中における各種の演出制御を行う。こうした演出制御を行った後、例えば特図変動時演出制御パターンから飾り図柄の可変表示終了を示す終了コードが読み出されたこと、あるいは、主基板１１から伝送される図柄確定コマンドを受信したことなどに対応して、飾り図柄の可変表示結果となる最終停止図柄としての確定飾り図柄を完全停止表示させる。確定飾り図柄を完全停止表示したときには、演出プロセスフラグの値が“３”に更新される。
【０２８８】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、演出プロセスフラグの値を大当り中演出処理に対応した値である“４”に更新する。これに対して、当り開始指定コマンドを受信せずに、演出制御プロセスタイマがタイムアウトしたときには、特図ゲームにおける特図表示結果が「ハズレ」であったと判断して、演出プロセスフラグの値を初期値である“０”に更新する。
【０２８９】
ステップＳ１７４の大当り中演出処理は、演出プロセスフラグの値が“４”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１からの当り終了指定コマンドを受信したことに対応して、演出制御プロセスフラグの値をエンディング演出処理に対応した値である“５”に更新する。
【０２９０】
ステップＳ１７５のエンディング演出処理は、演出プロセスフラグの値が“５”のときに実行される処理である。このエンディング演出処理において、演出制御用ＣＰＵ１２０は、例えば大当り遊技状態の終了などに対応した演出制御パターン等を設定し、その設定内容に基づく演出画像を画像表示装置５の画面上に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグの値を初期値である“０”に更新する。
【０２９１】
図３０は、図２９のステップＳ１７１にて実行される可変表示開始設定処理の一例を示すフローチャートである。図３０に示す可変表示開始設定処理において、演出制御用ＣＰＵ１２０は、まず、例えば主基板１１から伝送された可変表示結果通知コマンドにおけるＥＸＴデータを読み取ることなどにより、特図表示結果が「ハズレ」となるか否かを判定する（ステップＳ５２１）。このとき、特図表示結果が「ハズレ」となる旨の判定がなされれば（ステップＳ５２１；Ｙｅｓ）、例えば変動パターン指定コマンドにおけるＥＸＴデータを読み取ることなどにより、指定された変動パターンが飾り図柄の可変表示態様を「非リーチ」とする場合に対応した非リーチ変動パターンであるか否かを判定する（ステップＳ５２２）。
【０２９２】
ステップＳ５２２にて非リーチ変動パターンであると判定された場合には（ステップＳ５２２；Ｙｅｓ）、非リーチ組合せを構成する最終停止図柄となる確定飾り図柄の組合せを決定する（ステップＳ５２３）。一例として、ステップＳ５２３の処理では、まず、演出制御カウンタ設定部１９３に設けられたランダムカウンタ等により更新される左確定図柄決定用の乱数値を示す数値データを抽出し、ＲＯＭ１２１などに予め記憶された所定の左確定図柄決定テーブルを参照することなどにより、確定飾り図柄のうち画像表示装置５の画面上における「左」の飾り図柄表示エリア５Ｌに停止表示される左確定飾り図柄を決定する。次に、演出制御カウンタ設定部１９３に設けられたランダムカウンタ等により更新される右確定図柄決定用の乱数値を示す数値データを抽出し、ＲＯＭ１２１などに予め記憶された所定の右確定図柄決定テーブルを参照することなどにより、確定飾り図柄のうち画像表示装置５の画面上における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、演出制御カウンタ設定部１９３に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の画面上における「中」の飾り図柄表示エリア５Ｃに停止表示される中確定飾り図柄を決定する。
【０２９３】
ステップＳ５２２にて非リーチ変動パターンではないと判定された場合には（ステップＳ５２２；Ｎｏ）、リーチ組合せを構成する最終停止図柄となる確定飾り図柄の組合せを決定する（ステップＳ５２４）。一例として、ステップＳ５２４の処理では、まず、演出制御カウンタ設定部１９３に設けられたランダムカウンタ等により更新される左右確定図柄決定用の乱数値を示す数値データを抽出し、ＲＯＭ１２１などに予め記憶された所定の左右確定図柄決定テーブルを参照することなどにより、確定飾り図柄のうち画像表示装置５の画面上における「左」と「右」の飾り図柄表示エリア５Ｌ、５Ｒにて揃って停止表示される図柄番号が同一の飾り図柄を決定する。さらに、演出制御カウンタ設定部１９３に設けられたランダムカウンタ等により更新される中確定図柄決定用の乱数値を示す数値データを抽出し、ＲＯＭ１２１などに予め記憶された所定の中確定図柄決定テーブルを参照することなどにより、確定飾り図柄のうち画像表示装置５の画面上における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０２９４】
ステップＳ５２１にて特図表示結果が「ハズレ」ではないと判定されたときには（ステップＳ５２１；Ｎｏ）、大当り組合せを構成する最終停止図柄となる確定飾り図柄の組合せを決定する（ステップＳ５２５）。一例として、ステップＳ５２５の処理では、まず、演出制御カウンタ設定部１９３のランダムカウンタなどにより更新される大当り確定図柄決定用の乱数値を示す数値データを抽出し、続いてＲＯＭ１２１などに予め記憶された所定の大当り確定図柄決定テーブルを参照することなどにより、画像表示装置５の画面上で「左」、「中」、「右」の飾り図柄表示エリア５Ｌ、５Ｃ、５Ｒに揃って停止表示される図柄番号が同一の飾り図柄を決定する。このときには、大当り種別が「非確変」、「確変」のいずれであるかや、大当り中における昇格演出の有無などに応じて、異なる飾り図柄を確定飾り図柄とする決定が行われるようにしてもよい。
【０２９５】
具体的な一例として、大当り種別が「非確変」である場合には、複数種類の通常図柄のうちいずれか１つの飾り図柄を選択して、非確変大当り組合せを構成する確定飾り図柄に決定すればよい。また、大当り種別が「確変」である場合には、複数種類の通常図柄または確変図柄のうちからいずれか１つの飾り図柄を選択して、非確変大当り組合せまたは確変大当り組合せを構成する確定飾り図柄に決定すればよい。このとき、非確変大当り組合せの確定飾り図柄に決定された場合には、可変表示中の再抽選演出において確変状態に制御される旨の報知が行われず、大当り遊技状態に対応して実行される大当り中昇格演出などにより確変状態に制御される旨が報知されればよい。他方、確変大当り組合せの確定飾り図柄に決定された場合には、可変表示中の再抽選演出において、あるいは再抽選演出を実行することなく、確変状態に制御される旨の報知が行われる。
【０２９６】
ステップＳ５２４、Ｓ５２５の処理のいずれかを実行した後には、可変表示中演出決定処理を実行する（ステップＳ５２８）。可変表示中演出決定処理は、「擬似連」などの可変表示演出や予告演出が実行される場合に対応して、各種の演出態様を決定するための処理を含んでいる。また、可変表示中演出決定処理は、期待度昇格演出を実行するか否かや期待度昇格演出を実行する場合の特定タイミングを決定するための処理などを含んでいる。
【０２９７】
ステップＳ５２８にて可変表示中演出決定処理を実行した後には、演出制御パターンを予め用意された複数パターンのいずれかに決定する（ステップＳ５２９）。このとき、演出制御用ＣＰＵ１２０は、例えば変動パターン指定コマンドにより指定された変動パターンや、期待度昇格演出の有無、期待度昇格演出の実行が開始される特定タイミングなどに対応して、複数用意された特図変動時演出制御パターンのいずれかを選択し、使用パターンとしてセットする。また、各種の予告演出を実行するための設定がなされた場合には、その設定に対応した予告演出制御パターンが選択されてもよい。
【０２９８】
ステップＳ５２９の処理を実行した後には、例えば変動パターン指定コマンドにより指定された変動パターンに対応して、演出制御タイマ設定部１９２に設けられた演出制御プロセスタイマの初期値を設定する（ステップＳ５３０）。続いて、画像表示装置５における飾り図柄などの変動を開始させるための設定を行う（ステップＳ５３１）。このときには、例えばステップＳ５２９にて使用パターンとして決定された特図変動時演出制御パターンに含まれる表示制御データが指定する表示制御指令を表示制御部１２３のＶＤＰ等に対して伝送させることなどにより、画像表示装置５の画面上に設けられた「左」、「中」、「右」の各飾り図柄表示エリア５Ｌ、５Ｃ、５Ｒにて飾り図柄の変動を開始させればよい。その後、演出プロセスフラグの値を可変表示中演出処理に対応した値である“２”に更新してから（ステップＳ５３２）、可変表示開始設定処理を終了する。
【０２９９】
図３１は、図３０のステップＳ５２８にて実行される可変表示中演出決定処理の一例を示すフローチャートである。図３１に示す可変表示中演出決定処理において、演出制御用ＣＰＵ１２０は、まず、変動パターン指定コマンドにより指定された変動パターンを特定する（ステップＳ６０１）。続いて、特定した変動パターンに対応して、「擬似連」の可変表示演出とリーチ演出がともに実行されるか否かを判定する（ステップＳ６０２）。
【０３００】
ステップＳ６０２にて「擬似連」の可変表示演出とリーチ演出がともに実行されると判定した場合には（ステップＳ６０２；Ｙｅｓ）、期待度昇格演出を実行するか否かという期待度昇格演出の有無と、実行する場合における特定タイミング（期待度昇格演出の実行を開始するタイミング）とを決定する（ステップＳ６０３）。一例として、ステップＳ６０３の処理では、予め用意された期待度昇格演出実行決定テーブルを選択し、期待度昇格演出の有無や特定タイミングを決定するための使用テーブルに設定する。期待度昇格演出実行決定テーブルでは、変動パターン指定コマンドにより指定された変動パターンなどに応じて、期待度昇格演出実行決定用の乱数値と比較される数値（決定値）が、期待度昇格演出を実行しない場合に対応する「昇格演出なし」の決定結果や、期待度昇格演出を実行する場合における実行開始が可能な複数のタイミングＴＭ０１〜ＴＭ０３などに、割り当てられていればよい。演出制御用ＣＰＵ１２０は、例えば乱数回路１２４や演出制御カウンタ設定部１９３のランダムカウンタなどから抽出した期待度昇格演出実行決定用の乱数値を示す数値データに基づいて、期待度昇格演出実行決定テーブルを参照することにより、期待度昇格演出の有無や特定タイミングを決定すればよい。
【０３０１】
図３２（Ａ）は、ステップＳ６０３の処理における決定例を示している。この決定例では、変動パターンに応じて、期待度昇格演出の有無や期待度昇格演出の実行開始タイミングとなる特定タイミングの決定割合を異ならせている。より具体的に、可変表示結果が「ハズレ」となる場合のリーチ変動パターンである変動パターンＰＢ２−１、ＰＢ２−２、ＰＡ３−１〜ＰＡ３−４、ＰＡ３−６〜ＰＡ３−８のいずれかであるときに比べて、可変表示結果が「大当り」となる場合の大当り変動パターンである変動パターンＰＢ４−１、ＰＢ４−２、ＰＡ５−１〜ＰＡ５−４、ＰＡ５−６〜ＰＡ５−８のいずれかであるときには、期待度昇格演出を実行しない「昇格演出なし」に決定される割合が大幅に低くなっている。したがって、期待度昇格演出が実行されたときには、実行されないときよりも、可変表示結果が「大当り」となる大当り期待度が高められる。
【０３０２】
変動パターンＰＢ２−１、ＰＢ２−２、ＰＢ４−１、ＰＢ４−２では、ノーマルのリーチ演出が実行されてから可変表示結果が導出される。そのため、発展演出や、スーパーＡあるいはスーパーＢのリーチ演出が実行されない。したがって、期待度昇格演出の実行開始タイミングとなる特定タイミングとしては、ノーマルのリーチ演出が開始された後のタイミングＴＭ０１だけに決定できるように、決定割合が設定されている。
【０３０３】
変動パターンＰＡ３−２〜ＰＡ３−４、ＰＡ５−２〜ＰＡ５−４では、期待度昇格演出が実行されない場合に、ノーマルのリーチ演出と発展演出が実行された後、スーパーＡのリーチ演出が実行されてから可変表示結果が導出される。そのため、スーパーＡのリーチ演出が開始された後のタイミングＴＭ０３で期待度昇格演出の実行を開始してしまうと、可変表示時間が経過するまでに期待度昇格演出の実行を完了できなくなるおそれがある。したがって、期待度昇格演出の実行開始タイミングとなる特定タイミングとしては、ノーマルのリーチ演出が開始された後のタイミングＴＭ０１と、発展演出が開始された後のタイミングＴＭ０２とのうち、いずれかに決定できるように、決定割合が設定されている。
【０３０４】
変動パターンＰＡ３−６〜ＰＡ３−８、ＰＡ５−６〜ＰＡ５−８では、ノーマルのリーチ演出と発展演出が実行された後、スーパーＡとスーパーＢのリーチ演出が順次に実行されてから可変表示結果が導出される。したがって、期待度昇格演出の実行開始タイミングとなる特定タイミングとしては、ノーマルのリーチ演出が開始された後のタイミングＴＭ０１、発展演出が開始された後のタイミングＴＭ０２、スーパーＡのリーチ演出が開始された後のタイミングＴＭ０３のいずれにも決定できるように、決定割合が設定されている。
【０３０５】
図３１に示すステップＳ６０３の処理による決定に基づいて、期待度昇格演出を実行しない「昇格演出なし」であるか否かを判定する（ステップＳ６０４）。このとき、「昇格演出なし」以外であれば（ステップＳ６０４；Ｎｏ）、昇格演出総数を決定する（ステップＳ６０５）。昇格演出総数は、期待度昇格演出において演出態様が変更されるか否かが報知される示唆演出の数である。
【０３０６】
ステップＳ６０５における処理の一例として、予め用意された昇格演出総数決定テーブルを選択し、昇格演出総数を決定するための使用テーブルに設定する。昇格演出総数決定テーブルでは、期待度昇格演出の実行開始タイミングである特定タイミングの決定結果や、変動パターンに応じて、昇格演出総数決定用の乱数値と比較される数値（決定値）が、複数種類の昇格演出総数に割り当てられていればよい。この実施の形態では、昇格演出総数が「３」または「５」に決定される。演出制御用ＣＰＵ１２０は、例えば乱数回路１２４や演出制御カウンタ設定部１９３のランダムカウンタなどから抽出した昇格演出総数決定用の乱数値を示す数値データに基づいて、昇格演出総数決定テーブルを参照することにより、昇格演出総数を決定すればよい。
【０３０７】
図３２（Ｂ）は、ステップＳ６０５の処理における昇格演出総数の決定例を示している。この決定例では、期待度昇格演出の実行開始タイミングがタイミングＴＭ０１であることに対応して、変動パターンにかかわらず、昇格演出総数が「３」に決定されるように、決定割合が設定されている。したがって、ノーマルのリーチ演出が開始された後のタイミングＴＭ０１にて期待度昇格演出の実行が開始される場合には、昇格演出総数が「３」となる。期待度昇格演出の実行開始タイミングがタイミングＴＭ０２である場合のうち、変動パターンＰＡ３−２〜ＰＡ３−４、ＰＡ５−２〜ＰＡ５−４のいずれかであるときには、昇格演出総数が「３」または「５」のいずれかに決定されるように、決定割合が設定されている。一方、タイミングＴＭ０２である場合のうち、変動パターンＰＡ３−６〜ＰＡ３−８、ＰＡ５−６〜ＰＡ５−８のいずれかであるときには、昇格演出総数が「３」にのみ決定されるように、決定割合が設定されている。期待度昇格演出の実行開始タイミングがタイミングＴＭ０３であることに対応して、いずれの変動パターンでも、昇格演出総数が「３」または「５」のいずれかに決定されるように、決定割合が設定されている。
【０３０８】
図３２（Ｂ）に示す決定例では、タイミングＴＭ０３である場合に、タイミングＴＭ０２である場合よりも高い割合で、昇格演出総数が「３」よりも多い「５」に決定されるように、決定割合が設定されている。また、タイミングＴＭ０１である場合には、昇格演出総数が「３」にのみ決定されて「５」には決定されることがないように、決定割合が設定されている。このような設定により、特定タイミングに決定可能な複数のタイミングＴＭ０１〜ＴＭ０３のうち、比較的に遅いタイミングにて期待度昇格演出の実行が開始されるときには、比較的に早いタイミングにて期待度昇格演出の実行が開始されるときよりも、より多くの示唆演出について演出態様が変更されるか否かを報知する割合を、高くすることができる。
【０３０９】
なお、複数のタイミングＴＭ０１〜ＴＭ０３に応じた所定割合で昇格演出総数を決定するものに限定されず、複数のタイミングＴＭ０１〜ＴＭ０３ごとに、昇格演出総数を予め対応付けて設定しておいてもよい。この場合、特定タイミングに決定可能な複数のタイミングＴＭ０１〜ＴＭ０３のうち、比較的に遅いタイミングにて期待度昇格演出の実行が開始されるときには、比較的に早いタイミングにて期待度昇格演出の実行が開始されるときよりも、より多くの示唆演出について演出態様が変更されるか否かを報知するように、タイミングＴＭ０１〜ＴＭ０３と昇格演出総数との対応関係を設定すればよい。
【０３１０】
図３１に示すステップＳ６０５の処理による決定に続いて、期待度昇格演出において昇格後の演出内容として報知される演出態様を決定する（ステップＳ６０６）。一例として、ステップＳ６０６の処理では、図３２（Ｃ）に示すように、昇格対象演出や昇格演出総数に応じた演出内容が決定されればよい。昇格対象演出は、期待度昇格演出において演出態様が変更されるか否かが報知される示唆演出である。図３２（Ｃ）に示す決定例では、それぞれの昇格対象演出について、期待度昇格演出で大当り期待度がより高い演出態様に変更されるように、昇格後の演出内容が決定される。例えば再変動演出は、期待度昇格演出が実行されることにより擬似連変動の実行回数が変動パターンに対応する擬似連回数よりも１回少なくなることから、期待度昇格演出における変更前には、変動パターンに対応する演出態様よりも大当り期待度が低い演出態様になっている。そこで、昇格後の演出内容を変動パターンに対応する演出態様とすることにより、大当り期待度がより高い演出態様に変更されたことを報知できる。
【０３１１】
メッセージ予告やリーチ成立時予告、リーチ演出は、複数の演出態様のうちで大当り期待度が最も高い演出態様が、昇格後の演出内容として決定される。したがって、期待度昇格演出では、少なくとも大当り期待度がより低い演出態様に変更されることはない。また、ステップアップ予告は、複数の演出態様のうちで大当り期待度が比較的に高いステップアップ予告ＳＵ３またはステップアップ予告ＳＵ４の演出態様が、昇格後の演出内容として決定される。この場合、期待度昇格演出では、昇格前の演出内容がステップアップＳＵ４の演出態様であり、なおかつ、昇格後の演出内容がステップアップＳＵ３の演出態様であれば、大当り期待度がより低い演出態様に変更されてしまうことがある。しかしながら、その決定割合は極めて低く、それ以外の演出内容であれば、少なくとも大当り期待度がより低い演出態様に変更されることはない。なお、ステップＳ６０７の処理における決定内容により、この実施の形態における期待度昇格演出では、予告演出の大当り期待度が常により高い演出態様に変更されることを報知できる。
【０３１２】
ステップアップ予告についても、メッセージ予告やリーチ成立時予告、リーチ演出と同様に、複数の演出態様のうちで大当り期待度が最も高い演出態様であるステップアップ予告ＳＵ４のみが、昇格後の演出態様として決定されるようにしてもよい。メッセージ予告やリーチ成立時予告、リーチ演出について、複数の演出態様のうちで大当り期待度が最も高い演出態様だけでなく、複数の演出態様のうちで大当り期待度が比較的に高い演出態様も、昇格後の演出態様として決定されることがあってもよい。
【０３１３】
変動パターンＰＡ３−２〜ＰＡ３−４、ＰＡ５−２〜ＰＡ５−４では、期待度昇格演出が実行されない場合に、ノーマルのリーチ演出と発展演出が実行された後、スーパーＡのリーチ演出が実行されてから可変表示結果が導出される。これらの変動パターンのいずれかであるときに、ステップＳ６０３の処理によりタイミングＴＭ０２が特定タイミングに決定されるとともに、ステップＳ６０５の処理により昇格演出総数が「５」に決定され、ステップＳ６０６の処理により昇格後の演出内容としてスーパーＢのリーチ演出が決定される場合がある。この場合には、タイミングＴＭ０２にて期待度昇格演出が実行された後に、本来であればスーパーＡのリーチ演出が実行されるところを、スーパーＢのリーチ演出に差し替えて実行すればよい。あるいは、スーパーＡのリーチ演出が実行されてスーパーＢのリーチ演出が実行されない変動パターンの場合には、常に昇格演出総数が「３」に決定されて、リーチ演出の演出態様がスーパーＡのリーチ演出よりも大当り期待度が高いスーパーＢの演出態様に変更されることがないようにしてもよい。あるいは、スーパーＡのリーチ演出が実行されてスーパーＢのリーチ演出が実行されない変動パターンの場合に、昇格演出総数が「５」となったときには、リーチ演出について大当り期待度がより高い演出態様に変更されるか否かの報知を行うものの、スーパーＢの演出態様に変更されることは報知されないように制限（昇格失敗）してもよい。あるいは、タイミングＴＭ０２が特定タイミングに決定されたときには、常に昇格演出総数が「３」に決定されてもよい。
【０３１４】
なお、変動パターンＰＡ３−６〜ＰＡ３−８、ＰＡ５−６〜ＰＡ５−８のいずれかが指定された場合に、ステップＳ６０３の処理により特定タイミングとしてタイミングＴＭ０２に決定されたときでも、ステップＳ６０５の処理により所定割合で昇格演出総数が「５」に決定されることがあってもよい。変動パターンＰＡ３−６〜ＰＡ３−８、ＰＡ５−６〜ＰＡ５−８では、期待度昇格演出が実行されない場合に、ノーマル、スーパーＡ、スーパーＢのリーチ演出が順次に実行されてから可変表示結果が導出される。これらの変動パターンのいずれかであるときに、特定タイミングがタイミングＴＭ０２で昇格演出総数が「５」に決定され、昇格後の演出内容としてスーパーＢのリーチ演出が決定される場合がある。この場合には、タイミングＴＭ０２にて期待度昇格演出が実行された後に、スーパーＢのリーチ演出が開始されるまで所定の繋ぎ演出を実行してもよいし、スーパーＢのリーチ演出が開始されるまで期待度昇格演出を延長して実行してもよい。
【０３１５】
図３１のステップＳ６０２にて「擬似連」の可変表示演出やリーチ演出が実行されないと判定した場合や（ステップＳ６０２；Ｎｏ）、ステップＳ６０４にて「昇格演出なし」と判定した場合（ステップＳ６０４；Ｙｅｓ）、あるいはステップＳ６０６の処理を実行した後には、擬似連変動が実行されない擬似連なし時または擬似連変動が実行される場合の最終変動時の演出内容を決定する（ステップＳ６０７）。ステップＳ６０７の処理では、メッセージ予告やステップアップ予告、リーチ成立時予告といった各種の予告演出について、実行の有無や演出態様が決定される。
【０３１６】
ステップＳ６０７における処理の一例として、図３３（Ａ）は、期待度昇格演出が実行される期待度昇格演出ありの場合における、予告演出の決定例を示している。図３３（Ａ）に示す決定例では、それぞれの予告演出について、期待度昇格演出で大当り期待度がより高い演出態様に変更されるように、期待度昇格演出における変更前（昇格前）の演出内容となるものが決定される。すなわち、図３３（Ａ）に示す決定例で決定可能となる予告演出の演出内容はいずれも、ステップＳ６０６の処理で決定可能となる図３２（Ｃ）に示すような予告演出の演出内容よりも、大当り期待度が低いものになっている。これにより、この実施の形態における期待度昇格演出では、予告演出の大当り期待度が常により高い演出態様に変更されることを報知できる。
【０３１７】
なお、期待度昇格演出では、予告演出の大当り期待度が常により高い演出態様に変更されるものに限定されず、演出態様の変更が行われない場合があってもよいし、大当り期待度が低い演出態様に変更される場合があってもよい。また、図３２（Ｃ）と図３３（Ａ）に示す決定例のように、ステップＳ６０６とステップＳ６０７の処理で決定可能な演出内容の全部を予め設定しておくものに限定されず、ステップＳ６０６の処理により決定された演出内容に基づいて、ステップＳ６０７の処理にて大当り期待度が同一か低い演出内容となるように、昇格前の演出内容として決定可能な演出内容の一部または全部を設定してもよい。
【０３１８】
大当り期待度にかかわらず、所定割合で変更前（昇格前）の演出内容となるものを決定可能とし、期待度昇格演出において大当り期待度がより高い演出態様に変更できないような場合には、変更前（昇格前）の演出内容を他の演出内容に差し替えてもよい。あるいは、決定された演出内容での予告演出などを、実行しないように制限してもよい。
【０３１９】
示唆演出において大当り期待度に応じて演出態様を異ならせる系統が複数ある場合に、期待度昇格演出における変更後（昇格後）の演出態様として、複数系統のうち１の系統における演出態様を変更する一方で、他の系統における演出態様を変更しないように制限してもよい。一例として、ステップアップ予告の演出態様を異ならせる系統として、ステップ数を増加させることにより大当り期待度を高める系統（第１系統）と、各段階（ステップ）で表示させるキャラクタの表示態様（例えばキャラクタの種類や表示色、形状、表示柄の一部または全部など）を変化させることにより大当り期待度を高める系統（第２系統）とがあるものとする。この場合、期待度昇格演出では、例えば第２系統といった少なくとも１つの系統におけるステップアップ予告の演出態様を変更できるように、ステップＳ６０６、Ｓ６０７の処理にて、変更前（昇格前）と変更後（昇格後）の演出態様が決定されてもよい。こうして、期待度昇格演出では、例えば変更前（昇格前）のステップアップ予告におけるキャラクタの表示柄を通常柄（無地など）とする一方、変更後（昇格後）のステップアップ予告におけるキャラクタの表示柄を特別柄（サクラ柄など）としてもよい。あるいは、期待度昇格演出により複数系統における演出態様を変更するように、ステップＳ６０６、Ｓ６０７の処理にて、変更前（昇格前）と変更後（昇格後）の演出態様が決定されてもよい。すなわち、図３１に示すステップＳ６０６、Ｓ６０７の処理では、示唆演出において異なる演出態様により大当り期待度を異ならせる複数系統のうち、一部または全部の系統における演出態様を変更するように、変更前（昇格前）と変更後（昇格後）の演出態様が決定されればよい。
【０３２０】
図３３（Ｂ１）および（Ｂ２）は、期待度昇格演出が実行されない期待度昇格演出なしの場合における、予告演出の決定例を示している。このうち、図３３（Ｂ１）は飾り図柄の可変表示状態がリーチ状態にならない非リーチ時の決定例を示す一方、図３３（Ｂ２）はリーチ状態になるリーチ時の決定例を示している。図３３（Ｂ１）および（Ｂ２）に示す決定例では、複数のタイミングのうち第１タイミングにて実行可能な予告演出の演出態様が大当り期待度の高い特定演出態様に決定される場合に、第１タイミングよりも遅い第２タイミングにて実行可能な予告演出の演出態様が大当り期待度の低い通常演出態様には決定されないように、複数の予告演出を組み合わせる決定割合が設定されている。
【０３２１】
例えばメッセージ予告については、メッセージ予告ＭＳ２が実行される場合に、メッセージ予告が実行されない場合やメッセージ予告ＭＳ１が実行される場合よりも大当り期待度が高くなるように、決定割合が設定されている。また、ステップアップ予告については、ステップアップ予告が実行されない場合よりも、ステップアップ予告ＳＵ１〜ＳＵ４のいずれかが実行される場合に大当り期待度が高くなり、ステップアップ予告ＳＵ１、ステップアップ予告ＳＵ２、ステップアップ予告ＳＵ３、ステップアップ予告ＳＵ４の順に大当り期待度が高くなるように、決定割合が設定されている。リーチ成立時予告については、リーチ成立時予告が実行されない場合よりも、リーチ成立時予告ＧＲ１〜ＧＲ３のいずれかが実行される場合に大当り期待度が高くなり、リーチ成立時予告ＧＲ１、リーチ成立時予告ＧＲ２、リーチ成立時予告ＧＲ３の順に大当り期待度が高くなるように、決定割合が設定されている。
【０３２２】
一方、図３２（Ａ）に示す決定割合に基づき図３２（Ｃ）に示すような昇格後の演出内容が設定される場合と、図３３（Ｂ１）および（Ｂ２）に示す決定割合とを比較すると、メッセージ予告について、期待度昇格演出なしの場合にメッセージ予告ＭＳ２が実行される場合よりも、期待度昇格演出における昇格後の演出内容としてメッセージ予告ＭＳ２の演出態様が報知される場合に大当り期待度がより高くなるように、期待度昇格演出の実行割合や予告演出の決定割合が設定されている。また、ステップアップ予告について、期待度昇格演出なしの場合にステップアップ予告ＳＵ３やステップアップ予告ＳＵ４が実行される場合よりも、期待度昇格演出における昇格後の演出内容としてステップアップ予告ＳＵ３やステップアップ予告ＳＵ４の演出態様が報知される場合に大当り期待度がより高くなるように、期待度昇格演出の実行割合や予告演出の決定割合が設定されている。さらに、リーチ成立時予告について、期待度昇格演出なしの場合にリーチ成立時予告ＧＲ２が実行される場合よりも、期待度昇格演出における昇格後の演出内容としてリーチ成立時予告ＧＲ２の演出態様が報知される場合に大当り期待度がより高くなるように、期待度昇格演出の実行割合や予告演出の決定割合が設定されている。このように、期待度昇格演出において昇格後の演出内容として特定の演出態様が報知された場合には、示唆演出において特定の演出態様となる場合よりも、大当り期待度を高めることができる。
【０３２３】
図３１に示すステップＳ６０７の処理に続いて、変動パターンが「擬似連」の可変表示演出を実行するものであるか否かを判定する（ステップＳ６０８）。このとき、「擬似連」の可変表示演出を実行しない擬似連なしであれば（ステップＳ６０８；Ｎｏ）、可変表示中演出決定処理を終了する。一方、「擬似連」の可変表示演出を実行する擬似連ありの場合には（ステップＳ６０８；Ｙｅｓ）、各回の擬似連変動が実行されるよりも前に実行されるメッセージ予告、ステップアップ予告、再変動演出などを決定するための処理が実行される。この場合には、まず、変動パターンに対応する擬似連回数（「１」〜「３」のいずれか）を変数ｘにセットする（ステップＳ６０９）。
【０３２４】
ステップＳ６０９の処理を実行した後には、期待度昇格演出を実行しない「昇格演出なし」であるか否かを判定する（ステップＳ６１０）。このとき、期待度昇格演出を実行する「昇格演出なし」以外であれば（ステップＳ６１０；Ｎｏ）、１回分の擬似連変動を期待度昇格演出に置換して実行することに対応させるために、変数ｘを１減算しておく（ステップＳ６１１）。
【０３２５】
ステップＳ６１０にて「昇格演出なし」である場合や（ステップＳ６１０；Ｙｅｓ）、ステップＳ６１１の処理を実行した後には、変数ｘが「０」であるか否かを判定する（ステップＳ６１２）。このとき、変数ｘが「０」以外であれば（ステップＳ６１２；Ｎｏ）、変数ｘに対応する擬似連回数の擬似連変動より前（直前）の変動中に実行される予告演出を決定する（ステップＳ６１３）。例えば変数ｘが「３」である場合には、第３擬似連変動より前の第２擬似連変動中に実行される予告演出を決定する。なお、第３擬似連変動は、擬似連回数が３回である場合の最終変動となり、その擬似連変動中に実行される予告演出は、ステップＳ６０７の処理により既に決定されている。
【０３２６】
ステップＳ６１３の処理により決定される予告演出には、変動開始時予告であるメッセージ予告と、全図柄変動中予告であるステップアップ予告とがある。図３４（Ａ）および（Ｂ）は、ステップＳ６１３の処理におけるメッセージ予告の決定例とステップアップ予告の決定例とを示している。
【０３２７】
図３４（Ａ）に示す決定例では、ステップＳ６０７またはステップＳ６１３の処理により１つ先に決定した予告内容に応じて、メッセージ予告が、予告なし、メッセージ予告ＭＳ１、メッセージ予告ＭＳ２のいずれかに決定される。なお、１つ先に決定した予告内容は、可変表示中演出決定処理の実行を開始してから終了するまでに、ステップＳ６０７またはステップＳ６１３の処理が前回実行されたときに決定された予告演出の有無および演出態様であればよい。図３４（Ａ）に示す決定例において、１つ先に決定した予告内容が予告なしであれば、メッセージ予告を実行しない予告なしにのみ決定される。一方、１つ先に決定した予告内容がメッセージ予告ＭＳ１であれば、予告なし、または、メッセージ予告ＭＳ１のいずれかに決定される。１つ先に決定した予告内容がメッセージ予告ＭＳ２であれば、予告なし、メッセージ予告ＭＳ１、メッセージ予告ＭＳ２のいずれにも決定可能になる。
【０３２８】
図３４（Ｂ）に示す決定例では、ステップＳ６０７またはステップＳ６１３の処理により１つ先に決定した予告内容に応じて、ステップアップ予告が、予告なし、ステップアップ予告ＳＵ１〜ステップアップ予告ＳＵ３のいずれかに決定される。この決定例において、１つ先に決定した予告内容が予告なしであれば、ステップアップ予告を実行しない予告なしにのみ決定される。一方、１つ先に決定した予告内容がステップアップ予告ＳＵ１であれば、予告なし、または、ステップアップ予告ＳＵ１のいずれかに決定される。１つ先に決定した予告内容がステップアップ予告ＳＵ２であれば、予告なし、ステップアップ予告ＳＵ１、ステップアップ予告ＳＵ２のいずれかに決定される。１つ先に決定した予告内容がステップアップ予告ＳＵ３またはステップアップ予告ＳＵ４であれば、予告なし、ステップアップ予告ＳＵ１〜ステップアップ予告ＳＵ３のいずれかに決定される。
【０３２９】
図３１に示す可変表示中演出決定処理では、「擬似連」の可変表示演出における擬似連変動が実行される場合に対応して、ステップＳ６０７の処理により最終変動時のメッセージ予告やステップアップ予告を決定し、続いてステップＳ６０９の処理によりセットした変数ｘをステップＳ６１１の処理で１ずつ減算しながら、ステップＳ６１３の処理が実行される。したがって、「擬似連」の可変表示演出が実行される場合には、最終変動から初回変動へと遡る順序で、メッセージ予告やステップアップ予告における予告内容が決定される。そして、図３４（Ａ）や図３４（Ｂ）に示すような決定例により、初回変動や各回の擬似連変動においてメッセージ予告やステップアップ予告が実行される場合に、前回の変動中（初回変動または擬似連変動）にて実行された予告内容よりも今回の変動中にて実行される予告内容が大当り期待度の低いものにはならないように、それぞれの予告内容を決定することができる。
【０３３０】
ステップＳ６１３の処理に続いて、変数ｘに対応する演出回数（順番）の再変動演出を決定する（ステップＳ６１４）。例えば変数ｘが「３」である場合には、第３擬似連変動が開始される直前に仮停止表示されるカード図柄（３つの星型記号を含む）を決定する。ステップＳ６１４の処理を実行した後には、ステップＳ６１１の処理に進んで変数ｘの値を１減算し、減算後の変数ｘが「０」になるまで、ステップＳ６１３、Ｓ６１４の処理を繰返し実行する。そして、ステップＳ６１２の処理にて変数ｘが「０」であると判定されたときに（ステップＳ６１２；Ｙｅｓ）、可変表示中演出決定処理を終了する。
【０３３１】
図３１に示す可変表示中演出決定処理では、ステップＳ６０６の処理により図３２（Ｃ）に示すような昇格後の演出内容を決定するとともに、ステップＳ６０７の処理により図３３（Ａ）に示すような昇格前の演出内容を決定する。これにより、期待度昇格演出が実行される場合に対応した各種の示唆演出（変更前／昇格前）における演出態様と、期待度昇格演出による変更後（昇格後）の演出態様とを、順次に決定することができる。一方、変更前（昇格前）の示唆演出における演出態様や、期待度昇格演出による変更後（昇格後）の演出態様などを、一括して決定するようにしてもよい。この場合には、例えば変更前（昇格前）の演出態様や変更後（昇格後）の演出態様を組み合わせた演出態様組合せパターンを予め複数パターン用意しておき、期待度昇格演出が実行される場合には、いずれかの演出態様組合せパターンを使用パターンに決定すればよい。
【０３３２】
「擬似連」の可変表示演出が実行される場合についても、ステップＳ６０９〜Ｓ６１４の処理により初回変動や擬似連変動ごとの予告演出や再変動演出を順次に決定するものに限定されず、すべての予告演出や再変動演出を一括して決定するようにしてもよい。例えば、予告演出や再変動演出の演出パターンを組み合わせた演出組合せパターンを、擬似連回数などに応じて予め複数パターン用意しておき、所定割合でいずれかの演出組合せパターンを使用パターンに決定すればよい。
【０３３３】
期待度昇格演出の有無や実行開始タイミングとなる特定タイミング、昇格演出総数などについても、予告演出や再変動演出などの示唆演出とともに、一括して決定するようにしてもよい。例えば、期待度昇格演出や予告演出、再変動演出といった各種演出について、実行の有無や演出態様の組合せパターンを、変動パターン指定コマンドにより指定される変動パターンなどに応じて予め複数パターン用意しておき、所定割合でいずれかの組合せパターンを使用パターンに決定すればよい。
【０３３４】
あるいは、初回変動や擬似連変動における示唆演出（昇格前）の演出内容を決定してから、期待度昇格演出の有無や実行開始タイミングとなる特定タイミング、昇格演出総数、さらには昇格後の演出内容を決定してもよい。この場合には、期待度昇格演出の有無にかかわらず、示唆演出（昇格前）の演出内容を決定した後、昇格後の演出内容として、昇格前の演出内容よりも大当り期待度が低い演出内容には決定されないあるいは決定されにくいように、演出態様の決定割合が設定されていればよい。また、昇格後の演出内容を、昇格前の演出内容にかかわらず所定割合で決定した後、期待度昇格演出において大当り期待度がより高い演出態様に変更できないような場合には、昇格前の演出内容を他の演出内容に差し替えることや、昇格前の予告演出などを実行しないように制限することで、期待度昇格演出において大当り期待度が低い演出態様に変更されてしまうことを防止してもよい。
【０３３５】
図３５は、図２９のステップＳ１７２にて実行される可変表示中演出処理の一例を示すフローチャートである。図３５に示す可変表示中演出処理において、演出制御用ＣＰＵ１２０は、まず、例えば演出制御プロセスタイマ値などに基づいて、変動パターンに対応した可変表示時間が経過したか否かを判定する（ステップＳ５４１）。一例として、ステップＳ５４１の処理では、演出制御プロセスタイマ値を更新（例えば１減算）し、更新後の演出制御プロセスタイマ値に対応して演出制御パターンから終了コードが読み出されたときなどに、可変表示時間が経過したと判定すればよい。
【０３３６】
ステップＳ５４１にて可変表示時間が経過していない場合には（ステップＳ５４１；Ｎｏ）、予告演出を実行するための予告演出実行期間であるか否かを判定する（ステップＳ５４２）。予告演出実行期間は、例えばメッセージ予告やステップアップ予告、リーチ成立時予告といった、所定の予告演出に対応して選択された予告演出制御パターンにおいて、予め定められていればよい。ステップＳ５４２にて予告演出実行期間であるときには（ステップＳ５４２；Ｙｅｓ）、予告演出を実行するための演出動作制御を行う（ステップＳ５４３）。
【０３３７】
一例として、ステップＳ５４３の処理では、予告演出制御パターンなどから読み出した演出制御実行データ（例えば表示制御データ、音声制御データ、ランプ制御データ、操作検出制御データなど）に応じて、演出画像の表示や効果音の出力、ランプの点灯、演出用模型の動作などのうち、一部または全部を含めた所定の演出動作を行うために、各種指令を作成して表示制御部１２３や音声制御基板１３、ランプ制御基板１４などに対して伝送させればよい。
【０３３８】
ステップＳ５４２にて予告演出実行期間ではないときや（ステップＳ５４２；Ｎｏ）、ステップＳ５４３の処理を実行した後には、再変動演出を実行するための再変動演出実行期間であるか否かを判定する（ステップＳ５４４）。再変動演出実行期間は、変動パターンなどに対応して選択された特図変動時演出制御パターンにおいて、予め定められていればよい。ステップＳ５４４にて再変動演出実行期間であるときには（ステップＳ５４４；Ｙｅｓ）、再変動演出を実行するための演出動作制御を行う（ステップＳ５４５）。
【０３３９】
ステップＳ５４４にて再変動演出実行期間ではないときや（ステップＳ５４４；Ｎｏ）、ステップＳ５４５の処理を実行した後には、リーチ演出を実行するためのリーチ演出実行期間であるか否かを判定する（ステップＳ５４６）。リーチ演出実行期間は、変動パターンなどに対応して選択された特図変動時演出制御パターンにおいて、予め定められていればよい。ステップＳ５４６にてリーチ演出実行期間であるときには（ステップＳ５４６；Ｙｅｓ）、リーチ演出を実行するための演出動作制御を行う（ステップＳ５４７）。
【０３４０】
ステップＳ５４６にてリーチ演出実行期間ではないときや（ステップＳ５４６；Ｎｏ）、ステップＳ５４７の処理を実行した後には、期待度昇格演出を実行するための期待度昇格演出実行期間であるか否かを判定する（ステップＳ５４８）。期待度昇格演出実行期間は、期待度昇格演出を実行する場合の実行開始タイミングである特定タイミングなどに対応して選択された特図変動時演出制御パターンにおいて、例えば飾り図柄の可変表示状態をリーチ状態とした後の演出実行期間として、予め定められていればよい。ステップＳ５４８にて期待度昇格演出実行期間であるときには（ステップＳ５４８；Ｙｅｓ）、期待度昇格演出処理を実行する（ステップＳ５４９）。期待度昇格演出処理は、期待度昇格演出が実行される場合に対応して、各種の演出動作を制御するための処理を含んでいる。
【０３４１】
ステップＳ５４８にて期待度昇格演出実行期間ではないときや（ステップＳ５４８；Ｎｏ）、ステップＳ５４９の期待度昇格演出処理を実行した後には、例えば変動パターンに対応した特図変動時演出制御パターンにおける設定などに基づいて、その他、飾り図柄の可変表示動作を含めた演出動作制御を行ってから（ステップＳ５５０）、可変表示中演出処理を終了する。
【０３４２】
ステップＳ５４１にて可変表示時間が経過した場合には（ステップＳ５４１；Ｙｅｓ）、主基板１１から伝送される図柄確定コマンドの受信があったか否かを判定する（ステップＳ５５１）。このとき、図柄確定コマンドの受信がなければ（ステップＳ５５１；Ｎｏ）、可変表示中演出処理を終了して待機する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０３４３】
ステップＳ５５１にて図柄確定コマンドの受信があった場合には（ステップＳ５５１；Ｙｅｓ）、例えば表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ５５２）。また、当り開始指定コマンド受信待ち時間として予め定められた一定時間を設定する（ステップＳ５５３）。そして、演出プロセスフラグの値を特図当り待ち処理に対応した値である“３”に更新してから（ステップＳ５５４）、可変表示中演出処理を終了する。
【０３４４】
ステップＳ５４８の処理にて判定される期待度昇格演出実行期間は、飾り図柄の可変表示状態をリーチ状態とした後の演出実行期間として設定されたものでなくてもよく、リーチ状態とする前の演出実行期間として、特図変動時演出制御パターンにおいて予め定められていてもよい。一例として、リーチ演出を伴わない非リーチ変動パターンのうちで、「擬似連」の可変表示演出が実行される変動パターン（図５に示す変動パターンＰＡ１−４など）であっても期待度昇格演出を実行可能にした場合には、期待度昇格演出の実行開始タイミングとなる特定タイミングとして、リーチ状態とする前の所定タイミングに決定可能となるように予め設定しておく。そして、変動パターンに応じた所定割合で、リーチ状態とする前のタイミングを、特定タイミングに決定することができればよい。
【０３４５】
図３６は、図３５のステップＳ５４９にて実行される期待度昇格演出処理の一例を示すフローチャートである。図３６に示す期待度昇格演出処理において、演出制御用ＣＰＵ１２０は、まず、昇格演出中フラグがオンであるか否かを判定する（ステップＳ６２１）。昇格演出中フラグは、期待度昇格演出の実行が開始されることに対応して、後述するステップＳ６２３の処理によりオン状態にセットされる。
【０３４６】
ステップＳ６２１にて昇格演出中フラグがオフであるときには（ステップＳ６２１；Ｎｏ）、例えば演出制御カウンタ設定部１９３などに設けられた昇格演出カウンタのカウント初期値として「１」を設定する（ステップＳ６２２）。このときには、例えば演出制御フラグ設定部１９１などに設けられた昇格演出中フラグをオン状態にセットする（ステップＳ６２３）。
【０３４７】
ステップＳ６２３の処理を実行した後には、区切り演出時間となる所定時間を設定する（ステップＳ６２４）。区切り演出時間は、複数の示唆演出について演出態様を示す演出が変更されることを報知する場合に、それぞれの報知が行われる前または後に、各報知の区切りとなる区切り演出を実行するための演出時間である。ステップＳ６２４の処理を実行したときには、例えば演出制御フラグ設定部１９１などに設けられた区切り演出フラグをオン状態にセットする（ステップＳ６２５）。
【０３４８】
ステップＳ６２５の処理に続いて、区切り演出を実行することにより、昇格回数と昇格対象になる示唆演出とを報知する（ステップＳ６２６）。ここで、昇格回数は、期待度昇格演出において示唆演出の演出態様が大当り期待度のより高い演出態様に変更されることを報知する回数であり、昇格演出カウント値によって指定される。昇格対象になる示唆演出は、予め昇格回数と対応付けて、例えば再変動演出、メッセージ予告、ステップアップ予告、リーチ成立時予告、リーチ演出といった、複数の示唆演出のいずれかが設定されればよい。演出制御用ＣＰＵ１２０は、特図変動時演出制御パターンに基づく各種指令を表示制御部１２３や音声制御部１３、ランプ制御部１４などに対して伝送させ、演出画像の表示や効果音の出力、ランプの点灯などにより、昇格回数や昇格対象になる示唆演出を報知する区切り演出を実行可能にすればよい。
【０３４９】
こうしたステップＳ６２６の処理における区切り演出の実行で昇格回数が報知されることにより、期待度昇格演出において演出態様が大当り期待度のより高い演出態様に変更される示唆演出の数を、遊技者が認識可能になる。なお、期待度昇格演出が昇格失敗演出を含む場合には、期待度昇格演出において演出態様が変更されるか否かの演出を行う示唆演出の数が、区切り演出における昇格回数として報知されればよい。すなわち、昇格回数は、演出態様が大当り期待度のより高い演出態様に変更される可能性のある示唆演出の数を示していてもよいし、実際に大当り期待度のより高い演出態様に変更される示唆演出の数のみを示していてもよい。このように、区切り演出は、複数の示唆演出について演出態様を示す演出が変更されることを報知する場合に、各報知の区切りとして実行される演出である。また、区切り演出は、昇格回数や昇格対象になる示唆演出を報知することなどにより、以後に実行される（あるいは既に実行された）変更演出において、演出態様が変更されるか否かを報知する対象となる示唆演出を、遊技者が認識可能にするものであればよい。なお、区切り演出は、昇格回数や昇格対象になる示唆演出を報知するものでなくてもよく、期待度昇格演出を複数期間に区分けして、それぞれの期間で実行される複数の変更演出を、遊技者が認識しやすくする演出であればよい。
【０３５０】
ステップＳ６２６の処理により区切り演出を実行するときには、遊技領域の内部または外部に設けられた演出用模型などを構成する複数の可動部材のうち、昇格演出カウント値に応じた可動部材の演出動作制御を行う（ステップＳ６２７）。一例として、画像表示装置５の周囲には、花形あるいは所定のエンブレムなどを模した合計５個の演出用模型を構成する可動部材が配置されていればよい。この場合、昇格演出カウント値に対応する示唆演出として、再変動演出、メッセージ予告、ステップアップ予告、リーチ成立時予告、リーチ演出のうち、いずれの示唆演出における演出態様を変更する演出が行われるかに応じて、異なる可動部材を動作（例えば移動、振動、回転のいずれかなど）させる演出動作制御を行う。例えば演出制御用ＣＰＵ１２０は、各々の可動部材に連結されたソレノイドやモータなどの電磁アクチュエータを駆動するための駆動制御信号を生成し、いずれかの電磁アクチュエータを駆動するための駆動回路に供給すればよい。なお、可動部材を用いた演出動作制御に代えて、あるいは可動部材を用いた演出動作制御とともに、例えば遊技効果ランプ９や装飾用ＬＥＤといった発光体を点灯させるための演出動作制御といった、区切り演出の実行を報知する所定の演出動作制御が行われるようにしてもよい。このときにも、昇格演出カウント値に応じて、例えば発光体の点灯態様（発光色、輝度、発光期間、点滅回数、点灯部材位置、点灯部材数のいずれかなど）といった、所定の演出態様を異ならせるように演出動作制御が行われてもよい。このような昇格演出カウント値に応じて演出態様を異ならせることにより、昇格回数や昇格対象となる示唆演出を、遊技者が認識可能に報知できればよい。
【０３５１】
ステップＳ６２７の処理を実行した後には、区切り演出時間が経過したか否かを判定する（ステップＳ６２８）。このとき、区切り演出時間が経過していなければ（ステップＳ６２８；Ｎｏ）、期待度昇格演出処理を終了する。一方、区切り演出時間が経過したときには（ステップＳ６２８；Ｙｅｓ）、区切り演出フラグをクリアしてオフ状態にする（ステップＳ６２９）。また、昇格回数（昇格演出カウント値）に応じた昇格対象となる示唆演出について、昇格前後の演出内容を特定する（ステップＳ６３０）。
【０３５２】
ステップＳ６３０の処理に続いて、昇格前の演出を再び実行して示唆演出での演出態様を報知するか否かを判定する（ステップＳ６３１）。そして、昇格前の演出を再び実行する場合には（ステップＳ６３１；Ｙｅｓ）、昇格前演出報知期間となる所定期間を設定する（ステップＳ６３２）。なお、いずれの示唆演出についても昇格前の演出態様を示す演出が行われる場合には、ステップＳ６３１の処理を実行せずにステップＳ６３２の処理で昇格前演出報知期間を設定してもよい。一方、例えば可変表示結果が「大当り」で大当り遊技状態となることの確定を示す演出態様となる場合のように、特別な演出態様に変更される場合には、昇格前の演出態様を再び報知することなく、特別な演出態様が直ちに報知されるようにしてもよい。
【０３５３】
ステップＳ６３１にて昇格前の演出を再び実行しないと判定された場合や（ステップＳ６３１；Ｎｏ）、ステップＳ６３２の処理を実行した後には、昇格演出時間となる所定時間を設定してから（ステップＳ６３３）、期待度昇格演出処理を終了する。昇格演出時間は、期待度昇格演出にて複数の示唆演出のうちで昇格対象となるいずれか１つの示唆演出の演出態様を示す演出が行われてから、大当り期待度がより高い演出態様を示す演出が完了するまでの所要時間として、特図変動時演出制御パターンなどにおいて予め設定されていればよい。
【０３５４】
ステップＳ６２１にて昇格演出中フラグがオンであると判定されたときには（ステップＳ６２１；Ｙｅｓ）、区切り演出フラグがオンであるか否かを判定する（ステップＳ６３４）。そして、区切り演出フラグがオンである場合には（ステップＳ６３４；Ｙｅｓ）、ステップＳ６２６の処理に進んで、区切り演出の実行を継続させる。なお、区切り演出の実行が開始されるときに演出制御用ＣＰＵ１２０が行った制御設定に基づいて、例えば表示制御部１２３のＶＤＰといった各種処理回路が、継続して区切り演出を実行するための処理（例えば動画再生処理など）を実行可能な場合には、ステップＳ６２６の処理ではなくステップＳ６２８の処理に進むようにすればよい。
【０３５５】
ステップＳ６３４にて区切り演出フラグがオフであると判定されたときには（ステップＳ６３４；Ｎｏ）、昇格演出時間が経過したか否かを判定する（ステップＳ６３５）。そして、昇格演出時間が経過していない場合には（ステップＳ６３５；Ｎｏ）、昇格前演出報知期間であるか否かを判定する（ステップＳ６３６）。昇格前演出報知期間であるときには（ステップＳ６３６；Ｙｅｓ）、昇格前の示唆演出における演出内容（演出態様）を報知する（ステップＳ６３７）。一方、昇格演出報知期間ではないときには（ステップＳ６３６；Ｎｏ）、昇格後の大当り期待度がより高い演出内容（演出態様）を報知する（ステップＳ６３８）。なお、昇格前演出報知期間の開始時における演出制御用ＣＰＵ１２０が行った制御設定に基づいて、各種処理回路が昇格前の示唆演出における演出内容を継続して報知するための処理（例えば動画再生処理など）を実行可能な場合には、昇格前演出報知期間の開始時にステップＳ６３７の処理を１回実行して、その後は昇格前演出報知期間が終了するまで待機してもよい。また、演出制御用ＣＰＵ１２０による制御設定に基づいて、各種処理回路が昇格後の演出内容を継続して報知するための処理（例えば動画再生処理など）を実行可能な場合には、昇格前演出報知期間の終了時にステップＳ６３８の処理を１回実行して、その後は昇格演出時間が経過するまで待機してもよい。
【０３５６】
ステップＳ６３５にて昇格演出時間が経過したと判定されたときには（ステップＳ６３５；Ｙｅｓ）、昇格演出カウント値が昇格演出総数に達したか否かを判定する（ステップＳ６３９）。そして、昇格演出総数に達したときには（ステップＳ６３９；Ｙｅｓ）、昇格演出中フラグをクリアしてから（ステップＳ６４０）、期待度昇格演出処理を終了する。一方、昇格演出総数に達していないときには（ステップＳ６３９；Ｎｏ）、昇格演出カウント値を１加算してから（ステップＳ６４１）、ステップＳ６２４の処理に戻り、次の昇格対象となる示唆演出に応じた区切り演出を実行するための制御などが行われればよい。
【０３５７】
図３６に示す期待度昇格演出処理では、ステップＳ６２４、Ｓ６２５の処理に基づいてステップＳ６２６〜Ｓ６３３の処理が実行されることなどにより、まずは区切り演出を実行して、その区切り演出が終了した後に、示唆演出の演出態様が変更されるか否かを報知する変更演出が行われる。これに対して、区切り演出の一部または全部は、昇格前の演出内容の報知あるいは昇格後の演出内容の報知のうち、一部または全部と重複（同時並行）して実行されてもよい。一例として、区切り演出のうちで昇格回数を特定可能に表示するための演出画像は、示唆演出の演出態様が変更されるか否かを報知する演出が行われているときにも継続して表示されてもよい。
【０３５８】
また、示唆演出の演出態様が変更されるか否かを報知する変更演出が実行される以前に区切り演出が行われることに代えて、あるいは、このような区切り演出とともに、変更演出が実行された以後に演出態様の変更結果などを特定可能に報知する変更結果報知演出が行われるようにしてもよい。例えば、変更結果報知演出では、それぞれの示唆演出について変更する前後の演出態様や、それぞれの示唆演出の演出態様を変更することによって高められた大当り期待度の段階数（ランクアップ数）といった、それぞれの示唆演出について演出態様の変更結果が報知されればよい。また、変更結果報知演出には、複数の示唆演出について演出態様が変更された合計回数（総演出数）を報知する変更総数報知演出が含まれてもよい。
【０３５９】
図３６に示す期待度昇格演出処理では、ステップＳ６２６の処理により区切り演出を実行するとともに、ステップＳ６２７の動作制御により昇格回数に応じた可動部材を動作させる。これにより、演出画像の表示や効果音の出力、ランプの点灯とともに、演出用模型などに含まれる可動部材を動作させて、期待度昇格演出により演出態様が変更される対象となる示唆演出を、遊技者が認識可能にすることができる。なお、演出画像の表示や効果音の出力、ランプの点灯、演出用模型の動作などのうち、一部または全部を含めた所定の演出動作により、区切り演出を実行することができればよい。区切り演出を実行することなく、既に実行された示唆演出の演出態様を示す演出が、大当り期待度のより高い演出態様に変更されるか否かの報知を開始することがあってもよい。区切り演出が実行されない場合には、昇格前または昇格後の演出内容を報知するとともに、昇格回数や昇格対象になる示唆演出が報知されてもよい。
【０３６０】
図３６に示す期待度昇格演出処理では、ステップＳ６３６の処理にて昇格前演出報知期間ではないと判定されることにより、ステップＳ６３８の処理が実行されて昇格後の演出内容が報知される。これに対して、例えばスティックコントローラ３１Ａやプッシュボタン３１Ｂの一方または双方に対する指示操作を検出した結果に基づいて、昇格後の演出内容が報知されるようにしてもよい。一例として、昇格前演出報知期間と共通または別個に、スティックコントローラ３１Ａやプッシュボタン３１Ｂの一方または双方に対する指示操作を有効に検出する操作検出期間を設定する。そして、ステップＳ６３５の処理により昇格演出時間が経過したと判定されるまでに、操作検出期間であるときには、昇格前の演出内容を報知するとともに、スティックコントローラ３１Ａやプッシュボタン３１Ｂの一方または双方に対する指示操作を検出したか否かを判定する。このとき、所定の指示操作が検出されたことに対応して、昇格後の演出内容が報知されるようにすればよい。
【０３６１】
予告演出のうちには、先読み予告となるものが含まれていてもよい。先読み予告は、可変表示結果が「大当り」となる可能性などが予告される対象（予告対象）となる可変表示が開始されるより前に、演出態様に応じて可変表示結果が「大当り」となる可能性を予告する予告演出である。特に、複数回の特図ゲームに対応して複数回実行される飾り図柄の可変表示にわたり連続して予告する先読み予告は、連続予告ともいう。先読み予告では、予告対象となる可変表示が開始されるより前に、特図ゲームの保留記憶情報などに基づいて可変表示結果が「大当り」となる可能性などを予告するための演出動作が開始される。先読み予告との対比において、予告対象となる可変表示が開始された後に実行が開始される予告演出は、可変表示中予告ともいう。
【０３６２】
期待度昇格演出において演出態様が変更されるか否かを報知する予告演出には、メッセージ予告、ステップアップ予告、リーチ成立時予告といった、可変表示中予告だけでなく、先読み予告も含まれてもよい。先読み予告としては、例えば図柄停止予告のように、再変動演出と少なくとも一部の演出態様（例えばカード図柄を停止表示する演出態様など）が共通する予告演出を実行してもよい。ステップアップ予告のような可変表示中予告と一部または全部の演出態様が共通する予告演出を、先読み予告として実行してもよい。保留表示予告（始動入賞記憶表示エリア５Ｈにおいて特図保留記憶数を特定可能に表示する表示部位での表示態様を、通常時における表示態様とは異なる表示態様に変化させることにより、可変表示結果が「大当り」となる可能性を示唆する予告演出）のような可変表示中予告とは演出態様が相違する予告演出を、先読み予告として実行してもよい。こうした先読み予告が実行される場合に、示唆演出として先読み予告が実行された後の特定タイミングにて、期待度昇格演出が実行されることにより、既に実行された先読み予告の演出態様を示す演出を行った後に、その演出により報知された演出態様を、大当り期待度がより高い演出態様を示す演出に変更して報知すればよい。期待度昇格演出の実行開始タイミングとなる特定タイミングは、先読み予告の実行が開始された後であれば任意のタイミングであればよく、例えば先読み予告による予告対象となる可変表示が開始されてから可変表示結果が導出表示されるまでの所定タイミングであってもよいし、予告対象となる可変表示が開始されるより前に、先読み予告の実行が開始された後の所定タイミングにて、期待度昇格演出の実行が開始されてもよい。
【０３６３】
以下、パチンコ遊技機１における具体的な制御の一例について説明する。
【０３６４】
パチンコ遊技機１では、例えば遊技領域に打ち込まれた遊技球が第１始動入賞口や第２始動入賞口を通過（進入）して第１始動入賞や第２始動入賞といった始動入賞が発生した後、特別図柄や飾り図柄の可変表示の開始を許容する開始条件の成立に基づいて、第１特別図柄表示装置４Ａや第２特別図柄表示装置４Ｂによる特図ゲームにおいて特別図柄の可変表示が開始される。画像表示装置５の表示領域では、特別図柄の可変表示に対応して、飾り図柄の可変表示が行われる。
【０３６５】
そして、特図ゲームにおける確定特別図柄として大当り図柄が導出され、特別図柄の可変表示結果（特図表示結果）が「大当り」となったときには、大当り遊技状態に制御されて大入賞口が第１状態（例えば開放状態）に変化するラウンドが行われることで、遊技者が多数の賞球を得られる有利な状態となる。このように、パチンコ遊技機１において、可変表示結果が「大当り」に決定されたことに基づく特図ゲームや、それに対応して実行される飾り図柄の可変表示は、可変表示結果が「ハズレ」に決定された場合よりも遊技者の有利度が高い遊技となる。
【０３６６】
特別図柄や飾り図柄の変動パターンとして、「擬似連」の可変表示演出を実行して飾り図柄の可変表示状態がリーチ状態となる再可変表示パターンが用意されている。遊技制御用マイクロコンピュータ１００のＣＰＵ１０３は、図２６に示すステップＳ２６９の処理により再可変表示パターンを決定すると、ステップＳ２７２の処理や図２２に示すステップＳ１７のコマンド制御処理により、決定した再可変表示パターンを指定する変動パターン指定コマンドを、演出制御基板１２に対して伝送させる。
【０３６７】
演出制御基板１２の側では、演出制御用ＣＰＵ１２０が図３１に示すステップＳ６０２の処理にて「擬似連」の可変表示演出とリーチ演出がいずれも実行されると判定したときに、ステップＳ６０３の処理により期待度昇格演出の有無と特定タイミングとが決定される。これにより、再可変表示パターンでの可変表示が行われるときには、期待度昇格演出を実行することができる。
【０３６８】
ステップＳ６０３の処理により期待度昇格演出を実行すると決定されるときには、期待度昇格演出の実行開始タイミングとなる特定タイミングが、複数のタイミングＴＭ０１〜ＴＭ０３のいずれかに決定される。複数のタイミングＴＭ０１〜ＴＭ０３はいずれも、飾り図柄の可変表示状態がリーチ状態となるリーチ成立よりも後になるように、予め定められている。したがって、期待度昇格演出は、飾り図柄の可変表示状態がリーチ状態となった後に、可変表示結果が導出されるまでの複数のタイミングのいずれかにて、実行が開始される。
【０３６９】
ステップＳ６０３の処理により期待度昇格演出を実行すると決定されたことに基づいて、ステップＳ６０５の処理により、昇格演出総数が決定される。このときには、期待度昇格演出の実行開始タイミングがタイミングＴＭ０１〜ＴＭ０３のいずれであるかに応じた所定割合で、昇格演出総数が決定される。そして、タイミングＴＭ０１〜ＴＭ０３のうちで、より遅いタイミングが実行開始タイミングとなる場合には、より多くの昇格演出総数に決定される割合が高められる。これにより、タイミングＴＭ０１〜ＴＭ０３といった複数のタイミングに含まれる第１タイミングよりも遅い第２タイミングが特定タイミングに決定されたときには、第１タイミングが特定タイミングに決定されたときよりも、期待度昇格演出にて多くの示唆演出の演出態様を示す演出が変更されやすくなる。なお、複数のタイミングＴＭ０１〜ＴＭ０３と昇格演出総数とを予め対応付けて設定しておくことで、複数のタイミングに含まれる第１タイミングよりも遅い第２タイミングが特定タイミングに決定されたときには、第１タイミングが特定タイミングに決定されたときよりも、期待度昇格演出にて多くの示唆演出の演出態様を示す演出が変更されるようにしてもよい。
【０３７０】
図３１に示す可変表示中演出決定処理では、ステップＳ６０７の処理により最終変動時の演出内容を決定した後、ステップＳ６０９〜Ｓ６１４の処理を実行することにより、初回変動へと遡って予告演出や再変動演出の演出内容を決定する。そして、ステップＳ６１３の処理では、図３４に示すように、１つ先に決定した予告内容に応じてメッセージ予告やステップアップ予告を決定する。こうした決定処理により、特に初回変動や擬似連変動ごとに実行されるメッセージ予告やステップアップ予告といった予告演出については、飾り図柄の可変表示が開始されてから表示結果が導出するまでの複数のタイミングにて大当り期待度を示唆（予告）する示唆演出（予告演出）が実行される場合に、複数のタイミングのうち第１タイミングにて大当り期待度が第１基準値以上となる特定演出態様の示唆演出（予告演出）が実行された後、第１タイミングよりも遅い第２タイミングにて大当り期待度が第２基準値未満となる通常演出態様の示唆演出（予告演出）が実行されない（または実行されにくい）。
【０３７１】
図３７および図３８は、例えば図５に示す変動パターンＰＡ５−７といった、「擬似連」の可変表示演出における擬似連回数が２回に設定された再可変表示パターンに基づいて期待度昇格演出が実行される場合の演出動作例を示している。期待度昇格演出は、１回分の擬似連変動を実行するための所要時間を用いて実行される。したがって、実際に実行される擬似連回数は、変動パターンに対応する擬似連回数よりも１回少なくなり、この演出動作例では１回の擬似連変動が行われる。
【０３７２】
この演出動作例において、期待度昇格演出の実行開始タイミングとなる特定タイミングは、図３１に示すステップＳ６０３の処理により、スーパーＡのリーチ演出が開始された後のタイミングＴＭ０３に決定される。また、図３１に示すステップＳ６０７の処理により、最終変動となる第１擬似連変動における予告演出の演出内容が、メッセージ予告ＭＳ１、ステップアップ予告ＳＵ２、リーチ成立後予告ＧＲ２に決定される。さらに、図３１に示すステップＳ６１３の処理により、第１擬似連変動前の初回変動における予告演出の演出内容が、メッセージ予告ＳＵ１、ステップアップ予告ＳＵ１に決定される。
【０３７３】
図３７（Ａ）に示すような飾り図柄の可変表示が開始されたときには、初回変動における変動開始時予告の実行タイミングＴＹ００に対応して、図３７（Ｂ）に示すようなメッセージ予告ＭＳ１が実行される。続いて、図３７（Ｃ）に示すようにメッセージ予告ＭＳ１の実行が終了し、初回変動における全図柄変動中予告の実行タイミングＴＹ０１になると、図３７（Ｄ）に示すようなステップアップ予告ＳＵ１が実行される。その後、第１擬似連変動より前の初回変動における再変動演出の実行タイミングＴＹ０２に対応して、図３７（Ｅ）に示すような１個の星型記号を含むカード図柄が仮停止表示されることで、第１の再変動演出が実行される。
【０３７４】
図３７（Ｅ）に示すような擬似連チャンス目が仮停止表示された後、図３７（Ｆ）に示すように全部の飾り図柄が再び変動を開始することで、第１擬似連変動が行われる。このとき、第１擬似連変動における変動開始時予告の実行タイミングＴＹ１０に対応して、図３７（Ｇ）に示すようなメッセージ予告ＭＳ１が実行される。続いて、図３７（Ｈ）に示すようにメッセージ予告ＭＳ１の実行が終了し、第１擬似連変動における全図柄変動中予告の実行タイミングＴＹ１１になると、図３７（Ｉ）に示すようなステップアップ予告ＳＵ２が実行される。その後、図３７（Ｊ）に示すように、「左」および「右」の飾り図柄表示エリア５Ｌ、５Ｃにて同一の飾り図柄が停止表示されることで、飾り図柄の可変表示状態がリーチ状態となる（リーチ成立）。
【０３７５】
図３７（Ｊ）に示すようなリーチ成立のときには、リーチ成立時予告の実行タイミングＴＹ０３となり、図３８（Ａ）に示すようなリーチ成立時予告ＧＲ２が実行される。続いて、リーチ成立に基づき図３８（Ｂ）に示すようなノーマルのリーチ演出が実行される。その後、図３８（Ｃ）に示すような演出画像を画像表示装置５の画面上に表示することなどにより、発展演出が実行される。ここでは、スーパーＡのリーチ演出が実行されることを報知している。この報知に対応して、図３８（Ｄ）に示すようなスーパーＡのリーチ演出が実行される。
【０３７６】
こうして図３８（Ｄ）に示すようなスーパーＡのリーチ演出が開始された後に、タイミングＴＭ０１となることにより、期待度昇格演出の実行が開始される。このときには、例えば図３８（Ｅ）に示すような演出画像を画像表示装置５の画面上に表示することなどにより、期待度昇格演出の実行が開始されることを報知すればよい。続いて、図３８（Ｆ）に示すような期待度昇格演出の実行中となり、その後には図３８（Ｇ）に示すようなスーパーＢのリーチ演出が実行される。そして、例えば図３８（Ｈ）に示すような大当り組合せの飾り図柄が導出されて、可変表示結果が「大当り」となる。
【０３７７】
図３８（Ｆ）に示すような期待度昇格演出の実行中には、図３６に示すステップＳ６２４〜Ｓ６４１の処理により、例えば図３９に示すように、既に実行された複数の示唆演出について、大当り期待度がより高い演出態様を示す演出に変更されることが連続的に報知される。このとき、複数の示唆演出のうちで１の示唆演出の演出態様を示す演出の変更が行われた後には、区切り演出を実行してから、他の示唆演出の演出態様を示す演出の変更が行われる。
【０３７８】
図４０および図４１は、期待度昇格演出における演出動作の一例を示している。この演出動作例では、昇格演出総数が「５」であり、昇格回数が「１」の昇格１回目にて、再変動演出の擬似連図柄（カード図柄）が変更されるか否かが報知される。また、昇格回数が「２」の昇格２回目には、メッセージ予告の予告内容が変更されるか否かが報知される。昇格回数が「３」の昇格３回目には、ステップアップ予告の予告内容が変更されるか否かが報知される。昇格回数が「４」の昇格４回目には、リーチ成立時予告の予告内容が変更されるか否かが報知される。昇格回数が「５」の昇格５回目には、リーチ演出の演出内容が変更されるか否かが報知される。図３１に示すステップＳ６０６の処理では、昇格後の演出内容として、再変動演出の演出態様は２個の星型記号を含んだ擬似連図柄（カード図柄）、メッセージ予告の演出態様は文字画像の表示色が黒色となる黒文字のメッセージ予告ＭＳ２、ステップアップ予告の演出態様はステップ数が「４」のステップアップ予告ＳＵ４、リーチ成立時予告の演出態様は蝶の数が「５」のリーチ成立時予告ＧＲ３、リーチ演出の演出態様はスーパーＢに、それぞれ決定されたとする。
【０３７９】
図３６に示すステップＳ６２２の処理により昇格演出カウント値が初期値「１」に設定されたときには、図４０（Ａ）に示すような演出画像を表示する区切り演出が行われる。図４０（Ａ）に示す区切り演出により、示唆演出の演出態様が変更される回数が「１」の昇格１回目であることと、昇格対象となる示唆演出の演出態様が再変動演出における擬似連図柄（カード図柄）であることが、報知される。続いて、図４０（Ｂ）に示すような演出画像の表示などにより、既に実行された再変動演出の演出態様として１個の星型記号を含んだ擬似連図柄（カード図柄）を示す演出が行われる。そして、図４０（Ｃ）に示すような演出画像の表示などにより、２個の星型記号を含んだ擬似連図柄（カード図柄）を示す演出に変更されることを報知する。変動パターンに対応する擬似連回数は２回であることから、変更後の擬似連図柄（カード図柄）は２個の星型記号を含むものになればよい。「擬似連」の可変表示演出では、擬似連変動の実行回数（擬似連回数）が増加するに従って大当り期待度が高くなる。したがって、２回の擬似連変動に対応した２個の星型記号を含む擬似連図柄（カード図柄）に変更されることにより、既に実行された示唆演出としての再変動演出に比べて、大当り期待度がより高い演出態様に変更されたことを認識可能に報知できる。
【０３８０】
なお、図３６に示すステップＳ６３６の処理により昇格前演出報知期間が終了したと判定されることで、ステップＳ６３８の処理により昇格後の演出内容が報知されてもよい。一方、例えばスティックコントローラ３１Ａやプッシュボタン３１Ｂといった所定の操作手段に対する指示操作が検出されることで、昇格後の演出内容が報知されてもよい。図４０（Ｃ）に示す演出画像が表示された後には、例えば図４０（Ｄ）に示すような演出画像の表示などにより、擬似連変動の実行回数（擬似連回数）が増加したことや、それにより高められた大当り期待度の段階数（ランクアップ数）が、報知されてもよい。
【０３８１】
こうして昇格１回目の昇格演出時間が経過したときには、図３６に示すステップＳ６３９の処理にて、昇格演出カウント値が「１」であって昇格演出総数の「５」には達していないことから、ステップＳ６４１の処理により昇格演出カウント値が１加算されて「２」に更新される。そして、ステップＳ６２４〜Ｓ６２６の処理により、図４０（Ｅ）に示すような演出画像を表示する区切り演出が行われる。図４０（Ｅ）に示す区切り演出により、示唆演出の演出態様が変更される回数が「２」の昇格２回目であることと、昇格対象となる示唆演出の演出態様がメッセージ予告の予告内容であることが、報知される。
【０３８２】
図４０（Ｅ）に示すような区切り演出に続いて、図４０（Ｆ）に示すような演出画像の表示などにより、既に実行されたメッセージ予告の演出態様として、文字画像の表示色が白色である白文字のメッセージ予告ＭＳ１を示す演出が行われる。そして、図４０（Ｇ）に示すような演出画像の表示などにより、文字画像の表示色が黒色である黒文字のメッセージ予告ＭＳ２を示す演出に変更されることを報知する。メッセージ予告では、白文字のメッセージ予告ＭＳ１よりも、黒文字のメッセージ予告ＭＳ２の方が大当り期待度は高くなる。したがって、黒文字のメッセージ予告ＭＳ２に変更されることにより、既に示唆演出として実行された白文字のメッセージ予告ＭＳ１に比べて、大当り期待度がより高い演出態様に変更されたことを認識可能に報知できる。
【０３８３】
図４０（Ｇ）に示す演出画像が表示された後には、例えば図４０（Ｈ）に示すような演出画像の表示などにより、メッセージ予告でのセリフが白文字から黒文字に変更されたことや、それにより高められた大当り期待度の段階数（ランクアップ数）が、報知されてもよい。こうして昇格２回目の昇格演出時間が経過すると、昇格演出カウント値が１加算されて「３」に更新される。そして、図４０（Ｉ）に示すような演出画像を表示する区切り演出が行われる。図４０（Ｉ）に示す区切り演出により、示唆演出の演出態様が変更される回数が「３」の昇格３回目であることと、昇格対象となる示唆演出の演出態様がステップアップ予告の予告内容であることが、報知される。
【０３８４】
図４０（Ｉ）に示すような区切り演出に続いて、図４０（Ｊ）に示すような演出画像の表示などにより、既に実行されたステップアップ予告の演出態様として、ステップ数が「２」のステップアップ予告ＳＵ２を示す演出が行われる。そして、図４０（Ｋ）に示すような演出画像の表示などにより、ステップ数が「４」のステップアップ予告ＳＵ４を示す演出に変更されることを報知する。ステップアップ予告では、ステップ数が増加するに従って大当り期待度が高くなる。したがって、ステップ数が「４」のステップアップ予告ＳＵ４に変更されることにより、既に示唆演出として実行されたステップ数が「２」のステップアップ予告ＳＵ２に比べて、大当り期待度がより高い演出態様に変更されたことを認識可能に報知できる。
【０３８５】
図４０（Ｋ）に示す演出画像が表示された後には、例えば図４０（Ｌ）に示すような演出画像の表示などにより、ステップアップ予告でのステップ数が「２」から「４」に変更されたことや、それにより高められた大当り期待度の段階数（ランクアップ数）が、報知されてもよい。こうして昇格３回目の昇格演出時間が経過すると、昇格演出カウント値が１加算されて「４」に更新される。そして、図４１（Ａ）に示すような演出画像を表示する区切り演出が行われる。図４１（Ａ）に示す区切り演出により、示唆演出の演出態様が変更される回数が「４」の昇格４回目であることと、昇格対象となる示唆演出の演出態様がリーチ成立時予告の予告内容であることが、報知される。
【０３８６】
図４１（Ａ）に示すような区切り演出に続いて、図４１（Ｂ）に示すような演出画像の表示などにより、既に実行されたリーチ成立時予告の演出態様として、演出画像群により示される蝶の数が「３」のリーチ成立時予告ＧＲ２を示す演出が行われる。そして、図４１（Ｃ）に示すような演出画像の表示などにより、蝶の数が「５」のリーチ成立時予告ＧＲ３を示す演出に変更されることを報知する。リーチ成立時予告では、演出画像群により示される蝶のキャラクタ数が増加するに従って大当り期待度が高くなる。したがって、蝶の数が「５」のリーチ成立時予告ＧＲ３に変更されることにより、既に示唆演出として実行された蝶の数が「３」のリーチ成立時予告ＧＲ２に比べて、大当り期待度がより高い演出態様に変更されたことを認識可能に報知できる。
【０３８７】
図４１（Ｃ）に示す演出画像が表示された後には、例えば図４１（Ｄ）に示すような演出画像の表示などにより、リーチ成立時予告での蝶の数（蝶群）が「３」に対応した「中」の大当り期待度から「５」に対応した「高」の大当り期待度に変更されたことや、それにより高められた大当り期待度の段階数（ランクアップ数）が、報知されてもよい。こうして昇格４回目の昇格演出時間が経過すると、昇格演出カウント値が１加算されて「５」に更新される。そして、図４１（Ｅ）に示すような演出画像を表示する区切り演出が行われる。図４１（Ｅ）に示す区切り演出により、示唆演出の演出態様が変更される回数が「５」の昇格５回目であることと、昇格対象となる示唆演出の演出態様がリーチ演出の演出内容であることが、報知される。
【０３８８】
図４１（Ｅ）に示すような区切り演出に続いて、図４１（Ｆ）に示すような演出画像の表示などにより、既に実行されたリーチ演出の演出態様として、スーパーＡのリーチ演出を示す演出が行われる。そして、図４１（Ｇ）に示すような演出画像の表示などにより、スーパーＢのリーチ演出に変更されることを報知する。リーチ演出では、ノーマル、スーパーＡ、スーパーＢの順に、大当り期待度が高くなる。したがって、スーパーＢのリーチ演出に変更されることにより、既に示唆演出として実行されたスーパーＡのリーチ演出に比べて、大当り期待度がより高い演出態様に変更されたことを認識可能に報知できる。
【０３８９】
図４１（Ｇ）に示す演出画像が表示された後には、例えば図４１（Ｈ）に示すような演出画像の表示などにより、リーチ演出がスーパーＡからスーパーＢに変更されたことや、それにより高められた大当り期待度の段階数（ランクアップ数）が、報知されてもよい。こうして昇格５回目の昇格演出時間が経過すると、昇格演出カウント値が「５」であることから、図３６に示すステップＳ６４０の処理が実行されることなどにより、期待度昇格演出の実行が終了する。このときには、例えば図４１（Ｉ）に示すような演出画像の表示などにより、複数の示唆演出について演出態様が大当り期待度のより高い演出態様に変更された合計回数（総演出数）は、再変動演出、メッセージ予告、ステップアップ予告、リーチ成立時予告、リーチ演出の全部からなる「５」であることが報知されてもよい。
【０３９０】
図４２は、期待度昇格演出における演出動作について、図４０および図４１とは異なる他の一例を示している。この演出動作例では、昇格演出総数が「３」であり、昇格回数が「１」〜「３」の昇格１回目〜昇格３回目は、図４０および図４１に示した演出動作例と共通している。すなわち、昇格回数が「１」の昇格１回目にて、再変動演出の擬似連図柄（カード図柄）が変更されるか否かが報知される。また、昇格回数が「２」の昇格２回目には、メッセージ予告の予告内容が変更されるか否かが報知される。昇格回数が「３」の昇格３回目には、ステップアップ予告の予告内容が変更されるか否かが報知される。
【０３９１】
この演出動作例において、図４２（Ａ）に示すような演出画像を表示する区切り演出が行われ、図４２（Ｂ）に示すような演出画像が表示されるまでは、図４０（Ａ）および（Ｂ）と同様である。一方、この演出動作例では、図４２（Ｃ）に示すような演出画像の表示などにより、擬似連図柄（カード図柄）を示す演出が変更されることに対応する報知が行われない。これにより、既に実行された示唆演出としての再変動演出における演出態様が、大当り期待度のより高い演出態様に変更されないことを認識可能にする。その後、例えば図４２（Ｄ）に示すような演出画像の表示などにより、擬似連変動の実行回数（擬似連回数）が増加しなかったことや、大当り期待度が高められなかったことを示す「ランクアップ失敗」が、報知されてもよい。
【０３９２】
図４２（Ｄ）に示す演出画像の表示に続いて、図４２（Ｅ）に示すような演出画像を表示する区切り演出が行われる部分は、図４０（Ｅ）と同様である。一方、この演出動作例では、示唆演出としてのメッセージ予告が実行されない「予告なし」であったとする。この場合には、図４２（Ｆ）に示すような演出画像の表示などにより、メッセージ予告が実行されなかったことを示す演出が行われる。そして、図４２（Ｇ）に示すような演出画像の表示などにより、文字画像の表示色が黒色である黒文字のメッセージ予告ＭＳ２を示す演出に変更されることを報知する。メッセージ予告が実行されなかった場合に比べると、白文字のメッセージ予告ＭＳ１の方が大当り期待度は高く、黒文字のメッセージ予告ＭＳ２はさらに大当り期待度が高くなる。したがって、黒文字のメッセージ予告ＭＳ２を示す演出により、大当り期待度がより高い演出態様に変更されたことを認識可能に報知できる。
【０３９３】
図４２（Ｇ）に示す演出画像が表示された後には、例えば図４２（Ｈ）に示すような演出画像の表示などにより、メッセージ予告の実行がないセリフなしから黒文字に変更されたことや、それにより高められた大当り期待度の段階数（ランクアップ数）に対応する「２ランクアップ」が、報知されてもよい。図４２（Ｈ）に示す演出画像の表示に続いて、図４２（Ｉ）に示すような演出画像を表示する区切り演出が行われ、図４２（Ｊ）に示すような演出画像が表示される部分は、図４０（Ｉ）および（Ｊ）と同様である。一方、この演出動作例では、図４２（Ｋ）に示すような演出画像の表示により、ステップ数が「１」のステップアップ予告ＳＵ１を示す演出に変更されることを報知する。ステップ数が「１」のステップアップ予告ＳＵ１は、ステップ数が「２」のステップアップ予告ＳＵ２よりも大当り期待度が低くなる。したがって、ステップ数が「１」のステップアップ予告ＳＵ１に変更されることにより、既に示唆演出として実行されたステップ数が「２」のステップアップ予告ＳＵ２に比べて、大当り期待度がより低い演出態様に変更されたことを認識可能に報知できる。
【０３９４】
図４２（Ｋ）に示す演出画像が表示された後には、例えば図４２（Ｌ）に示すような演出画像の表示などにより、ステップアップ予告でのステップ数が「２」から「１」に変更されたことや、それにおり低くなった大当り期待度の段階数（ランクダウン数）に対応する「１ランクダウン」が、報知されてもよい。こうして昇格３回目の昇格演出時間が経過すると、昇格演出カウント値が昇格演出総数に達することから、期待度昇格演出の実行が終了する。このときには、例えば図４２（Ｍ）に示すような演出画像の表示などにより、複数の示唆演出について演出態様が大当り期待度のより高い演出態様に変更された合計回数（総演出数）は、ステップアップ予告のみであることに対応して、「１」であることが報知されてもよい。
【０３９５】
可変表示結果が「大当り」となる場合には、可変表示結果が「ハズレ」となる場合よりも多くの示唆演出における演出態様を示す演出が、期待度昇格演出において大当り期待度がより高い演出態様を示す演出に変更されることを報知してもよい。可変表示結果が「大当り」となる場合には、可変表示結果が「ハズレ」となる場合よりも高い割合で、所定数以上の示唆演出における演出態様を示す演出が、期待度昇格演出において大当り期待度がより高い演出態様を示す演出に変更されることを報知してもよい。期待度昇格演出において示唆演出の演出態様を示す演出が変更されるときには、可変表示結果が「大当り」となる場合に、可変表示結果が「ハズレ」となる場合よりも、大当り期待度が高くなる段階数（ランクアップ数）が多くなるようにしてもよい。期待度昇格演出において示唆演出の演出態様を示す演出が変更されるときには、可変表示結果が「大当り」となる場合に、可変表示結果が「ハズレ」となる場合よりも高い割合で、大当り期待度が高くなる段階数（ランクアップ数）が所定数以上になるようにしてもよい。
【０３９６】
例えば図４２（Ｉ）〜（Ｌ）に示したように、期待度昇格演出において、既に実行された示唆演出の演出態様を示す演出が、大当り期待度のより低い演出態様を示す演出に変更された場合には、可変表示結果が「大当り」となる可能性が低くなるようにしてもよい。一方、この場合には、法則崩れにより、可変表示結果が「大当り」となる可能性が飛躍的に高くなるようにしてもよい。
【０３９７】
こうした期待度昇格演出を実行することなく、擬似連変動などの再変動を実行することで、既に実行された複数の示唆演出における演出態様を変更する場合には、例えば飾り図柄の可変表示状態との違和感を防止するなどの観点から、既に実行された示唆演出の順序や実行間隔にあわせて、それぞれの示唆演出における演出態様を変更することが考えられる。図４３は、再変動の実行により複数の示唆演出における演出態様を変更する昇格動作例の実行タイミングを示している。
【０３９８】
図４３に示す昇格動作例では、昇格演出総数が「５」であり、図１８に示した期待度昇格演出が実行される場合と同様にスーパーＡのリーチ演出が開始された後のタイミング（タイミングＴＭ０３に対応）にて、昇格前の変動を終了し、昇格用の擬似連変動を開始させる。このときには、変動開始時予告の実行タイミングＴＹ３０に対応してメッセージ予告を実行することにより、大当り期待度がより高い演出態様に変更されるか否かを認識可能に報知する。その後、飾り図柄の全部が変動している全図柄変動中に全図柄変動中予告の実行タイミングＴＹ３１となることで、ステップアップ予告を実行することにより、大当り期待度がより高い演出態様に変更されるか否かを認識可能に報知する。また、「左」および「右」の飾り図柄表示エリア５Ｌ、５Ｒにて飾り図柄が減速して停止表示されてリーチ成立となり、リーチ成立時予告の実行タイミングＴＹ３３となる。このとき、リーチ成立時予告を実行することにより、大当り期待度がより高い演出態様に変更されるか否かを認識可能に報知する。
【０３９９】
さらに、例えばノーマルのリーチ演出を実行中に再変動演出の実行タイミングＴＹ３２となり、「中」の飾り図柄表示エリア５Ｃにて擬似連図柄（カード図柄）を一旦停止表示することなどにより、大当り期待度がより高い演出態様に変更されるか否かを認識可能に報知する。その後、発展演出とスーパーＡのリーチ演出を実行してから、スーパーＢのリーチ演出を実行することで、リーチ演出の演出態様を大当り期待度がより高い演出態様とする変更が報知される。
【０４００】
このように、擬似連変動などの再変動を実行することで、既に実行された複数の示唆演出における演出態様を変更する場合には、それぞれの示唆演出が実行される前後、あるいは１の示唆演出が終了してから他の示唆演出が開始されるまでのインターバルにて、飾り図柄の可変表示を実行する期間（変動演出期間）が生じることがある。また、例えばノーマル、スーパーＡ、スーパーＢのような複数のリーチ演出が所定順序で実行される場合に、リーチ演出の演出態様が大当り期待度のより高い演出態様に変更されることを明確に報知する観点などから、一旦実行されたリーチ演出についても、再変動の後に再び最初から実行されることもある。そのため、図１８と図４３との比較からも明らかなように、期待度昇格演出を実行しない場合には、特別図柄や飾り図柄の可変表示時間が長くなってしまうおそれがある。
【０４０１】
一方、期待度昇格演出では、既に実行された示唆演出の順序や実行間隔（開始タイミングの時間差あるいは示唆演出ごとのインターバル期間など）にかかわらず、複数の示唆演出に対応して、演出態様の変更を報知する演出が連続的（順次）に行われる。すなわち、複数の示唆演出が実行される場合に、第１タイミングにて第１の示唆演出が開始され、所定期間が経過した後に、第２タイミングにて第２の示唆演出が開始されるように複数のタイミングが設定されていても、期待度昇格演出では、第１の示唆演出について演出態様を示す演出が変更されるか否かの報知が開始されてから、所定時間の経過を待つことなく、第２の示唆演出について演出態様を示す演出が変更されるか否かの報知が開始される。これにより、可変表示時間の長期化を防止しつつ、大当り遊技状態における遊技といった有利な遊技が実行される期待感を円滑に高めることができる。
【０４０２】
この発明は、上記実施の形態に限定されず、様々な変形及び応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。具体的な一例として、上記実施の形態では、予告演出、再変動演出およびリーチ演出といった複数の示唆演出について、期待度昇格演出において大当り期待度がより高い演出態様を示す演出に変更されるか否かを報知するものとして説明した。これに対して、既に実行された１の示唆演出について、大当り期待度がより高い演出態様を示す演出に変更されるか否かを報知する期待度昇格演出が実行されるものであってもよい。
【０４０３】
その他にも、パチンコ遊技機１といった遊技機の装置構成、データ構成、フローチャートで示した処理、示唆演出や期待度昇格演出といった所定演出を実行するための画像表示装置５における画像表示動作やスピーカ８Ｌ、８Ｒにおける音声出力動作さらには遊技効果ランプ９や装飾用ＬＥＤにおける点灯動作や演出用模型に含まれる可動部材の動作を含めた各種の演出動作などは、本発明の趣旨を逸脱しない範囲で、任意に変更及び修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。
【０４０４】
本発明を実現するためのプログラム及びデータは、パチンコ遊技機１といった遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０４０５】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０４０６】
以上説明したように、上記実施の形態では、例えば予告演出や再変動演出、リーチ演出といった、演出態様に応じて大当り遊技状態となる可能性を示唆する示唆演出が実行された後に、タイミングＴＭ０１〜ＴＭ０３のいずれかといった特定タイミングにて期待度昇格演出が実行される。期待度昇格演出では、既に実行された示唆演出の演出態様を示す演出を、大当り期待度がより高い演出態様に変更するか否かが報知される。これにより、大当り遊技状態となる期待感を円滑に高めて、遊技興趣を向上させることができる。
【０４０７】
また、例えばタイミングＴＭ０１〜ＴＭ０３といった複数のタイミングのうちから、期待度昇格演出の実行開始タイミングとなる特定タイミングが決定される。これにより、複数のタイミングにて期待度昇格演出が実行される期待感を高めて、遊技興趣を向上させることができる。
【０４０８】
タイミングＴＭ０１〜ＴＭ０３といった複数のタイミングのうち、より遅いタイミングが実行開始タイミングとなる場合には、期待度昇格演出にて多くの示唆演出の演出態様を示す演出が変更されやすくなる。これにより、期待度昇格演出が実行されるタイミングに対する遊技者の興味を高めて、遊技興趣を向上させることができる。
【０４０９】
期待度昇格演出は、再可変表示パターンが使用パターンに決定されたことに基づいて実行可能となる。そして、１回分の擬似連変動を期待度昇格演出に置換して実行する。これにより、「擬似連」の可変表示演出における擬似連回数が少ない場合、あるいは「擬似連」の可変表示演出が実行されない場合でも、期待度昇格演出により大当り遊技状態となる期待感を高めて、遊技興趣を向上させることができる。また、再可変表示パターンを用いて期待度昇格演出を実行可能にすることで、変動パターンや演出制御コマンドの種類数が増大することを防止して、期待度昇格演出の実行に伴う遊技制御や演出制御の処理負担を軽減することができる。
【０４１０】
例えばメッセージ予告などの示唆演出では、所定画像を表示する画像表示演出が行われ、大当り期待度に応じて所定画像の一部の表示態様を異なる表示態様で表示する。この場合、期待度昇格演出では、既に実行された画像表示演出における所定画像の表示態様を示す演出を、所定画像の一部の表示態様が大当り期待度のより高い表示態様となる所定画像を示す演出に変更して表示する。これにより、画像表示演出が実行された場合に大当り遊技状態となる期待感を円滑に高めて、遊技興趣を向上させることができる。
【０４１１】
例えばステップアップ予告などの示唆演出では、演出態様を１段階から複数段階まで段階的に変化（ステップアップ）させ、ステップ数が多いときに、ステップ数が少ないときよりも大当り期待度が高いことを示唆する。この場合、期待度昇格演出では、既に実行されたステップアップ予告におけるステップ数を示す演出を、より多いステップ数を示す演出に変更して表示する。これにより、ステップアップ演出が実行された場合に大当り遊技状態となる期待感を円滑に高めて、遊技興趣を向上させることができる。
【０４１２】
期待度昇格演出では、複数の示唆演出について演出態様を示す演出が変更されることを報知する場合に、それぞれの報知が行われる前または後に、区切り演出が実行される。これにより、既に実行された複数の示唆演出のうちいずれの演出態様が変更されるかを、遊技者が明確に認識することができる。
【０４１３】
区切り演出では、例えば昇格回数といった、演出態様が変更される示唆演出の数を報知する。また、区切り演出では、例えば昇格対象演出といった、演出態様が変更される示唆演出の種類を報知する。区切り演出の実行に対応して、例えば演出用模型を構成する複数の可動部材のいずれかといった、所定の可動部材を動作させる。これらの一部または全部により、期待度昇格演出において演出態様が変更される示唆演出に対する遊技者の興味を高めて、遊技興趣を向上させることができる。
【０４１４】
例えば図３１に示すステップＳ６０３の処理では図３２（Ａ）に示すような決定割合で期待度昇格演出の有無が決定される。一方、図３１に示すステップＳ６０７の処理では、期待度昇格演出が実行されない場合に対応して、図３３（Ｂ１）および（Ｂ２）に示すような決定割合で予告演出が決定される。こうして、期待度昇格演出において昇格後の演出内容として特定の演出態様が報知された場合には、示唆演出において特定の演出態様となる場合よりも、大当り期待度が高められる。これにより、期待度昇格演出における演出態様の変更に対する遊技者の興味を高めて、遊技興趣を向上させることができる。
【０４１５】
期待度昇格演出は、例えばタイミングＴＭ０１〜ＴＭ０３のいずれかといった、飾り図柄の可変表示状態がリーチ状態となった後の特定タイミングにて実行が開始される。これにより、リーチ状態となった後の演出に対する遊技者の興味を高めて、遊技興趣を向上させることができる。
【符号の説明】
【０４１６】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
３１Ａ  …  スティックコントローラ
３１Ｂ  …  プッシュボタン
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
0005623988.tif 000002
【図２】
0005623988.tif 000003
【図３】
0005623988.tif 000004
【図４】
0005623988.tif 000005
【図５】
0005623988.tif 000006
【図６】
0005623988.tif 000007
【図７】
0005623988.tif 000008
【図８】
0005623988.tif 000009
【図９】
0005623988.tif 000010
【図１０】
0005623988.tif 000011
【図１１】
0005623988.tif 000012
【図１２】
0005623988.tif 000013
【図１３】
0005623988.tif 000014
【図１４】
0005623988.tif 000015
【図１５】
0005623988.tif 000016
【図１６】
0005623988.tif 000017
【図１７】
0005623988.tif 000018
【図１８】
0005623988.tif 000019
【図１９】
0005623988.tif 000020
【図２０】
0005623988.tif 000021
【図２１】
0005623988.tif 000022
【図２２】
0005623988.tif 000023
【図２３】
0005623988.tif 000024
【図２４】
0005623988.tif 000025
【図２５】
0005623988.tif 000026
【図２６】
0005623988.tif 000027
【図２７】
0005623988.tif 000028
【図２８】
0005623988.tif 000029
【図２９】
0005623988.tif 000030
【図３０】
0005623988.tif 000031
【図３１】
0005623988.tif 000032
【図３２】
0005623988.tif 000033
【図３４】
0005623988.tif 000034
【図３５】
0005623988.tif 000035
【図３６】
0005623988.tif 000036
【図３７】
0005623988.tif 000037
【図３９】
0005623988.tif 000038
【図４０】
0005623988.tif 000039
【図４１】
0005623988.tif 000040
【図４２】
0005623988.tif 000041
【図４３】
0005623988.tif 000042
【図３３】
0005623988.tif 000043
【図３８】
0005623988.tif 000044